(57)【要約】トポロジ処理方法、装置、及びシステムが提供される。トポロジ処理方法は、トポロジ処理装置によって、光分配ネットワークＯＤＮから集められた第１現場画像を取得することであり、第１現場画像は、少なくとも第１ＯＤＮデバイスの第１ポートのイメージングを含み、第１ポートは第１ケーブルへ接続され、第１ケーブルを識別するために使用される第１識別エリアは、第１ケーブル上に配置され、第１現場画像は、少なくとも第１ケーブル上の第１識別エリアのイメージングを更に含む、ことと、トポロジ処理装置によって、第１現場画像における第１識別エリアに基づき第１ケーブルを識別し、第１現場画像に基づき、第１ケーブルへ接続される第１ポートを識別することと、トポロジ処理装置によって、第１ＯＤＮデバイスと、第１ポートと、第１ケーブルとの間の第１対応を生成することとを含む
2021517370.tif 000002
【特許請求の範囲】
【請求項１】
トポロジ処理方法であって、
トポロジ処理装置によって、光分配ネットワークＯＤＮから集められた第１現場画像を取得することであり、前記第１現場画像は、少なくとも第１ＯＤＮデバイスの第１ポートのイメージングを有し、前記第１ポートは、第１ケーブルへ接続され、該第１ケーブルを識別するために使用される第１識別エリアは、前記第１ケーブル上に配置され、前記第１現場画像は、少なくとも前記第１ケーブル上の前記第１識別エリアのイメージングを更に有する、前記取得することと、
前記トポロジ処理装置によって、前記第１現場画像における前記第１識別エリアに基づき前記第１ケーブルを識別し、前記第１現場画像に基づき、前記第１ケーブルへ接続される前記第１ポートを識別することと、
前記トポロジ処理装置によって、前記第１ＯＤＮデバイスと、前記第１ポートと、前記第１ケーブルとの間の第１対応を生成することと
を有する方法。
【請求項２】
デバイス識別エリアが前記第１ＯＤＮデバイス上に配置され、前記デバイス識別エリアは、前記第１ＯＤＮデバイスを識別するために使用され、前記第１現場画像は、前記デバイス識別エリアのイメージングを更に有し、当該方法は、
前記トポロジ処理装置によって、前記第１現場画像における前記デバイス識別エリアに基づき前記第１ＯＤＮデバイスを識別することを更に有する、
請求項１に記載の方法。
【請求項３】
前記デバイス識別エリアは、前記第１ＯＤＮデバイスの識別子、前記第１ＯＤＮデバイスのポート配置様式、前記第１ＯＤＮデバイスのタイプ、前記第１ＯＤＮデバイスのシリアルナンバー、又は前記第１ＯＤＮデバイスの製造日、のうちの少なくとも１つの情報を示すために使用される、
請求項２に記載の方法。
【請求項４】
当該方法は、
前記トポロジ処理装置によって第２現場画像を取得することであり、前記第２現場画像は、少なくとも第１光ネットワーク端末ＯＮＴの第２ポートのイメージングを有し、前記第２ポートは、前記第１ケーブルへ接続される、前記第２現場画像を取得することと、
前記トポロジ処理装置によって、前記第２現場画像に基づき、前記第１ケーブルへ接続される前記第２ポートを識別することと、
前記トポロジ処理装置によって、前記第１ＯＮＴと、前記第２ポートと、前記第１ケーブルとの間の第２対応を生成することと
を更に有する、
請求項１乃至３のうちいずれか一項に記載の方法。
【請求項５】
当該方法は、
前記トポロジ処理装置によって、前記第１対応及び前記第２対応に基づき第１物理トポロジを生成することを更に有する、
請求項４に記載の方法。
【請求項６】
前記トポロジ処理装置は、現場の端末であり、当該方法は、
前記トポロジ処理装置によって、前記第１物理トポロジをネットワーク管理サーバへ送ることを更に有する、
請求項５に記載の方法。
【請求項７】
前記トポロジ処理装置は、ネットワーク管理サーバであり、
前記トポロジ処理装置によって、光分配ネットワークＯＤＮから集められた第１現場画像を取得することは、
前記トポロジ処理装置によって、現場の端末によって送られた前記第１現場画像を受信することを有し、前記第１現場画像は、前記現場の端末によって、前記ＯＤＮの現場画像を集めることによって取得される、
請求項１乃至５のうちいずれか一項に記載の方法。
【請求項８】
前記トポロジ処理装置は、現場の端末であり、当該方法は、
前記トポロジ処理装置によって、前記第１対応をネットワーク管理サーバへ送ることを更に有する、
請求項１乃至４のうちいずれか一項に記載の方法。
【請求項９】
当該方法は、
前記トポロジ処理装置によって、前記ＯＤＮから集められた第３現場画像を取得することであり、前記第３現場画像は、少なくとも第２ＯＤＮデバイスの第３ポートのイメージングを有し、前記第３ポートは、前記第１ケーブルへ接続される、前記第３現場画像を取得することと、
前記トポロジ処理装置によって、前記第３現場画像に基づき、前記第１ケーブルへ接続される前記第３ポートを識別することと、
前記トポロジ処理装置によって、前記第２ＯＤＮデバイスと、前記第３ポートと、前記第１ケーブルとの間の第３対応を生成することと
を更に有する、
請求項１乃至８のうちいずれか一項に記載の方法。
【請求項１０】
前記第１現場画像は、前記第１ＯＤＮデバイスの複数のポートのイメージングを更に有し、
前記第１現場画像に基づき、前記第１ケーブルへ接続される前記第１ポートを識別することは、
前記トポロジ処理装置によって、前記複数のポートによって観測されるポート配置様式と、前記第１ケーブルとあるポートとの間の相対位置関係とに基づき、前記第１ポートを識別することを有する、
請求項１乃至８のうちいずれか一項に記載の方法。
【請求項１１】
前記トポロジ処理装置は、ネットワーク管理サーバであり、当該方法は、
前記トポロジ処理装置によって、前記第１物理トポロジから前記第１ＯＮＴの第１ステータス情報を周期的に収集することと、
前記トポロジ処理装置によって、事前設定された論理トポロジ生成アルゴリズムを使用することによって前記第１ステータス情報に対してステータス変化解析を実行し、ステータス変化解析結果に基づき、前記第１ＯＤＮデバイスと、前記第１ケーブルと、前記第１ＯＮＴとの間の対応を有する第１論理トポロジを生成することと、
前記トポロジ処理装置によって、前記第１物理トポロジと前記第１論理トポロジとの間の比較解析を実行し、比較解析結果に基づき、前記第１物理トポロジが更新される必要があるかどうかを判定することと
を更に有する、
請求項５に記載の方法。
【請求項１２】
前記第１ステータス情報は、前記第１ＯＮＴの性能データ又は前記第１ＯＮＴの警報データを有する、
請求項１１に記載の方法。
【請求項１３】
前記トポロジ処理装置によって、事前設定された論理トポロジ生成アルゴリズムを使用することによって前記第１ステータス情報に対してステータス変化解析を実行することは、
前記トポロジ処理装置によって、前記第１ステータス情報に基づき、第１期間における前記第１ＯＮＴのステータス変化特徴を取得することと、
前記トポロジ処理装置によって、前記第１期間における前記第１ＯＮＴの前記ステータス変化特徴に対して類似性クラスタ解析を実行することと
を有する、
請求項１１又は１２に記載の方法。
【請求項１４】
比較解析結果に基づき、前記物理トポロジが更新される必要があるかどうかを判定することは、
前記比較解析結果が、前記第１物理トポロジ及び前記第１論理トポロジが異なった対応を有していることである場合に、前記トポロジ処理装置によって、現場調査指示を送り、現場調査結果に基づき、前記第１物理トポロジが更新される必要があるかどうかを判定することを有する、
請求項１１乃至１３のうちいずれか一項に記載の方法。
【請求項１５】
前記第１ＯＤＮデバイスは、ファイバアクセス端末、スプリッティング及びスプライシングクロージャ、アクセス端末ボックス、又は光分配フレーム、のうちの少なくとも１つのデバイスを有する、
請求項１乃至１４のうちいずれか一項に記載の方法。
【請求項１６】
光分配ネットワークＯＤＮから集められた第１現場画像を取得するよう構成される画像取得モジュールであり、前記第１現場画像は、少なくとも第１ＯＤＮデバイスの第１ポートのイメージングを有し、前記第１ポートは、第１ケーブルへ接続され、該第１ケーブルを識別するために使用される第１識別エリアは、前記第１ケーブル上に配置され、前記第１現場画像は、少なくとも前記第１ケーブル上の前記第１識別エリアのイメージングを更に有する、前記画像取得モジュールと、
前記第１現場画像における前記第１識別エリアに基づき前記第１ケーブルを識別し、前記第１現場画像に基づき、前記第１ケーブルへ接続される前記第１ポートを識別するよう構成される画像識別モジュールと、
前記第１ＯＤＮデバイスと、前記第１ポートと、前記第１ケーブルとの間の第１対応を生成するよう構成されるマッピングモジュールと
を有するトポロジ処理装置。
【請求項１７】
デバイス識別エリアが前記第１ＯＤＮデバイス上に配置され、前記デバイス識別エリアは、前記第１ＯＤＮデバイスを識別するために使用され、前記第１現場画像は、前記デバイス識別エリアのイメージングを更に有し、前記画像識別モジュールは、前記第１現場画像における前記デバイス識別エリアに基づき前記第１ＯＤＮデバイスを識別するよう更に構成される、
請求項１６に記載のトポロジ処理装置。
【請求項１８】
前記デバイス識別エリアは、前記第１ＯＤＮデバイスの識別子、前記第１ＯＤＮデバイスのポート配置様式、前記第１ＯＤＮデバイスのタイプ、前記第１ＯＤＮデバイスのシリアルナンバー、又は前記第１ＯＤＮデバイスの製造日、のうちの少なくとも１つのタイプの情報を示すために使用される、
請求項１７に記載のトポロジ処理装置。
【請求項１９】
前記画像取得モジュールは、第２現場画像を取得するよう更に構成され、前記第２現場画像は、少なくとも第１光ネットワーク端末ＯＮＴの第２ポートのイメージングを有し、前記第２ポートは、前記第１ケーブルへ接続され、
前記画像識別モジュールは、前記第２現場画像に基づき、前記第１ケーブルへ接続される前記第２ポートを識別するよう更に構成され、
前記マッピングモジュールは、前記第１ＯＮＴと、前記第２ポートと、前記第１ケーブルとの間の第２対応を生成するよう更に構成される、
請求項１６乃至１８のうちいずれか一項に記載のトポロジ処理装置。
【請求項２０】
当該トポロジ処理装置は、
前記第１対応及び前記第２対応に基づき第１物理トポロジを生成するよう構成される物理トポロジ生成モジュールを更に有する、
請求項１９に記載のトポロジ処理装置。
【請求項２１】
当該トポロジ処理装置は、現場の端末であり、当該トポロジ処理装置は、
前記第１物理トポロジをネットワーク管理サーバへ送るよう構成される送信モジュールを更に有する、
請求項２０に記載のトポロジ処理装置。
【請求項２２】
当該トポロジ処理装置は、ネットワーク管理サーバであり、前記画像取得モジュールは、現場の端末によって送られた前記第１現場画像を受信するよう構成され、前記第１現場画像は、前記現場の端末によって、前記ＯＤＮの現場画像を集めることによって取得される、
請求項１６乃至２０のうちいずれか一項に記載のトポロジ処理装置。
【請求項２３】
前記トポロジ処理装置は、現場の端末であり、当該トポロジ処理装置は、
前記第１対応をネットワーク管理サーバへ送るよう構成される送信モジュールを更に有する、
請求項１６乃至１９のうちいずれか一項に記載のトポロジ処理装置。
【請求項２４】
当該トポロジ処理装置は、ネットワーク管理サーバであり、当該トポロジ処理装置は、
前記第１物理トポロジから前記第１ＯＮＴの第１ステータス情報を周期的に収集するよう構成されるステータス収集モジュールと、
事前設定された論理トポロジ生成アルゴリズムを使用することによって前記第１ステータス情報に対してステータス変化解析を実行し、ステータス変化解析結果に基づき、前記第１ＯＤＮデバイスと、前記第１ケーブルと、前記第１ＯＮＴとの間の対応を有する第１論理トポロジを生成するよう構成される論理トポロジ生成モジュールと、
前記第１物理トポロジと前記第１論理トポロジとの間の比較解析を実行し、比較解析結果に基づき、前記第１物理トポロジが更新される必要があるかどうかを判定するよう構成されるトポロジ解析モジュールと
を更に有する、
請求項２１に記載のトポロジ処理装置。
【請求項２５】
プロセッサと、メモリとを有し、前記プロセッサ及び前記メモリは互いに通信し、
前記メモリは、命令を記憶するよう構成され、
前記プロセッサは、前記メモリ内の前記命令を実行して、請求項１乃至１５のうちいずれか一項に記載の方法を実行するよう構成される、
トポロジ処理装置。
【請求項２６】
現場の端末と、ネットワーク管理サーバとを有し、
前記現場の端末は、光分配ネットワークＯＤＮから集められた第１現場画像を取得するよう構成され、前記第１現場画像は、少なくとも第１ＯＤＮデバイスの第１ポートのイメージングを有し、前記第１ポートは、第１ケーブルへ接続され、該第１ケーブルを識別するために使用される第１識別エリアは、前記第１ケーブル上に配置され、前記第１現場画像は、少なくとも前記第１ケーブル上の前記第１識別エリアのイメージングを更に有し、
前記現場の端末は、前記第１現場画像を前記ネットワーク管理サーバへ送るよう更に構成され、
前記ネットワーク管理サーバは、前記第１現場画像を受信し、該第１現場画像における前記第１識別エリアに基づき前記第１ケーブルを識別し、前記第１現場画像に基づき、前記第１ケーブルへ接続される前記第１ポートを識別し、前記第１ＯＤＮデバイスと、前記第１ポートと、前記第１ケーブルとの間の第１対応を生成するよう構成される、
トポロジ処理システム。
【請求項２７】
現場の端末と、ネットワーク管理サーバとを有し、
前記現場の端末は、
光分配ネットワークＯＤＮから集められた第１現場画像を取得し、前記第１現場画像は、少なくとも第１ＯＤＮデバイスの第１ポートのイメージングを有し、前記第１ポートは、第１ケーブルへ接続され、該第１ケーブルを識別するために使用される第１識別エリアは、前記第１ケーブル上に配置され、前記第１現場画像は、少なくとも前記第１ケーブル上の前記第１識別エリアのイメージングを更に有し、
前記第１現場画像における前記第１識別エリアに基づき前記第１ケーブルを識別し、前記第１現場画像に基づき、前記第１ケーブルへ接続される前記第１ポートを識別し、
前記第１ＯＤＮデバイスと、前記第１ポートと、前記第１ケーブルとの間の第１対応を生成する
よう構成され、
前記現場の端末は、前記第１対応を前記ネットワーク管理サーバへ送るよう更に構成され、
前記ネットワーク管理サーバは、前記第１対応を受信し、該第１対応に基づき、前記第１ＯＤＮデバイスと、前記第１ポートと、前記第１ケーブルとが互いに対応していることを決定するよう構成される、
トポロジ処理システム。
【請求項２８】
命令を有し、該命令がコンピュータで実行される場合に、該コンピュータが、請求項１乃至１５のうちいずれか一項に記載の方法を実行することを可能にされる、
コンピュータ可読記憶媒体。
【請求項２９】
命令を有するコンピュータプログラム製品であって、
当該コンピュータプログラム製品がコンピュータで実行される場合に、該コンピュータが、請求項１乃至１５のうちいずれか一項に記載の方法を実行することを可能にされる、
コンピュータプログラム製品。
【発明の詳細な説明】
【技術分野】
【０００１】
本願の実施形態は、通信分野に、特に、トポロジ処理方法、装置、及びシステムに関係がある。
【背景技術】
【０００２】
光通信技術の発展とともに、受動光ネットワーク（passive  optical  network，ＰＯＮ）技術がアクセスネットワークに広く適用されている。光分配フレーム（optical  division  network，ＯＤＮ）デバイスは、ＰＯＮデバイスに基づくファイバ・トゥ・ザ・ホーム（fiber  to  the  home，ＦＴＴＨ）光ケーブルネットワークデバイスである。ＯＤＮデバイスは、主に、光回線端末（optical  line  terminal，ＯＬＴ）と光ネットワーク端末（optical  network  terminal，ＯＮＴ）との間の光伝送チャネルを提供する。
【０００３】
ＦＴＴＨは、アクセスネットワークの整備の方法である。ＦＴＴＨは、より広いバンド幅や、環境条件、電源、などに対するより低い要件、などを提供し、更には、メンテナンス要件を簡単にすることができる。ＦＴＴＨでは、ＰＯＮ技術が主に使用され、ＯＤＮデバイスは、ＯＤＮデバイスを使用することによって１つのＯＬＴのデータを多数の、すなわち、数十又は数百のＯＮＴへ分配し得る。ユーザエンドは、膨大な光ファイバ回線上で分配スケジューリング及びメンテナンス管理を行う必要がある。ＯＤＮデバイスを管理及びメンテナンスすることは、全てのキャリアにとって非常に重要である。現在の光通信ネットワークでは、大量の光ファイバネットワークデータが不正確である。例えば、いくつかの光ファイバリソースは、管理システム上で遊休リソース及び利用可能リソースとして表示され、一方で、それらのリソースは、実際には占有されており、あるいは、いくつかのリソースは、管理システム上で占有リソースとして表示され、一方で、それらのリソースは、実際には遊休状態であり、あるいは、いくつかの光学リソースのデータは不正確であるか、又はリソースに関するデータは存在しない。例えば、ＯＤＮデバイスが接続されている特定のＯＬＴのポートは決定され得ず、あるいは、ＰＬＴのポートに依然としてサービスが存在するかどうかは決定され得ない。こうした問題は、大量のリソースの無駄を引き起こし、更には、ＯＤＮデバイスの管理も難しくする。
【０００４】
現在の光通信ネットワークでは、主に、紙ラベルを各光ファイバのコネクタに貼り付けることによって、ポートは識別され、ルートは管理される。ネットワーク上の全てのデバイスは、紙ラベルを使用することによって記録される。例えば、紙ラベルは、様々なデバイスの名前、識別子、及び機能といった、関連する属性を記録するために使用される。それから、紙ラベルは、ＯＤＮデバイスの識別を特定するための識別子として使用されるように、ＯＤＮデバイスに留められ、それにより、メンテナンスエンジニアは、その後のメンテナンス及び修理作業において、異なるＯＤＮデバイスの身元を正確に特定することができ、それによって、メンテナンス及び修理作業は適切に実施される。
【０００５】
本願の発明者は、先行技術には少なくとも次の欠点があることに気付く。紙ラベルを使用することによる手動記録は、手動操作の途方もない作業負荷をもたらし、高い人件費の原因となる。その上、異なる光ファイバとＯＤＮデバイスのポートとを手動記録により瞬時に区別することは非常に難しく、比較的に高いエラーレート、データ更新遅延、並びに低い操作及びメンテナンス効率の原因となる。更には、紙ラベルは、損傷を受けやすく、時間とともに不鮮明になり、ＯＤＮデバイスの管理及びメンテナンスを難しくする。
【０００６】
上記の解析から、ＯＤＮデバイスの管理は、先行技術では、効率が悪く且つ費用がかかることが知られ得る。
【発明の概要】
【０００７】
本願の実施形態は、ＯＤＮデバイスの管理効率を改善し且つ管理費用を下げるためのトポロジ処理方法、装置、及びシステムを提供する。
【０００８】
上記の問題を解決するために、本願の実施形態は、以下の技術的解決法を提供する。
【０００９】
第１の態様に従って、本願の実施形態は、
トポロジ処理装置によって、光分配ネットワークＯＤＮから集められた第１現場画像を取得し、第１現場画像は、少なくとも第１ＯＤＮデバイスの第１ポートのイメージングを含み、第１ポートは第１ケーブルへ接続され、第１ケーブルを識別するために使用される第１識別エリアは、第１ケーブル上に配置され、第１現場画像は、少なくとも第１ケーブル上の第１識別エリアのイメージングを更に含む、ことと、
第１現場画像における第１識別エリアに基づき第１ケーブルを識別し、第１現場画像に基づき、第１ケーブルへ接続される第１ポートを識別することと、
トポロジ処理装置によって、第１ＯＤＮデバイスと、第１ポートと、第１ケーブルとの間の第１対応を生成することと
を含むトポロジ処理方法を提供する。
【００１０】
本願のこの実施形態で、トポロジ処理装置は、最初に、ＯＤＮから集められた第１現場画像を取得し、このとき、第１現場画像は、少なくとも第１ＯＤＮデバイスの第１ポートのイメージングを含み、第１ポートは第１ケーブルへ接続され、第１ケーブルを識別するために使用される第１識別エリアは、第１ケーブル上に配置され、第１現場画像は、少なくとも第１ケーブルの第１識別エリアのイメージングを更に含み、トポロジ処理装置は、第１現場画像における第１識別エリアに基づき第１ケーブルを識別し、第１現場画像に基づき、第１ケーブルへ接続される第１ポートを識別し、最後に、トポロジ処理装置は、第１ＯＤＮデバイスと、第１ポートと、第１ケーブルとの間の第１対応を生成する。本願のこの実施形態で、第１ケーブルは、ＯＤＮ現場収集を通じて取得された第１現場画像を解析することによって、第１現場画像から識別され得、第１ケーブルが第１ＯＤＮデバイスの第１ポートへ接続されることも、識別され得る。更には、上記の画像識別結果に基づき、第１ＯＤＮデバイスと、第１ポートと、第１ケーブルとの間の対応が生成され得る。従って、先行技術と比較して、本願のこの実施形態では、ＯＤＮ上のリソースの自動ソート及びレビューが、紙ラベルを使用することによる記録なしで実施され、それにより、光分配ネットワーク内のリソースは、簡単に、速く、自動で、且つ確かにソートされ、それによって、人間リソースは削減され、ＯＤＮデバイスの管理効率は改善され、管理費用は削減される。
【００１１】
第１の態様の可能な実施において、デバイス識別エリアが第１ＯＤＮデバイス上に配置され、デバイス識別エリアは、第１ＯＤＮデバイスを識別するために使用され、第１現場画像は、デバイス識別エリアのイメージングを更に含み、方法は、トポロジ処理装置によって、第１現場画像におけるデバイス識別エリアに基づき第１ＯＤＮデバイスを識別することを更に含む。トポロジ処理装置によって取得される第１現場画像は、デバイス識別エリアを含む。例えば、第１現場画像は、デバイス識別エリアのイメージングを更に含み、第１ＯＤＮデバイスは、デバイス識別エリアのイメージングを識別することによって決定され得る。本願のいくつかの他の実施形態で、デバイス識別エリアを使用することによって第１ＯＤＮデバイスを識別することに加えて、トポロジ処理装置が、ユーザによって入力される第１ＯＤＮデバイスの識別子を更に取得してもよく、その識別子を使用することによって第１ＯＤＮデバイスを識別してもよいことは、制限されない。
【００１２】
第１の態様の可能な実施において、デバイス識別エリアは、第１ＯＤＮデバイスの識別子、第１ＯＤＮデバイスのポート配置様式、第１ＯＤＮデバイスのタイプ、第１ＯＤＮデバイスのシリアルナンバー、又は第１ＯＤＮデバイスの製造日、のうちの少なくとも１つの情報を示すために使用される。第１ＯＤＮデバイスの識別子は、他のＯＤＮデバイスのそれとは異なる識別子であってよい。例えば、識別子は識別コードであってよい。第１ＯＤＮデバイスのポート配置様式は、第１ＯＤＮデバイスの端面上のポート配置の様式である。例えば、ＯＤＮデバイスのポート配置様式は、ＯＤＮデバイスの各ポートが、全く遮られることなしに、ある角度での現場の端末による撮影を通じて識別され得ることを意味する。ポート配置様式は、単列ポート設計、二列ポート設計、及びＷ字型ポート設計を含むが限られない。第１ＯＤＮデバイスのタイプは、ＯＤＮデバイスの異なるタイプを区別するために使用される情報を指す。例えば、異なるタイプの情報が、異なるタイプのＯＤＮデバイスごとに設定されてよい。第１ＯＤＮデバイスのシリアルナンバーは、第１ＯＤＮデバイスと他のＯＤＮデバイスとを区別するために使用されてよい。第１ＯＤＮデバイスの製造日は、日付値によって形成された数字の列を指し、第１ＯＤＮデバイスの製造日も、第１ＯＤＮデバイスと他のＯＤＮデバイスとを区別するために使用されてよい。本願のこの実施形態におけるデバイス識別エリアの具体的な実施形態は、上記の例の１以上に制限されなくてもよいことが留意されるべきである。
【００１３】
第１の態様の可能な実施において、方法は、トポロジ処理装置によって第２現場画像を取得し、第２現場画像は、少なくとも第１光ネットワーク端末ＯＮＴの第２ポートのイメージングを含み、第２ポートは第１ケーブルへ接続される、ことと、トポロジ処理装置によって、第２現場画像に基づき、第１ケーブルへ接続される第２ポートを識別することと、トポロジ処理装置によって、第１ＯＮＴと、第２ポートと、第１ケーブルとの間の第２対応を生成することとを更に含む。本願のこの実施形態で、トポロジ処理装置は第２現場画像を取得する。例えば、トポロジ処理装置は現場の端末であり、現場の端末が、第１ＯＮＴの第２現場画像を更に収集してもよい。他の例として、トポロジ処理装置はネットワーク管理サーバであり、現場の端末が、第１ＯＮＴの第２現場画像を更に収集してもよく、次いで、現場の端末は、第２現場画像をネットワーク管理サーバへ送り、ネットワーク管理サーバは、現場の端末から第２現場画像を取得し得る。第１ＯＮＴは、少なくとも１つのポートを有している。例えば、第１ＯＮＴは第２ポートを含んでもよい。第１ＯＮＴの現場画像を収集する場合に、現場の端末は、第１ＯＮＴの第２ポートのイメージングを取得してもよい。第１ＯＮＴの第２ポートはケーブルへ接続される。例えば、第２ポートは、第１ケーブルへ接続されてもよく、この場合に、第１ＯＤＮデバイスは、第１ケーブルを通じて第１ＯＮＴへ接続される。
【００１４】
第１の態様の可能な実施において、方法は、トポロジ処理装置によって、第１対応及び第２対応に基づき第１物理トポロジを生成することを更に含む。トポロジ処理装置は、第１対応に基づき、第１ＯＤＮデバイスと、第１ポートと、第１ケーブルとが互いに対応していることを決定し、第２対応に基づき、第１ＯＮＴと、第２ポートと、第１ケーブルとが互いに対応していることを決定する。従って、トポロジ処理装置は、第１対応及び第２対応に基づき、第１ＯＤＮデバイスと、第１ＯＮＴと、第１ケーブルとの間の物理接続関係を決定し得る。従って、トポロジ処理装置は、第１物理トポロジを生成してよく、第１物理トポロジは、特定のデバイスと、デバイス間の物理接続関係とを含む。
【００１５】
第１の態様の可能な実施において、トポロジ処理装置は、現場の端末であり、方法は、トポロジ処理装置によって、第１物理トポロジをネットワーク管理サーバへ送ることを更に含む。ネットワーク管理サーバは、現場の端末から第１物理トポロジを受信し、第１物理トポロジを使用することによって、第１ＯＤＮデバイスと、第１ＯＮＴと、第１ケーブルとの間の物理接続関係を決定してよい。
【００１６】
第１の態様の可能な実施において、トポロジ処理装置は、ネットワーク管理サーバであり、トポロジ処理装置によって、光分配ネットワークＯＤＮから集められた第１現場画像を取得することは、トポロジ処理装置によって、現場の端末によって送られた第１現場画像を受信することを含み、第１現場画像は、現場の端末によって、ＯＤＮの現場画像を集めることによって取得される。現場の端末が、ＯＤＮの現場画像を集めることによって第１現場画像を取得した後、現場の端末は、第１現場画像をネットワーク管理サーバへ送信してよく、それにより、ネットワーク管理サーバは、現場の端末から第１現場画像を受信し得る。
【００１７】
第１の態様の可能な実施において、トポロジ処理装置は、現場の端末であり、方法は、トポロジ処理装置によって、第１対応をネットワーク管理サーバへ送ることを更に含む。現場の端末は、ネットワーク管理サーバと通信してよい。現場の端末が第１対応を生成した後、現場の端末は、第１対応をネットワーク管理サーバへ送信し、それにより、ネットワーク管理サーバは、第１対応を受信してよく、第１対応に基づき、第１ＯＤＮデバイスと、第１ポートと、第１ケーブルとが互いに対応していることを決定してよい。
【００１８】
第１の態様の可能な実施において、方法は、トポロジ処理装置によって、ＯＤＮから集められた第３現場画像を取得し、第３現場画像は、少なくとも第２ＯＤＮデバイスの第３ポートのイメージングを含み、第３ポートは第１ケーブルへ接続される、ことと、トポロジ処理装置によって、第３現場画像に基づき、第１ケーブルへ接続される第３ポートを識別することと、トポロジ処理装置によって、第２ＯＤＮデバイスと、第３ポートと、第１ケーブルとの間の第３対応を生成することとを更に含む。第１ＯＤＮデバイス及び第２ＯＤＮデバイスがカスケード接続されたＯＤＮデバイスである場合に、現場の端末は、第２ＯＤＮデバイスの現場画像を集めることによって、第３現場画像を取得してよい。トポロジ処理装置が、第１ケーブルを識別し、第１ケーブルが第２ＯＤＮデバイスの第３ポートへ接続されていることを識別した後、トポロジ処理装置は、第２ＯＤＮデバイスと、第３ポートと、第１ケーブルとの間の第３対応を生成してよい。例えば、第３対応は、第２ＯＤＮデバイスが第３ポートを通じて第１ケーブルへ接続されることを含んでよい。
【００１９】
第１の態様の可能な実施において、第１現場画像は、第１ＯＤＮデバイスの複数のポートのイメージングを更に含み、第１ケーブルへ接続される第１ポートを第１現場画像に基づき識別することは、トポロジ処理装置によって、複数のポートによって観測されるポート配置様式と、第１ケーブルとあるポートとの間の相対位置関係とに基づき、第１ポートを識別することを含む。各ポート番号は、第１ＯＤＮデバイスのポートの順序に基づき識別されてよく、各ポートへ接続される具体的なケーブルは、各ポートへ接続される第１ケーブルに基づき識別されてよい。本願のいくつかの他の実施形態で、第１ＯＤＮデバイスのポート番号が他の方法においても識別されてよいことは、制限されない。例えば、第２識別エリアが、第２識別エリアに対応するポートの具体的なポート番号を識別するために、ＯＤＮデバイスのポート上に配置されてもよい。
【００２０】
第１の態様の可能な実施において、トポロジ処理装置は、ネットワーク管理サーバであり、方法は、トポロジ処理装置によって、第１物理トポロジから第１ＯＮＴの第１ステータス情報を周期的に収集することと、トポロジ処理装置によって、事前設定された論理トポロジ生成アルゴリズムを使用することによって第１ステータス情報に対してステータス変化解析を実行し、ステータス変化解析結果に基づき、第１ＯＤＮデバイスと、第１ケーブルと、第１ＯＮＴとの間の対応を含む第１論理トポロジを生成することと、トポロジ処理装置によって、第１物理トポロジと第１論理トポロジとの間の比較解析を実行し、比較解析結果に基づき、第１物理トポロジが更新される必要があるかどうかを判定することとを更に含む。本願のこの実施形態で、トポロジ処理装置が第１論理トポロジを生成した後、トポロジ処理装置は、第１物理トポロジ及び第１論理トポロジに対して比較解析を実行し、例えば、第１物理トポロジ及び第１論理トポロジが異なった接続関係を有しているかどうかを比較し、例えば、第１ＯＤＮデバイスが第１ＯＮＴへ接続されることは、第１物理トポロジには記録されているが、第１ＯＤＮデバイスが第１ＯＮＴへ接続されることは、第１論理トポロジには記録されていない。最終的に、トポロジ処理装置は、比較解析結果に基づき、第１物理トポロジが更新される必要があるかどうかを判定してよい。本願のこの実施形態で提供されるトポロジ処理方法から、トポロジ処理装置は、ソートされるべき論理トポロジを自動的に整合し、ソートし、レビューし、それによって、光ファイバ分配ネットワーク内のリソースは自動的にソート及びレビューされ、光ファイバ分配ネットワーク内のリソースをソートする信頼性は改善されることが知られ得る。このようにして、光ネットワーク上のリソースは、簡単に、瞬時に、自動的に、且つ確かにソートされ、人間リソース投資は低減され、チェック効率は大いに改善され、光ネットワークリソースのチェック作業は規則化される。
【００２１】
第１の態様の可能な実施において、第１ステータス情報は、第１ＯＮＴの性能データ又は第１ＯＮＴの警報データを含む。第１ステータス情報は、第１ＯＮＴの実行ステータスの様々なステータスパラメータを含む。例えば、第１ステータス情報は、第１ＯＮＴの性能データ又は第１ＯＮＴの警報データを含む。第１ＯＮＴの性能データは、第１ＯＮＴの光出力、第１ＯＮＴのビットエラーレート、又は他のデータであってよい。第１ＯＮＴの警報データは、第１ＯＮＴによって送られる警報情報、例えば、第１ＯＮＴが切断される場合に送られる警報情報、又は第１ＯＮＴの光出力が閾値を超える場合に送られる警報情報であってよい。
【００２２】
第１の態様の可能な実施において、トポロジ処理装置によって、事前設定された論理トポロジ生成アルゴリズムを使用することによって第１ステータス情報に対してステータス変化解析を実行することは、トポロジ処理装置によって、第１ステータス情報に基づき、第１期間における第１ＯＮＴのステータス変化特徴を取得することと、トポロジ処理装置によって、第１期間における第１ＯＮＴのステータス変化特徴に対して類似性クラスタ解析を実行することとを含む。トポロジ処理装置は、第１ＯＮＴの第１ステータス情報を解析し、第１期間を設定し、第１期間における第１ＯＮＴのステータス変化特徴を取得する、すなわち、第１ＯＮＴのステータス変化パターンを取得してよい。本願のこの実施形態で、第１ＯＮＴは、特定のタイプの１以上のＯＮＴであってよいことが留意されるべきである。トポロジ処理装置は、類似性クラスタ解析法において、第１期間における第１ＯＮＴのステータス変化特徴に対して類似性クラスタ解析を実行する。例えば、同じ期間に同じ変化を有しているＯＮＴは、同じＯＤＮデバイスへ接続されているＯＮＴとして分類され、使用される方法には、データ特徴変化マイニング又はクラスタ解析があるが限られない。ＯＤＮデバイスのレベルが識別され、ＯＤＮ接続関係の変化が引き続きモニタされる。
【００２３】
第１の態様の可能な実施において、比較解析結果に基づき、物理トポロジが更新される必要があるかどうかを判定することは、比較解析結果が、第１物理トポロジ及び第１論理トポロジが異なった対応を有していることである場合に、トポロジ処理装置によって、現場調査指示を送り、現場調査結果に基づき、第１物理トポロジが更新される必要があるかどうかを判定することを含む。比較解析結果は、第１物理トポロジ及び第１論理トポロジが異なった対応を有していることである。例えば、第１物理トポロジ及び第１論理トポロジが異なった接続関係を有しているかどうかが、比較される。この場合に、トポロジ処理装置は、現場調査指示を送信する、すなわち、トポロジ処理装置は、警報メッセージを送信してよく、トポロジ処理装置は、現場での物理トポロジ故障修理を実行するために使用される作業命令を生成する。作業命令を受け取った後、実施エンジニアは、実際の状況に応じて、物理トポロジが更新される必要があるかどうかをフィードバックするために、ＯＤＮデバイスの場所に向かい、調整を行う。本願のこの実施形態で、第１物理トポロジ及び第１論理トポロジが異なった対応を有している場合に、トポロジ処理装置は、光通信ネットワークのメンテナンスを容易にし且つネットワーク管理効率を改善するために、現場調査指示を送る。
【００２４】
第１の態様の可能な実施において、第１ＯＤＮデバイスは、ファイバアクセス端末、スプリッティング及びスプライシングクロージャ、アクセス端末ボックス、又は光分配フレーム、のうちの少なくとも１つのデバイスを含む。ＯＤＮデバイスは、上記のいくつかのタイプのデバイスに限られないことが留意されるべきであり、ＯＤＮデバイスは、ＯＤＮ上の如何なるノードデバイスであってもよい。
【００２５】
第２の態様に従って、本願の実施形態は、光分配ネットワークＯＤＮから集められた第１現場画像を取得するよう構成される画像取得モジュールであり、第１現場画像は、少なくとも第１ＯＤＮデバイスの第１ポートのイメージングを含み、第１ポートは第１ケーブルへ接続され、第１ケーブルを識別するために使用される第１識別エリアは、第１ケーブル上に配置され、第１現場画像は、少なくとも第１ケーブル上の第１識別エリアのイメージングを更に含む、画像取得モジュールと、第１現場画像における第１識別エリアに基づき第１ケーブルを識別し、第１現場画像に基づき、第１ケーブルへ接続される第１ポートを識別するよう構成される画像識別モジュールと、第１ＯＤＮデバイスと、第１ポートと、第１ケーブルとの間の第１対応を生成するよう構成されるマッピングモジュールとを含むトポロジ処理装置を提供する。
【００２６】
第２の態様の可能な実施において、デバイス識別エリアが第１ＯＤＮデバイス上に配置され、デバイス識別エリアは、第１ＯＤＮデバイスを識別するために使用され、第１現場画像は、デバイス識別エリアのイメージングを更に含み、画像識別モジュールは、第１現場画像におけるデバイス識別エリアに基づき第１ＯＤＮデバイスを識別するよう更に構成される。
【００２７】
第２の態様の可能な実施において、デバイス識別エリアは、第１ＯＤＮデバイスの識別子、第１ＯＤＮデバイスのポート配置様式、第１ＯＤＮデバイスのタイプ、第１ＯＤＮデバイスのシリアルナンバー、又は第１ＯＤＮデバイスの製造日、のうちの少なくとも１つのタイプの情報を示すために使用される。
【００２８】
第２の態様の可能な実施において、画像取得モジュールは、第２現場画像を取得するよう更に構成され、第２現場画像は、少なくとも第１光ネットワーク端末ＯＮＴの第２ポートのイメージングを含み、第２ポートは第１ケーブルへ接続され、画像識別モジュールは、第２現場画像に基づき、第１ケーブルへ接続される第２ポートを識別するよう更に構成され、マッピングモジュールは、第１ＯＮＴと、第２ポートと、第１ケーブルとの間の第２対応を生成するよう更に構成される。
【００２９】
第２の態様の可能な実施において、トポロジ処理装置は、第１対応及び第２対応に基づき第１物理トポロジを生成するよう構成される物理トポロジ生成モジュールを更に含む。
【００３０】
第２の態様の可能な実施において、トポロジ処理装置は、現場の端末であり、トポロジ処理装置は、第１物理トポロジをネットワーク管理サーバへ送るよう構成される送信モジュールを更に含む。
【００３１】
第２の態様の可能な実施において、トポロジ処理装置は、ネットワーク管理サーバであり、画像取得モジュールは、現場の端末によって送られた第１現場画像を受信するよう構成され、第１現場画像は、現場の端末によって、ＯＤＮの現場画像を集めることによって取得される。
【００３２】
第２の態様の可能な実施において、トポロジ処理装置は、現場の端末であり、トポロジ処理装置は、第１対応をネットワーク管理サーバへ送るよう構成される送信モジュールを更に含む。
【００３３】
第２の態様の可能な実施において、トポロジ処理装置は、ネットワーク管理サーバであり、トポロジ処理装置は、第１物理トポロジから第１ＯＮＴの第１ステータス情報を周期的に収集するよう構成されるステータス収集モジュールと、事前設定された論理トポロジ生成アルゴリズムを使用することによって第１ステータス情報に対してステータス変化解析を実行し、ステータス変化解析結果に基づき、第１ＯＤＮデバイスと、第１ケーブルと、第１ＯＮＴとの間の対応を含む第１論理トポロジを生成するよう構成される論理トポロジ生成モジュールと、第１物理トポロジを第１論理トポロジと比較し、比較解析結果に基づき、第１物理トポロジが更新される必要があるかどうかを判定するよう構成されるトポロジ解析モジュールとを更に含む。
【００３４】
本願の第２の態様で、トポロジ処理装置のモジュールは、第１の態様及び可能な実施で記載されるステップを更に実行してよい。詳細については、第１の態様及び可能な実施における上記の説明を参照されたい。
【００３５】
第３の態様に従って、本願の実施形態は、他のトポロジ処理装置を提供する。トポロジ処理装置は、プロセッサ及びメモリを含む。プロセッサ及びメモリは互いに通信し、メモリは、命令を記憶するよう構成され、プロセッサは、メモリ内の命令を実行して、第１の態様又は可能な実施のうちのいずれか１つにおける方法を実行するよう構成される。
【００３６】
本願の第３の態様で、トポロジ処理装置のプロセッサは、第１の態様及び可能な実施で記載されるステップを更に実行してよい。詳細については、第１の態様及び可能な実施における上記の説明を参照されたい。
【００３７】
第４の態様に従って、本願の実施形態は、トポロジ処理システムを提供する。トポロジ処理システムは、現場の端末と、ネットワーク管理サーバとを含む。現場の端末は、光分配ネットワークＯＤＮから集められた第１現場画像を取得するよう構成され、第１現場画像は、少なくとも第１ＯＤＮデバイスの第１ポートのイメージングを含み、第１ポートは第１ケーブルへ接続され、第１ケーブルを識別するために使用される第１識別エリアは、第１ケーブル上に配置され、第１現場画像は、少なくとも第１ケーブル上の第１識別エリアのイメージングを更に含む。現場の端末は、第１現場画像をネットワーク管理サーバへ送るよう更に構成される。ネットワーク管理サーバは、第１現場画像を受信し、第１現場画像における第１識別エリアに基づき第１ケーブルを識別し、第１現場画像に基づき、第１ケーブルへ接続される第１ポートを識別し、第１ＯＤＮデバイスと、第１ポートと、第１ケーブルとの間の第１対応を生成するよう構成される。
【００３８】
第５の態様に従って、本願の実施形態は、他のトポロジ処理システムを提供する。トポロジ処理システムは、現場の端末と、ネットワーク管理サーバとを含む。現場の端末は、光分配ネットワークＯＤＮから集められた第１現場画像を取得し、このとき、第１現場画像は、少なくとも第１ＯＤＮデバイスの第１ポートのイメージングを含み、第１ポートは第１ケーブルへ接続され、第１ケーブルを識別するために使用される第１識別エリアは、第１ケーブル上に配置され、第１現場画像は、少なくとも第１ケーブル上の第１識別エリアのイメージングを更に含む、よう、第１現場画像における第１識別エリアに基づき第１ケーブルを識別し、第１現場画像に基づき、第１ケーブルへ接続される前記第１ポートを識別するよう、且つ、第１ＯＤＮデバイスと、第１ポートと、第１ケーブルとの間の第１対応を生成するよう構成される。現場の端末は、第１対応をネットワーク管理サーバへ送るよう更に構成される。ネットワーク管理サーバは、第１対応を受信し、第１対応に基づき、第１ＯＤＮデバイスと、第１ポートと、第１ケーブルとが互いに対応していることを決定するよう構成される。
【００３９】
第６の態様に従って、本願の実施形態は、コンピュータ可読記憶媒体を提供する。コンピュータ可読記憶媒体は、命令を記憶しており、命令がコンピュータで実行される場合に、コンピュータは、第１の態様における方法を実行することを可能にされる。
【００４０】
第７の態様に従って、本願の実施形態は、命令を含むコンピュータプログラム製品を提供する。命令がコンピュータで実行される場合に、コンピュータは、第１の態様における方法を実行することを可能にされる。
【００４１】
第８の態様に従って、本願の実施形態は、トポロジ処理装置を提供する。トポロジ処理装置は、現場の端末、ネットワーク管理サーバ、チップ、又は他のエンティティを含んでよい。トポロジ処理装置は、制御装置及びメモリを含む。メモリは、命令を記憶するよう構成される。制御装置は、メモリ内の命令を実行するよう構成され、それにより、トポロジ処理装置は、第１の態様又は可能な実施のうちのいずれか１つにおける方法を実行することを可能にされる。
【００４２】
第９の態様に従って、本願は、チップシステムを提供する。チップシステムは、上記の態様における機能を実装すること、例えば、上記の方法でデータ及び／又は情報を送信又は処理すること、において現場の端末又はネットワーク管理サーバを支援するよう構成される制御装置を含む。可能な設計において、チップシステムはメモリを更に含む。メモリは、現場の端末又はネットワーク管理サーバにとって必要であるプログラム命令及びデータを記憶するよう構成される。チップシステムはチップを含んでよく、あるいは、チップ及び他のディスクリートデバイスを含んでもよい。
【図面の簡単な説明】
【００４３】
【図１】本願の実施形態に従う光通信システムの構成の略構造図である。
【図２】本願の実施形態に従って複数のＯＤＮデバイスをカスケード接続する概略図である。
【図３】本願の実施形態に従うトポロジ処理システムの構成の略構造図である。
【図４】本願の実施形態に従うトポロジ処理方法の略ブロックフローチャートである。
【図５ａ】本願の実施形態に従う、ＯＤＮデバイスと、ポートと、ケーブルとの間の対応の概略図である。
【図５ｂ】本願の実施形態に従う、ＯＤＮデバイスと、ポートと、ケーブルとの間の対応の概略図である。
【図５ｃ】本願の実施形態に従うＯＤＮデバイスの複数のポートの配置様式の概略図である。
【図６】本願の実施形態に従う他のトポロジ処理方法の略ブロックフローチャートである。
【図７】本願の実施形態に従う他のトポロジ処理方法の略ブロックフローチャートである。
【図８】本願の実施形態に従う他のトポロジ処理方法の略ブロックフローチャートである。
【図９】本願の実施形態に従う、現場の端末とネットワーク管理サーバとの間のインタラクションの略フローチャートである。
【図１０】本願の実施形態に従う、現場の端末とネットワーク管理サーバとの間のインタラクションの他の略フローチャートである。
【図１１】本願の実施形態に従ってＯＤＮトポロジを管理する実施シナリオの概略図である。
【図１２】本願の実施形態に従う光通信ネットワークのシステムアーキテクチャの概略図である。
【図１３】本願の実施形態に従って現場の端末によってＯＤＮデバイス及び光ケーブル１の画像を収集する概略図である。
【図１４】本願の実施形態に従って現場の端末によってＯＤＮデバイス、光ケーブル１、及び光ケーブル２の画像を収集する概略図である。
【図１５ａ】本願の実施形態に従う、通常ケースにおけるＯＬＴ及びＯＮＴの受光電力の曲線の概略図である。
【図１５ｂ】本願の実施形態に従う、曲げケースにおけるＯＬＴ及びＯＮＴの受光電力の曲線の概略図である。
【図１５ｃ】本願の実施形態に従う、最初の曲げ不具合が起こる場合に得られる、ＯＬＴへ接続されている全てのＯＮＴの受光電力の曲線の概略図である。
【図１５ｄ】本願の実施形態に従う、第２時点について曲げ不具合が起こる場合に得られる、ＯＬＴへ接続されている全てのＯＮＴの受光電力の曲線の概略図である。
【図１６】本願の実施形態に従って現場の端末によってＯＤＮデバイス、光ケーブル１、光ケーブル２、及び光ケーブル３の画像を収集する概略図である。
【図１７】本願の実施形態に従って、図１４に示される光通信ネットワークに基づき更新されたシステムアーキテクチャの概略図である。
【図１８ａ】本願の実施形態に従うトポロジ処理システムの構成の略構造図である。
【図１８ｂ】本願の実施形態に従う他のトポロジ処理システムの構成の略構造図である。
【図１８ｃ】本願の実施形態に従う他のトポロジ処理システムの構成の略構造図である。
【図１８ｄ】本願の実施形態に従う他のトポロジ処理システムの構成の略構造図である。
【図１９】本願の実施形態に従う現場の端末の構成の略構造図である。
【図２０】本願の実施形態に従うネットワーク管理サーバの構成の略構造図である。
【発明を実施するための形態】
【００４４】
本願の実施形態は、ＯＤＮデバイスの管理効率を改善し且つ管理費用を下げるためのトポロジ処理方法、装置、及びシステムを提供する。
【００４５】
本願の実施形態における技術的解決法は、様々な光通信システムに適用されてよい。図１に示されるように、本願の実施形態で提供される光通信システムは、ＯＬＴ、ＯＤＮデバイス、及びｎ個のＯＮＴを含んでよい。本願の実施形態で、ＯＬＴは、ＯＤＮデバイスを使用することによって、ｎ個のＯＮＴへ接続されている。例えば、ｎ個のＯＮＴは、図１に示されるＯＮＴ０、・・・、ＯＮＴｎ−２、及びＯＮＴｎ−１であってよいＯＤＮデバイスは、受動コンポーネントであり、ＯＤＮデバイスは、ファイバアクセス端末（fiber  access  terminal，ＦＡＴ）、スプリッティング及びスプライシングクロージャ（ＳＳＣ，splitting  and  splicing  closure）、アクセス端末ボックス（access  terminal  box，ＡＴＢ）、又は光分配フレーム（optical  distribution  frame，ＯＤＦ）、のうちの少なくとも１つのデバイスを含む。光分配フレームは、例えば、光ファイバ通信システム内のセントラルオフィスエンドでフィーダ光ファイバを終端及び分配するよう構成され、それにより、光ファイバは、都合良く互いに接続され、割り当てられ、且つスケジューリングされ得る。ファイバアクセス端末は、分配光ケーブルをドロップケーブルへ接続することと、光ファイバの直接接続、分岐、及び保護とのために、光アクセスネットワークのユーザアクセスポイントに位置している。ファイバアクセス端末内には、光学スプリッタなどが配置されてもよい。スプリッティング及びスプライシングクロージャは、マンホールに又はハンドホールに設置可能である屋外クロージャであってよい。スプリッティング及びスプライシングクロージャは、光アクセスネットワークのアクセスポイントで主に使用され、光ファイバケーブルを接続及び分岐し、ドロップケーブルをユーザ端末から引き回すよう構成される。アクセス端末ボックスは、ドロップケーブルを屋内のＯＮＴへ接続するための受動デバイスである。アクセス端末ボックスは、ユーザの内壁に設置され、屋内のＯＮＴのための光学ポートを提供する。ＯＤＮデバイスは、上記のタイプのデバイスに限られないことが留意されるべきであり、ＯＤＮデバイスは、ＯＤＮじょうｎお如何なるノードデバイスであってもよい。
【００４６】
本願の実施形態で提供される光通信システムは、１段階のＯＤＮデバイスを含んでよく、この場合に、光通信システム内のＯＤＮは、レベル１光分岐様式を使用する。レベル１光分岐シナリオにおいて、ＯＬＴとＯＮＴとの間には、１段階のＯＤＮデバイスしか存在しない。代替的に、光通信システムは、複数段のＯＤＮデバイスを含んでもよく、この場合に、ＯＤＮは、複数レベル光分岐様式を使用する。図２は、本願の実施形態に従って複数のＯＤＮデバイスをカスケード接続する概略図である。例えば、レベル２光分岐様式では、レベル分岐シナリオにおいて、ＯＬＴとＯＮＴとの間に複数のＯＤＮデバイスが存在し、それらのＯＤＮデバイスは直列接続されている（カスケード接続されている、とも呼ばれる。）。例えば、光通信システムの全体構造において、ＯＬＴはＯＤＮデバイス１へ接続され、ＯＤＮデバイス１はＯＤＮデバイス２へ接続され、ＯＤＮデバイス２は更にＯＤＮデバイス３へ接続され、ＯＤＮデバイスｍ−１がＯＤＮデバイスｍへ接続されるまで続き、最後に、ＯＤＮデバイスｍはＯＮＴへ接続される。
【００４７】
紙ラベルを使用することによる手動記録の先行技術の問題を解消するために、本願の実施形態は、トポロジ処理システムを提供する。トポロジ処理システムに含まれるデバイスは、トポロジ処理装置である。具体的に、トポロジ処理装置は、本願のこの実施形態で提供されるトポロジ処理方法を実行してよく、トポロジ処理方法は、以下の実施形態で詳細に記載される。本願のこの実施形態で提供されるトポロジ処理装置は、具体的に、現場の端末であってよく、あるいは、トポロジ処理装置は、ネットワーク管理サーバであってもよい。図３は、本願の実施形態に従うトポロジ処理システムの構成の略構造図である。本願のこの実施形態で、現場の端末は、ネットワーク管理サーバと通信してよい。例えば、現場の端末は、無線ネットワーク又は有線ネットワークを通じてネットワーク管理サーバと通信してよい。
【００４８】
現場の端末は、現場インテリジェント端末とも呼ばれ得る。現場の端末は、ＯＤＮの現場画像を収集するよう構成される。例えば、現場の端末はカメラを備え、カメラは、現場画像を生成するように、現場のＯＤＮにおけるＯＤＮデバイス及びケーブルを撮影することができる。ケーブルは、複数のＯＤＮデバイスを接続するよう構成されるか、あるいは、ＯＤＮデバイスを光通信システム内の他のデバイスへ接続するよう構成される。例えば、ケーブルは、ＯＤＮデバイスとＯＮＴとを接続するよう構成され、ケーブルは、ＯＤＮデバイスとＯＬＴとを接続するよう更に構成されてもよい。ケーブルは通信媒体である。例えば、ケーブルは、光ケーブル、銅ケーブル、又は同軸ケーブルのうちの少なくとも１つを含んでよい。具体的に、光通信システムの適用シナリオに応じて、特定のケーブルが選択されてよく、これは、ここで制限されない。
【００４９】
異なるケーブルを識別するために、本願のこの実施形態で提供されるケーブルには予め作られた識別コードが存在してよい。例えば、環状識別コードがケーブル上に配置され、識別コードは、連続的に、又は交互に、ケーブル上に分布する。ケーブル上の識別コードは、現場の端末のカメラによって撮影され得る。ＯＤＮに複数のケーブルがある場合に、それら複数のケーブル上に別々に識別コードが配置され、各ケーブル上の識別コードの顕著な特徴は、ＯＤＮデバイス又は他のケーブルによって遮られず、それにより、現場の端末のカメラは、各ケーブル上の識別コードを成功裏に撮影することができる。例えば、本願のこの実施形態で、ケーブル上の識別コードは、バーコードであってよく、ケーブル上のバーコードは、識別子（ＩＤ）として使用され、このとき、識別コードは、１次元バーコード、２次元バーコード、カラーバーコード、及び他のバーコードパターンを含むが、それらに限られない。
【００５０】
本願のいくつかの実施形態で、ＯＤＮの現場画像を収集する機能に加えて、現場の端末は、画像解析能力を更に備えてよく、すなわち、現場画像からケーブルを識別し、そして、ケーブルへ接続されているＯＤＮデバイスのポートを識別するように、現場端末によって集められた現場画像を解析し得る。最後に、現場の端末は、更に、ＯＤＮデバイスと、ＯＤＮデバイスのポートと、ケーブルとの間の対応を生成し得る。例えば、対応は、ケーブルとＯＤＮデバイスとの間の物理接続関係を含んでよい。
【００５１】
本願のこの実施形態で提供されるネットワーク管理サーバは、光通信ネットワーク管理のために構成されたサーバである。例えば、ネットワーク管理サーバは、ＯＤＮトポロジ管理サーバであってよい。ネットワーク管理サーバは、ＯＤＮデバイスと、ＯＤＮデバイスのポートと、ケーブルとの間の対応を取得し得る。例えば、ネットワーク管理サーバは、現場の端末を使用することによってＯＤＮデバイスと、ＯＤＮデバイスのポートと、ケーブルとの間の対応を取得するように、現場の端末と相互作用してよい。他の例として、ネットワーク管理サーバは、更に、現場の端末から現場画像を取得し、現場の端末によって集められた現場画像を解析して、現場画像からケーブルを識別し、そして、ケーブルへ接続されているＯＤＮデバイスのポートを識別してもよい。最後に、ネットワーク管理サーバは、更に、ＯＤＮデバイスと、ＯＤＮデバイスのポートと、ケーブルとの間の対応を生成し得る。例えば、対応は、ケーブルとＯＤＮデバイスとの間の物理接続関係を含んでよい。
【００５２】
以下は、最初に、本願の実施形態で提供されるトポロジ処理方法について詳細に記載する。図４を参照すると、本願の実施形態は、トポロジ処理方法を提供し、主に次のステップを含む。
【００５３】
４０１．トポロジ処理装置は、ＯＤＮから集められた第１現場画像を取得し、このとき、第１現場画像は、少なくとも第１ＯＤＮデバイスの第１ポートのイメージングを含み、第１ポートは第１ケーブルへ接続され、第１ケーブルを識別するために使用される第１識別エリアは、第１ケーブル上に配置され、第１現場画像は、少なくとも第１ケーブル上の第１識別エリアのイメージングを更に含む。
【００５４】
本願のこの実施形態で、ポートはＯＤＮデバイスに配置されている。例えば、少なくとも１つのポートがＯＤＮデバイスの端面上に配置される。図５ａは、本願の実施形態に従う、ＯＤＮデバイスと、ポートと、ケーブルとの間の対応の概略図である。図５ａに示されるＯＤＮデバイスは、一例として使用される。ＯＤＮデバイスは３つのポート、すなわち、ポート１、ポート２、及びポート３を備えている。ＯＤＮデバイスは、ポートを通じてケーブルへ接続される。例えば、ケーブルは、ケーブルとＯＤＮデバイスとの間の物理接続を実装するように、ＯＤＮデバイスのポートに挿入される。図５ａでは、ケーブル１がＯＤＮデバイスのポート２に挿入されることが、一例として使用される。異なるケーブルを識別するために、本願のこの実施形態で提供されるケーブルには予め識別コードが存在してよい。例えば、識別エリアがケーブル上に配置される。図５ｂは、本願の実施形態に従う、ＯＤＮデバイスと、ポートと、ケーブルとの間の対応の概略図である。図５ｂは、ＯＤＮデバイスの３次元の図である。ＯＤＮデバイスは複数のポートを備え、各ポートは１つのケーブルへ接続され得る。例えば、ＯＤＮデバイスはポート１を備え、ポート１はケーブル１へ接続されている。図５ｃは、本願の実施形態に従うＯＤＮデバイスの複数のポートの配置様式の概略図である。ＯＤＮデバイスは複数のポートを備え、ＯＤＮデバイスでのポートの複数の配置様式が存在する。例えば、図５ｃは、二列ポート配置様式を示す。実際の適用では、ＯＤＮデバイスでのポートの配置様式は、ＯＤＮデバイスのタイプと、接続される必要があるケーブルの数とに基づき、決定されてよい。これは、単に、ここでの例示であり、本願のこの実施形態を制限する意図はない。
【００５５】
本願のいくつかの実施形態で、トポロジ処理装置は現場の端末であり、トポロジ処理装置が光分配ネットワークＯＤＮから集められた第１現場画像を取得するステップ４０１は、
現場の端末がＯＤＮの現場画像を収集して第１現場画像を取得することを含む。
【００５６】
本願のこの実施形態では、最初に、第１現場画像がＯＤＮから集められる。例えば、トポロジ処理装置が現場の端末である場合に、現場の端末は、第１現場画像を生成するように、ＯＤＮの現場画像を収集してよい。ＯＤＮは、第１ＯＤＮデバイス及び第１ケーブルを含み、第１ＯＤＮデバイスは第１ポートを備える。現場の端末がＯＤＮの現場画像を収集する場合に、現場の端末は、第１ポートと、第１ケーブル上の第１識別エリアとを撮影してよい。従って、第１現場画像は、少なくとも第１ＯＤＮデバイスの第１ポートのイメージングを含み、第１現場画像は更に、少なくとも第１ケーブル上の第１識別エリアのイメージングを含む。
【００５７】
本願のいくつかの実施形態で、トポロジ処理装置はネットワーク管理サーバであり、トポロジ処理装置が光分配ネットワークＯＤＮから集められた第１現場画像を取得するステップ４０１は、
トポロジ処理装置が、現場の端末から送られた第１現場画像を受信することを含み、このとき、第１現場画像は、現場の端末によって、ＯＤＮの現場画像を収集することによって取得される。
【００５８】
現場の端末が、ＯＤＮの現場画像を収集することによって第１現場画像を取得した後、現場の端末は、第１現場画像をネットワーク管理サーバへ送信してよく、それにより、ネットワーク管理サーバは、現場の端末から第１現場画像を受信し得る。
【００５９】
４０２．トポロジ処理装置は、第１現場画像における第１識別エリアに基づき第１ケーブルを識別し、第１現場画像に基づき、第１ケーブルへ接続される第１ポートを識別する。
【００６０】
本願のこの実施形態で、トポロジ処理装置が第１現場画像を取得した後、ステップ４０１の説明に基づき、第１現場画像には第１識別エリアが存在することが知られ得る。従って、トポロジ処理装置は、第１識別エリアをパースし、第１識別エリアに基づき第１ケーブルを識別し得る。例えば、トポロジ処理装置は、第１ケーブルの識別子を取得するように、第１識別エリア内の識別コードをパースしてよい。第１現場画像は第１ポートのイメージングを更に含むので、トポロジ処理装置は、第１現場画像に基づき、第１ケーブルへ接続されているポートが第１ＯＤＮデバイスの第１ポートであると決定し得る。例えば、トポロジ処理装置は、第１ＯＤＮデバイスのポート配置様式を取得し、第１ケーブルのケーブル画像に基づき、第１ＯＤＮデバイスの複数のポートの中のどのポートが第１ケーブルへ接続されているかを識別する。
【００６１】
本願のいくつかの実施形態で、ＯＤＮデバイスへ接続されているケーブルと、ケーブルの識別子とは、相互に遮られない。ケーブル及びケーブルの識別子は、ＯＤＮデバイスの特別なポート配置設計を使用することによって、特定の角度で撮影することにより識別され得る。ケーブル及びケーブルの識別子が特定の角度で撮影することにより識別され得ることは、現場の端末に近いケーブルの列が直接識別可能であり、１つの列又はいくつかの列のケーブルがその１つの例又はいくつかの例のケーブルと現場の端末の中ごろにあるケーブルとの間のギャップにより識別可能であることを意味する。識別可能であることは、ケーブルの顕著な特徴が遮られないことを意味し、顕著な特徴は、ケーブル識別において重要な役割を果たす画像特徴である。
【００６２】
本願のいくつかの実施形態で、図６は、本願の実施形態に従う他のトポロジ処理方法の略ブロックフローチャートである。第１ＯＤＮデバイスにはデバイス識別エリアが存在し、デバイス識別エリアは、第１ＯＤＮデバイスを識別するために使用され、第１現場画像は、デバイス識別エリアのイメージングを更に含む。本願のこの実施形態で提供されるトポロジ処理方法においてステップ４０１及びステップ４０２を実行することに加えて、ステップ４０２を実行する前に、トポロジ処理方法は、次のステップを更に実行してもよい。
【００６３】
４０４．トポロジ処理装置は、第１現場画像におけるデバイス識別エリアに基づき第１ＯＤＮデバイスを識別する。
【００６４】
トポロジ処理装置によって取得される第１現場画像は、デバイス識別エリアを含む。例えば、第１現場画像は、デバイス識別エリアのイメージングを更に含み、デバイス識別エリアの画像識別により第１ＯＤＮデバイスを決定し得る。
【００６５】
本願のいくつかの他の実施形態で、デバイス識別エリアを使用することによって第１ＯＤＮデバイスを識別することに加えて、トポロジ処理装置が、ユーザによって入力される第１ＯＤＮデバイスの識別子を更に取得してもよく、その識別子を使用することによって第１ＯＤＮデバイスを識別してもよいことは、制限されない。例えば、ユーザは、第１ＯＤＮデバイスの識別子を現場の端末に手動入力し、それにより、現場の端末又はネットワーク管理サーバは、第１ＯＤＮデバイスを識別する必要がない。
【００６６】
本願のいくつかの実施形態で、デバイス識別エリアは、第１ＯＤＮデバイスの識別子、第１ＯＤＮデバイスのポート配置様式、第１ＯＤＮデバイスのタイプ、第１ＯＤＮデバイスのシリアルナンバー、又は第１ＯＤＮデバイスの製造日、のうちの少なくとも１つの情報を示すために使用される。
【００６７】
第１ＯＤＮデバイスの識別子は、他のＯＤＮデバイスのそれとは異なる識別子であってよい。例えば、識別子は識別コードであってよい。第１ＯＤＮデバイスのポート配置様式は、第１ＯＤＮデバイスの端面上のポート配置の様式である。例えば、ＯＤＮデバイスのポート配置様式は、ＯＤＮデバイスの各ポートが、全く遮られることなしに、ある角度での現場の端末による撮影を通じて識別され得ることを意味する。ポート配置様式は、単列ポート設計、二列ポート設計、及びＷ字型ポート設計を含むが限られない。例えば、図５は、ＯＤＮデバイスの単列ポート設計を概略的に表す。第１ＯＤＮデバイスのタイプは、ＯＤＮデバイスの異なるタイプを区別するために使用される情報を指す。例えば、異なるタイプの情報が、異なるタイプのＯＤＮデバイスごとに設定されてよい。第１ＯＤＮデバイスのシリアルナンバーは、第１ＯＤＮデバイスと他のＯＤＮデバイスとを区別するために使用されてよい。例えば、第１ＯＤＮデバイスのシリアルナンバーは、ＳＮ＿ＦＡＴ０２であってよい。第１ＯＤＮデバイスの製造日は、日付値によって形成された数字の列を指す。例えば、ＯＤＮデバイスの製造日は２０１９０２０１０８２３であり、２０１９０２０１は、年、月、及び日を示し、０８２３は、製造時間を示す。第１ＯＤＮデバイスの製造日も、第１ＯＤＮデバイスと他のＯＤＮデバイスとを区別するために使用されてよい。本願のこの実施形態におけるデバイス識別エリアの具体的な実施形態は、上記の例の１以上に制限されなくてもよいことが留意されるべきである。
【００６８】
本願のいくつかの実施形態で、第１現場画像は、第１ＯＤＮデバイスの複数のポートのイメージングを更に含み、第１ケーブルへ接続される第１ポートを第１現場画像に基づき識別することは、
トポロジ処理装置が、複数のポートによって観測されるポート配置様式と、第１ケーブルとあるポートとの間の相対位置関係とに基づき、第１ポートを識別することを含む。
【００６９】
各ポート番号は、第１ＯＤＮデバイスのポートの順序に基づき識別されてよく、各ポートへ接続される具体的なケーブルは、各ポートへ接続される第１ケーブルに基づき識別されてよい。
【００７０】
本願のいくつかの他の実施形態で、第１ＯＤＮデバイスのポート番号が他の方法においても識別されてよいことは、制限されない。例えば、第２識別エリアが、第２識別エリアに対応するポートの具体的なポート番号を識別するために、ＯＤＮデバイスのポート上に配置されてもよい。ＯＤＮデバイスのポート識別様式は、ここで制限されない。
【００７１】
本願のステップ４０２で、現場の端末が、第１現場画像における第１識別エリアに基づき第１ケーブルを識別し、第１現場画像に基づき、第１ケーブルへ接続される第１ポートを識別してよい。代替的に、ネットワーク管理サーバが、第１現場画像における第１識別エリアに基づき第１ケーブルを識別し、第１現場画像に基づき、第１ケーブルへ接続される第１ポートを識別してもよい。具体的に、トポロジ処理装置が具体的に現場の端末又はネットワーク管理サーバであるかどうかは、適用シナリオに応じて決定されてよく、これは、ここで制限されない。
【００７２】
４０３．トポロジ処理装置は、第１ＯＤＮデバイスと、第１ポートと、第１ケーブルとの間の第１対応を生成する。
【００７３】
本願のこの実施形態で、トポロジ処理装置が、第１ケーブルを識別し、且つ、第１ケーブルが第１ＯＤＮデバイスの第１ポートへ接続されることを識別した後、トポロジ処理装置は、第１ＯＤＮデバイスと、第１ポートと、第１ケーブルとの間の第１対応を生成してよい。例えば、第１対応は、第１ＯＤＮデバイスが第１ポートを通じて第１ケーブルへ接続されることを含んでよい。
【００７４】
本願のステップ４０３で、現場の端末が、第１ＯＤＮデバイスと、第１ポートと、第１ケーブルとの間の第１対応を生成してよい。代替的に、ネットワーク管理サーバが、第１ＯＤＮデバイスと、第１ポートと、第１ケーブルとの間の第１対応を生成してもよい。具体的に、トポロジ処理装置が具体的に現場の端末又はネットワーク管理サーバであるかどうかは、適用シナリオに応じて決定されてよく、これは、ここで制限されない。
【００７５】
更には、本願のいくつかの実施形態で、トポロジ処理装置は、現場の端末であり、すなわち、ステップ４０３で、現場の端末が、第１ＯＤＮデバイスと、第１ポートと、第１ケーブルとの間の第１対応を生成する。この実施シナリオにおいて、本願のこの実施形態で提供されるトポロジ処理方法は、次の、
トポロジ処理装置が、第１対応をネットワーク管理サーバへ送る
ステップを更に含んでよい。
【００７６】
現場の端末は、ネットワーク管理サーバと通信してよい。現場の端末が第１対応を生成した後、現場の端末は、第１対応をネットワーク管理サーバへ送信し、それにより、ネットワーク管理サーバは、第１対応を受信してよく、第１対応に基づき、第１ＯＤＮデバイスと、第１ポートと、第１ケーブルとが互いに対応していることを決定してよい。
【００７７】
本願のいくつかの実施形態で、図７は、本願の実施形態に従う他のトポロジ処理方法の略ブロックフローチャートである。本願のこの実施形態で提供されるトポロジ処理方法においてステップ４０１乃至ステップ４０３を実行することに加えて、トポロジ処理装置は、次のステップを更に実行してよい。
【００７８】
４０５．トポロジ処理装置は第２現場画像を取得し、このとき、第２現場画像は、少なくとも第１ＯＮＴの第２ポートのイメージングを含み、第２ポートは第１ケーブルへ接続される。
【００７９】
本願のこの実施形態で、トポロジ処理装置は第２現場画像を取得する。例えば、トポロジ処理装置は現場の端末であり、現場の端末が、第１ＯＮＴの第２現場画像を更に収集してもよい。他の例として、トポロジ処理装置はネットワーク管理サーバであり、現場の端末が、第１ＯＮＴの第２現場画像を更に収集してもよく、次いで、現場の端末は、第２現場画像をネットワーク管理サーバへ送り、ネットワーク管理サーバは、現場の端末から第２現場画像を取得し得る。第１ＯＮＴは、少なくとも１つのポートを備える。例えば、第１ＯＮＴは第２ポートを含んでもよい。第１ＯＮＴの現場画像を収集する場合に、現場の端末は、第１ＯＮＴの第２ポートのイメージングを取得してもよい。第１ＯＮＴの第２ポートはケーブルへ接続される。例えば、第２ポートは、第１ケーブルへ接続されてもよく、この場合に、第１ＯＤＮデバイスは、第１ケーブルを通じて第１ＯＮＴへ接続される。他の例として、第２ポートは、第２ケーブルへ接続されてもよく、第２ケーブルの他方の端部が第２ＯＤＮデバイスへ接続されている場合には、第２ＯＤＮデバイスが第２ケーブルを通じて第１ＯＮＴへ接続されている。
【００８０】
４０６．トポロジ処理装置は、第２現場画像に基づき、第１ケーブルへ接続される第２ポートを識別する。
【００８１】
本願のこの実施形態で、第２現場画像は、少なくとも第１ＯＮＴの第２ポートのイメージングを含む。従って、トポロジ処理装置は、第２現場画像に基づき、第１ケーブルへ接続される第２ポートを識別し得る。詳細については、ステップ４０２におけるケーブルとポートとの間の接続の識別方法の説明を参照されたい
【００８２】
４０７．トポロジ処理装置は、第１ＯＮＴと、第２ポートと、第１ケーブルとの間の第２対応を生成する。
【００８３】
本願のこの実施形態で、トポロジ処理装置が、第１ケーブルを識別し、且つ、第１ケーブルが第１ＯＮＴの第２ポートへ接続されることを識別した後、トポロジ処理装置は、第１ＯＮＴと、第２ポートと、第１ケーブルとの間の第１対応を生成してよい。例えば、第１対応は、第１ＯＮＴが第１ポートを通じて第１ケーブルへ接続されることを含んでよい。
【００８４】
本願のステップ４０７で、現場の端末が、第１ＯＮＴと、第２ポートと、第１ケーブルとの間の第１対応を生成してよい。代替的に、ネットワーク管理サーバが、第１ＯＮＴと、第２ポートと、第１ケーブルとの間の第１対応を生成してもよい。具体的に、トポロジ処理装置が具体的に現場の端末又はネットワーク管理サーバであるかどうかは、適用シナリオに応じて決定されてよく、これは、ここで制限されない。
【００８５】
本願のいくつかの実施形態で、図７に示されるように、トポロジ処理装置が第２対応を生成した後、本願のこの実施形態で提供されるトポロジ処理方法は、次のステップを更に含んでよい。
【００８６】
４０８．トポロジ処理装置は、第１対応及び第２対応に基づき第１物理トポロジを生成する。
【００８７】
トポロジ処理装置は、第１対応に基づき、第１ＯＤＮデバイスと、第１ポートと、第１ケーブルとが互いに対応していることを決定し、第２対応に基づき、第１ＯＮＴと、第２ポートと、第１ケーブルとが互いに対応していることを決定する。従って、トポロジ処理装置は、第１対応及び第２対応に基づき、第１ＯＤＮデバイスと、第１ＯＮＴと、第１ケーブルとの間の物理接続関係を決定し得る。従って、トポロジ処理装置は、第１物理トポロジを生成してよく、第１物理トポロジは、特定のデバイスと、デバイス間の物理接続関係とを含む。
【００８８】
本願のステップ４０８で、現場の端末が、第１対応及び第２対応に基づき第１物理トポロジを生成してよい。代替的に、ネットワーク管理サーバが、第１対応及び第２対応に基づき第１物理トポロジを生成してもよい。具体的に、トポロジ処理装置が具体的に現場の端末又はネットワーク管理サーバであるかどうかは、適用シナリオに応じて決定されてよく、これは、ここで制限されない。
【００８９】
更に、本願のいくつかの実施形態で、トポロジ処理装置は、現場の端末であり、すなわち、ステップ４０８で、現場の端末が、第１対応及び第２対応に基づき第１物理トポロジを生成する。この実施シナリオにおいて、本願のこの実施形態で提供されるトポロジ処理方法は、次の、
トポロジ処理装置が、第１物理トポロジをネットワーク管理サーバへ送る
ステップを更に含んでよい。
【００９０】
ネットワーク管理サーバは、現場の端末から第１物理トポロジを受信し、第１物理トポロジを使用することによって、第１ＯＤＮデバイスと、第１ＯＮＴと、第１ケーブルとの間の物理接続関係を決定してよい。
【００９１】
本願のいくつかの実施形態で、本願のこの実施形態で提供されるトポロジ処理方法においてステップ４０１乃至ステップ４０８を実行することに加えて、トポロジ処理装置は、次の、
トポロジ処理装置が、ＯＤＮから集められた第３現場画像を取得するステップであり、このとき、第３現場画像は、少なくとも第２ＯＤＮデバイスの第３ポートのイメージングを含み、第３ポートは第１ケーブルへ接続される、ステップと、
トポロジ処理装置が、第３現場画像に基づき、第１ケーブルへ接続される第３ポートを識別するステップと、
トポロジ処理装置が、第２ＯＤＮデバイスと、第３ポートと、第１ケーブルとの間の第３対応を生成するステップと
を更に実行してもよい。
【００９２】
第１ＯＤＮデバイス及び第２ＯＤＮデバイスがカスケード接続されたＯＤＮデバイスである場合に、現場の端末は、第２ＯＤＮデバイスの現場画像を集めることによって、第３現場画像を取得してよい。トポロジ処理装置が、第１ケーブルを識別し、第１ケーブルが第２ＯＤＮデバイスの第３ポートへ接続されていることを識別した後、トポロジ処理装置は、第２ＯＤＮデバイスと、第３ポートと、第１ケーブルとの間の第３対応を生成してよい。例えば、第３対応は、第２ＯＤＮデバイスが第３ポートを通じて第１ケーブルへ接続されることを含んでよい。
【００９３】
本願のいくつかの実施形態で、本願のこの実施形態で提供されるトポロジ処理方法においてステップ４０１乃至ステップ４０８を実行することに加えて、トポロジ処理装置は、次の、
トポロジ処理装置が、第４現場画像を取得するステップであり、このとき、第４現場画像は、少なくとも第１ＯＬＴの第４ポートのイメージングを含み、第４ポートは第１ケーブルへ接続される、ステップと、
トポロジ処理装置が、第４現場画像に基づき、第１ケーブルへ接続される第４ポートを識別するステップと、
トポロジ処理装置が、第１ＯＮＴと、第４ポートと、第１ケーブルとの間の第４対応を生成するステップと
を更に実行してもよい。
【００９４】
現場の端末は、第４現場画像を取得するように、第１ＯＬＴの現場画像を更に収集してよい。トポロジ処理装置が、第１ケーブルを識別し、且つ、第１ケーブルが第１ＯＬＴの第４ポートへ接続されていることを識別した後、トポロジ処理装置は、第１ＯＬＴと、第４ポートと、第１ケーブルとの間の第４対応を生成してよい。例えば、第４対応は、第１ＯＬＴが第４ポートを通じて第１ケーブルへ接続されることを含んでよい。
【００９５】
更には、本願のいくつかの実施形態で、本願のこの実施形態で提供されるトポロジ処理方法は、次の、
トポロジ処理装置が、第１対応及び第４対応に基づき第１物理トポロジを生成するステップ
を更に含んでもよい。
【００９６】
トポロジ処理装置は、第１対応に基づき、第１ＯＤＮデバイスと、第１ポートと、第１ケーブルとが互いに対応していることを決定し、第４対応に基づき、第１ＯＬＴと、第４ポートと、第１ケーブルとが互いに対応していることを決定する。従って、トポロジ処理装置は、第１対応及び第４対応に基づき、第１ＯＤＮデバイスと、第１ＯＬＴと、第１ケーブルとの間の物理接続関係を決定し得る。従って、トポロジ処理装置は、第２物理トポロジを生成してよく、第２物理トポロジは、特定のデバイスと、デバイス間の物理接続関係とを含む。
【００９７】
本願のいくつかの実施形態で、図８は、本願の実施形態に従う他のトポロジ処理方法の略ブロックフローチャートである。トポロジ処理装置はネットワーク管理サーバである。本願のこの実施形態で提供されるトポロジ処理方法においてステップ４０８を実行することに加えて、トポロジ処理装置は、次のステップを更に実行してよい。
【００９８】
４０９．トポロジ処理装置は、第１物理トポロジから第１ＯＮＴの第１ステータス情報を周期的に収集する。
【００９９】
本願のこの実施形態で、ステップ４０８において、現場の端末が、第１物理トポロジを生成し、次いで、第１物理トポロジをネットワーク管理サーバへ送ってよい。代替的に、ネットワーク管理サーバが第１物理トポロジを生成してもよい。ネットワーク管理サーバが第１物理トポロジを取得した後、ネットワーク管理サーバは、第１物理トポロジを基準として使用することによって、第１物理トポロジから第１ＯＮＴの第１ステータス情報を周期的に収集する。ステータス情報の収集期間の長さは、ここで制限されず、収集期間は、具体的に、適用シナリオに応じて設定されてよい。
【０１００】
第１ステータス情報は、第１ＯＮＴの実行ステータスの様々なステータスパラメータを含む。例えば、第１ステータス情報は、第１ＯＮＴの性能データ又は第１ＯＮＴの警報データを含む。第１ＯＮＴの性能データは、第１ＯＮＴの光出力、第１ＯＮＴのビットエラーレート、又は他のデータであってよい。第１ＯＮＴの警報データは、第１ＯＮＴによって送られる警報情報、例えば、第１ＯＮＴが切断される場合に送られる警報情報、又は第１ＯＮＴの光出力が閾値を超える場合に送られる警報情報であってよい。
【０１０１】
本願のいくつかの他の実施形態で、トポロジ処理装置が第２物理トポロジを更に取得してよく、第２物理トポロジが第１ＯＬＴを更に含む場合に、トポロジ処理装置は、第２物理トポロジから第１ＯＬＴの第２ステータス情報を周期的に収集し、このとき、第２ステータス情報は、第１ＯＬＴの性能データ又は第１ＯＬＴの警報データを含む。
【０１０２】
４１０．トポロジ処理装置は、事前設定された論理トポロジ生成アルゴリズムを使用することによって第１ステータス情報に対してステータス変化解析を実行し、ステータス変化解析結果に基づき、第１ＯＤＮデバイスと、第１ケーブルと、第１ＯＮＴとの間の対応を含む第１論理トポロジを生成する。
【０１０３】
本願のこの実施形態で、第１ＯＮＴの第１ステータス情報を取得した後、トポロジ処理装置は、第１ＯＮＴの第１ステータス情報に対してステータス変化解析を実行してよい。例えば、本願のこの実施形態で、トポロジ処理装置は、論理トポロジ生成アルゴリズムを使用してよく、論理トポロジ生成アルゴリズムは、第１ＯＮＴの第１ステータス情報のステータス変化を解析し、第１ＯＮＴの第１ステータス情報のステータス変化に基づき、どの特定のＯＤＮデバイスが特定のＯＮＴへ接続されているかを識別するためのステータス変化解析方法を含んでよい。例えば、複数のＯＮＴのステータス変化パターンが期間内に同じ変化を有している場合には、それらのＯＮＴは同じＯＤＮデバイスへ接続されている。制限なしに、本願のこの実施形態で使用される論理トポロジ生成アルゴリズムは、複数の実施を有しており、対応するステータス変化解析方法が、収集されたステータス情報の異なる内容に基づき使用されてよい。ステータス情報解析を通じて、どのＯＮＴが同じＯＤＮデバイスへ接続されているかが識別され得、どのＯＮＴが異なるＯＤＮデバイスに属するかが識別され得、そして、ステータス情報解析を通じて、どのＯＮＴが不良であって、光信号を処理不能であるかも識別され得る。
【０１０４】
本願のこの実施形態で、ステータス変化解析を完了した後、トポロジ処理装置は、ステータス変化解析結果を取得し、最後に、ステータス変化解析結果に基づき第１論理トポロジを生成してよい。第１論理トポロジは、第１ＯＤＮデバイスと、第１ケーブルと、第１ＯＮＴとの間の対応を含む。
【０１０５】
本願のいくつかの他の実施形態で、トポロジ処理装置が第２物理トポロジを更に取得してよく、第２物理トポロジが第１ＯＬＴを更に含む場合に、トポロジ処理装置は、第２物理トポロジから第１ＯＬＴの第２ステータス情報を周期的に収集し、第１ＯＬＴの第２ステータス情報に基づきステータス変化解析を実行し、ステップ４１０での第１ステータス情報のステータス変化解析を参照して、ステータス変化解析結果に基づき、第１ＯＬＴと、第１ＯＤＮデバイスと、第１ケーブルと、第１ＯＮＴとの間の対応を含む第２論理トポロジを生成する。
【０１０６】
本願のいくつかの実施形態で、トポロジ処理装置が、事前設定された論理トポロジ生成アルゴリズムを使用することによって第１ステータス情報に対してステータス変化解析を実行することは、
トポロジ処理装置が、第１ステータス情報に基づき、第１期間における第１ＯＮＴのステータス変化特徴を取得することと、
トポロジ処理装置が、第１期間における第１ＯＮＴのステータス変化特徴に対して類似性クラスタ解析を実行することと
を含む。
【０１０７】
トポロジ処理装置は、第１ＯＮＴの第１ステータス情報を解析し、第１期間を設定し、第１期間における第１ＯＮＴのステータス変化特徴を取得する、すなわち、第１ＯＮＴのステータス変化パターンを取得してよい。本願のこの実施形態で、第１ＯＮＴは、特定のタイプの１以上のＯＮＴであってよいことが留意されるべきである。トポロジ処理装置は、類似性クラスタ解析法において、第１期間における第１ＯＮＴのステータス変化特徴に対して類似性クラスタ解析を実行する。例えば、同じ期間に同じ変化を有しているＯＮＴは、同じＯＤＮデバイスへ接続されているＯＮＴとして分類され、使用される方法には、データ特徴変化マイニング又はクラスタ解析があるが限られない。ＯＤＮデバイスのレベルが識別され、ＯＤＮ接続関係の変化が引き続きモニタされる。
【０１０８】
４１１．トポロジ処理装置は、第１物理トポロジと第１論理トポロジとの間の比較解析を実行し、比較解析結果に基づき、第１物理トポロジが更新される必要があるかどうかを判定する。
【０１０９】
本願のこの実施形態で、トポロジ処理装置が第１論理トポロジを生成した後、トポロジ処理装置は、第１物理トポロジ及び第１論理トポロジに対して比較解析を実行し、例えば、第１物理トポロジ及び第１論理トポロジが異なった接続関係を有しているかどうかを比較し、例えば、第１ＯＤＮデバイスが第１ＯＮＴへ接続されることは、第１物理トポロジには記録されているが、第１ＯＤＮデバイスが第１ＯＮＴへ接続されることは、第１論理トポロジには記録されていない。最終的に、トポロジ処理装置は、比較解析結果に基づき、第１物理トポロジが更新される必要があるかどうかを判定してよい。本願のこの実施形態で提供されるトポロジ処理方法から、トポロジ処理装置は、ソートされるべき論理トポロジの変化を自動的に整合し、ソートし、レビューし、それによって、光ファイバ分配ネットワーク内のリソースは自動的にソート及びレビューされ、光ファイバ分配ネットワーク内のリソースをソートする信頼性は改善されることが知られ得る。このようにして、光ネットワーク上のリソースは、簡単に、瞬時に、自動的に、且つ確かにソートされ、人間リソース投資は低減され、チェック効率は大いに改善され、光ネットワークリソースのチェック作業は規則化される。
【０１１０】
本願のいくつかの実施形態で、比較解析結果に基づき、物理トポロジが更新される必要があるかどうかを判定するステップ４１１は、
比較解析結果が、第１物理トポロジ及び第１論理トポロジが異なった対応を有していることである場合に、トポロジ処理装置によって、現場調査指示を送り、現場調査結果に基づき、第１物理トポロジが更新される必要があるかどうかを判定することを含む。
【０１１１】
比較解析結果は、第１物理トポロジ及び第１論理トポロジが異なった対応を有していることである。例えば、第１物理トポロジ及び第１論理トポロジが異なった接続関係を有しているかどうかが、比較される。この場合に、トポロジ処理装置は、現場調査指示を送信する、すなわち、トポロジ処理装置は、警報メッセージを送信してよく、トポロジ処理装置は、現場での物理トポロジ故障修理を実行するために使用される作業命令を生成する。作業命令を受け取った後、実施エンジニアは、実際の状況に応じて、物理トポロジが更新される必要があるかどうかをフィードバックするために、ＯＤＮデバイスの場所に向かい、調整を行う。本願のこの実施形態で、第１物理トポロジ及び第１論理トポロジが異なった対応を有している場合に、トポロジ処理装置は、光通信ネットワークのメンテナンスを容易にし且つネットワーク管理効率を改善するために、現場調査指示を送る。
【０１１２】
本願のいくつかの実施形態で、図３に示されるトポロジ処理システムに基づき、トポロジ処理システムは、現場の端末と、ネットワーク管理サーバとを含む。図９は、本願の実施形態に従う、現場の端末とネットワーク管理サーバとの間のインタラクションの略フローチャートである。インタラクションは、主に、次のステップを含む。
【０１１３】
９０１．現場の端末は、光分配ネットワークＯＤＮから集められた第１現場画像を取得し、このとき、第１現場画像は、少なくとも第１ＯＤＮデバイスの第１ポートのイメージングを含み、第１ポートは第１ケーブルへ接続され、第１ケーブル上には、第１ケーブルを識別するために使用される第１識別エリアが存在し、第１現場画像は、少なくとも第１ケーブル上の第１識別エリアのイメージングを更に含む。
【０１１４】
９０２．現場の端末は、第１現場画像をネットワーク管理サーバへ送る。
【０１１５】
９０３．ネットワーク管理サーバは、第１現場画像を受信する。
【０１１６】
９０４．ネットワーク管理サーバは、第１現場画像における第１識別エリアに基づき第１ケーブルを識別し、第１現場画像に基づき、第１ケーブルへ接続される第１ポートを識別する。
【０１１７】
９０５．ネットワーク管理サーバは、第１ＯＤＮデバイスと、第１ポートと、第１ケーブルとの間の第１対応を生成する。
【０１１８】
上記の例示から、最初に、ＯＤＮから集められた第１現場画像が取得され、このとき、第１現場画像は、少なくとも第１ＯＤＮデバイスの第１ポートのイメージングを含み、第１ポートは第１ケーブルへ接続され、第１ケーブル上には、第１ケーブルを識別するために使用される第１識別エリアが存在し、第１現場画像は、少なくとも第１ケーブルの第１識別エリアのイメージングを更に含み、第１ケーブルが、第１現場画像における第１識別エリアに基づき識別され、第１ケーブルへ接続される第１ポートが、第１現場画像に基づき識別され、最後に、第１ＯＤＮデバイスと、第１ポートと、第１ケーブルとの間の第１対応が生成されることが知られ得る。本願のこの実施形態で、第１ケーブルは、ＯＤＮ現場収集を通じて取得された第１現場画像を解析することによって、第１現場画像から識別され得、第１ケーブルが第１ＯＤＮデバイスの第１ポートへ接続されることも、識別され得る。更には、上記の画像識別結果に基づき、第１ＯＤＮデバイスと、第１ポートと、第１ケーブルとの間の対応が生成され得る。従って、先行技術と比較して、本願のこの実施形態では、ＯＤＮ上のリソースの自動ソート及びレビューが、紙ラベルを使用することによる記録なしで実施され、それにより、光分配ネットワーク内のリソースは、簡単に、速く、自動で、且つ確かにソートされ、それによって、人間リソースは削減され、ＯＤＮデバイスの管理効率は改善され、管理費用は削減される。
【０１１９】
本願のいくつかの他の実施形態で、図３に示されるトポロジ処理システムに基づき、トポロジ処理システムは、現場の端末と、ネットワーク管理サーバとを含む。図１０は、本願の実施形態に従う、現場の端末とネットワーク管理サーバとの間のインタラクションの他の略フローチャートである。インタラクションは、主に、次のステップを含む。
【０１２０】
１００１．現場の端末は、光分配ネットワークＯＤＮから集められた第１現場画像を取得し、このとき、第１現場画像は、少なくとも第１ＯＤＮデバイスの第１ポートのイメージングを含み、第１ポートは第１ケーブルへ接続され、第１ケーブル上には、第１ケーブルを識別するために使用される第１識別エリアが存在し、第１現場画像は、少なくとも第１ケーブル上の第１識別エリアのイメージングを更に含む。
【０１２１】
１００２．現場の端末は、第１現場画像における第１識別エリアに基づき第１ケーブルを識別し、第１現場画像に基づき、第１ケーブルへ接続される前記第１ポートを識別する。
【０１２２】
１００３．現場の端末は、第１ＯＤＮデバイスと、第１ポートと、第１ケーブルとの間の第１対応を生成する。
【０１２３】
１００４．現場の端末は、第１対応をネットワーク管理サーバへ送る。
【０１２４】
１００５．ネットワーク管理サーバは、第１対応を受信する。
【０１２５】
１００６．ネットワーク管理サーバは、第１対応に基づき、第１ＯＤＮデバイスと、第１ポートと、第１ケーブルとが互いに対応していることを決定する。
【０１２６】
上記の例示から、最初に、ＯＤＮから集められた第１現場画像が取得され、このとき、第１現場画像は、少なくとも第１ＯＤＮデバイスの第１ポートのイメージングを含み、第１ポートは第１ケーブルへ接続され、第１ケーブル上には、第１ケーブルを識別するために使用される第１識別エリアが存在し、第１現場画像は、少なくとも第１ケーブルの第１識別エリアのイメージングを更に含み、第１ケーブルが、第１現場画像における第１識別エリアに基づき識別され、第１ケーブルへ接続される第１ポートが、第１現場画像に基づき識別され、最後に、第１ＯＤＮデバイスと、第１ポートと、第１ケーブルとの間の第１対応が生成されることが知られ得る。本願のこの実施形態で、第１ケーブルは、ＯＤＮ現場収集を通じて取得された第１現場画像を解析することによって、第１現場画像から識別され得、第１ケーブルが第１ＯＤＮデバイスの第１ポートへ接続されることも、識別され得る。更には、上記の画像識別結果に基づき、第１ＯＤＮデバイスと、第１ポートと、第１ケーブルとの間の対応が生成され得る。従って、先行技術と比較して、本願のこの実施形態では、ＯＤＮ上のリソースの自動ソート及びレビューが、紙ラベルを使用することによる記録なしで実施され、それにより、光分配ネットワーク内のリソースは、簡単に、速く、自動で、且つ確かにソートされ、それによって、人間リソースは削減され、ＯＤＮデバイスの管理効率は改善され、管理費用は削減される。
【０１２７】
本願の実施形態における上記の解決法をより良く理解し実施するために、以下は、詳細な記載のために、対応する適用シナリオを一例として使用する。
【０１２８】
従来紙ラベルを使用してＰＯＮ内のＯＤＮデバイスにラベルを付すことによって引き起こされていた光ネットワーク内の低いリソース精度及び不便な情報更新の問題を解決するために、本願の実施形態は、光ネットワーク内のトポロジリソース（例えば、光ファイバリソース、ポートリソース、及び光ファイバ接続関係）を正確に管理するように、光ネットワークリソースをインテリジェントに識別し、且つ、ＯＤＮデバイス間の接続関係を自動で決定する方法を提供する。新たに作られた物理トポロジ１が基準として使用され、それから、ＯＤＮトポロジ管理サーバは、論理トポロジ２を確立するために、膨大なＯＬＴステータス情報及びＯＮＴステータス情報を定期的に解析する。変化した論理トポロジ２が、物理的な現場での故障修理を推進するために使用され、最新の物理トポロジ１が、論理トポロジ２を較正するために使用される。このようにして、ＯＤＮトポロジは、正確に修復され得、それによって、メンテナンス業務エンジニアの作業効率及び光ネットワークリソースに対する管理能力を改善する助けとなる。
【０１２９】
本願のこの実施形態で、トポロジは、ネットワークノードデバイス及び通信デバイスを含むネットワーク構造を指す。物理トポロジダイアグラムは、ＯＤＮデバイス間の実際の物理接続に基づく識別を通じて取得されるネットワーク構造である。物理トポロジダイアグラムに基づき、故障が起こるか、又は故障が起ころうとしている場合に、物理トポロジダイアグラムは、どのネットワークデバイスが不良であるかをネットワーク管理者に対して適時の特定の方法で表すことができる。例えば、ネットワーク上のスイッチが不良である場合には、物理トポロジダイアグラムに基づき、ネットワークシステムは、大量のスイッチデバイスのうちのどのスイッチが不良であるか、及びどのネットワークデバイスがこのポートへ接続されているかを管理者に対して明らかにすることができる。これは、ネットワーク管理者のためにメンテナンスを容易にする。
【０１３０】
本願のこの実施形態で提供されるこのネットワーク管理サーバは、具体的に、ＯＤＮトポロジ管理サーバであってよい。ＯＤＮトポロジ管理サーバは、論理トポロジを生成する。論理トポロジは、物理トポロジを使用することによってどのようしてデバイスが互いに通信するか、を明らかにする。本願のこの実施形態で、論理トポロジを取得するために、光出力及び他のステータス情報のような、ＯＬＴ及びＯＮＴの通信サービスデータを解析することによって、ネットワーク構造が取得される。
【０１３１】
図１１は、本願の実施形態に従ってＯＤＮトポロジを管理する実施シナリオの概略図である。実施シナリオは、主に、次のプロシージャを含む。
【０１３２】
最初に、ＯＤＮデバイスが、ＯＤＮサイトで構成される。例えば、ＯＤＮデバイスは端末ボックスであってよく、端末ボックスには光学スプリッタが配置される。例えば、端末ボックス、ケーブル、又は端末ボックス及びケーブルには予め作られたバーコード識別子が存在し、例えば、ケーブルは光ケーブルである。現場の端末は、端末ボックス及び光ケーブルのような構成要素の画像と、端末ボックス及び光ケーブル上のバーコードの画像とを収集する。ＯＤＮトポロジ管理サーバ又は現場の端末は、物理トポロジ１を生成する。ＯＤＮトポロジ管理サーバ又は現場の端末は、更に、データガバナンス、例えば、無効値クリアや、ボックス本体、ボックス本体のポート、並びに光ケーブルのタイプ及びポジションを識別することや、ＯＤＮデバイスのバーコード識別子を識別すること、を実行する必要がある。ＯＤＮトポロジ管理サーバは、現場での識別を実行し、デバイス間のトポロジ結果１を生成し、現場トポロジに基づき決定されたトポロジ結果１を基準として使用し、サーバのデータベースにトポロジ結果１を格納する。ＯＬＴ及びＯＮＴのステータス情報は、定期的に又は実時間で収集される。例えば、ＯＬＴ及びＯＮＴの性能データ及び警報データが収集されてよい。ＯＤＮトポロジ管理サーバは、論理トポロジ２を生成し、次いで、クラスタ解析、キーパフォーマンスインジケータ（key  performance  indicator，ＫＰＩ）特徴変化マイニング、データガバナンス（無効値クリア）、などを実行する。サーバは、データ解析を通じてトポロジ結果２を取得する。ＯＤＮトポロジ管理サーバは、トポロジ結果２と、基準として使用されるトポロジ結果１との間の差を周期的に比較する。基準として使用されるトポロジ結果１に対してトポロジ結果２の変化がある場合には、現場のトポロジ故障修理が、実行されることに駆られる。
【０１３３】
本願の実施形態は、機能強化されたＯＤＮネットワークトポロジ管理システムを提供する。端末ボックスと光ケーブルとの間の接続関係は、現場の端末、ＯＤＮトポロジ管理サーバ、端末ボックス、及び光ケーブルが含まれる画像識別方法で生成される。
【０１３４】
（１）端末ボックス及び光ケーブルに予め作られたバーコードがＩＤ識別子として使用され、１次元バーコード、２次元バーコード、カラーバーコード、及び他のバーコードパターンがあるが限られない。
【０１３５】
（２）現場の端末は、端末ボックス及び光ケーブルのような構成要素の写真又は映像と、構成要素上のバーコードＩＤの写真又は映像とを収集する。画像解析を通じて、ボックス本体、ボックス本体のポート、及び光ケーブルのタイプ及びポジション、並びに構成要素上のＩＤ識別子が識別され得る。
【０１３６】
（３）ＯＤＮデバイス間の接続関係は自動的に識別及び生成され得、物理トポロジ１が基準として生成され、そして、情報は、ＯＤＮトポロジ管理サーバへ報告され、データベースに格納される。
【０１３７】
（４）新たに作られた物理トポロジ１が基準として使用され、次いで、ＯＤＮトポロジ管理サーバは、論理トポロジ２を確立するために、膨大なＯＬＴステータス情報及びＯＮＴステータス情報を定期的に解析し、このとき、ステータス情報には、光出力及びＢＥＲが含まれる。
【０１３８】
（５）変化した論理トポロジ２が、現場での物理的な現場故障修理を推進するために使用され、最新の物理トポロジ１が、論理トポロジ２を較正するために使用される。このようにして、ＯＤＮトポロジは、正確に修復される。
【０１３９】
具体的に、物理トポロジ１は、初期構成において基準として使用され、ＯＤＮ物理トポロジ１は、新しいＯＤＮに関して画像識別を通じて生成され、このとき、ＯＤＮ物理トポロジ１は、光学スプリッタのポートレベルに絞り込まれ、物理トポロジ１に関する情報は、ＯＤＮトポロジ管理サーバへ報告される。
【０１４０】
ＯＤＮトポロジ管理サーバは、論理トポロジ生成アルゴリズムを使用することによってＯＤＮ論理トポロジ２を生成し、ＯＬＴを使用することによって実時間で又は周期的に、ＯＬＴポートへ接続されるＯＮＴの光出力のようなステータス情報をモニタし、同じ光学スプリッタへ接続されるＯＮＴと同じ期間内に同じ変化を有するＯＮＴを分類する。使用される方法には、データ特徴変化マイニング、クラスタ解析、などがあるが限られない。光学スプリッタのレベルが識別され、ＯＤＮ接続関係の変化が引き続きモニタされ、論理トポロジ２に関する情報がＯＤＮトポロジ管理サーバへ報告される。
【０１４１】
ＯＤＮが構築される場合に、論理トポロジ２は、物理トポロジ１に基づき較正される。次いで、ＯＤＮトポロジ管理サーバは、論理トポロジ生成アルゴリズムに基づき生成されるＯＤＮ論理トポロジ２を、ＯＤＮ画像識別により生成される物理トポロジ１と比較し、引き続きＯＤＮ論理トポロジ２をリフレッシュする。論理トポロジ２が基準と不一致である場合には、事前警告が行われるか、又は不一致を特定及び比較するために指示が送られるか、あるいは、手動レビューが実行される。現場の構成エンジニアは、物理トポロジ１が変化したかどうかをチェックし、現場での識別により得られた物理トポロジ１に基づき基準を確立し直すために、ＯＤＮの場所に向かう。
【０１４２】
本願のこの実施形態で提供されるトポロジ処理方法では、レベル２光学スプリッタネットワークが、説明のために一例として使用される。ネットワークは、単に、説明のために使用され、本願のこの実施形態を限定するために使用されない。図１２は、本願の実施形態に従う光通信ネットワークのシステムアーキテクチャの概略図である。光通信ネットワークは、ＯＬＴ１、レベル１光学スプリッタ、レベル２光学スプリッタＩ、レベル２光学スプリッタＩＩ、ＯＮＴ  Ｂ＿１、ＯＮＴ  Ｃ＿１、及びＯＮＴＣ＿２を含んでよい。Ａ、Ｂ、及びＣは、現場の端末の撮影ポジションを指す。例えば、レベル２分岐シナリオでの現場構成フェーズにおいて、レベル１光学スプリッタＡの結合器エンドはＯＬＴ０１へ接続され、２つのレベル２光学スプリッタ、すなわち、光学スプリッタＢ及び光学スプリッタＣは、スプリッタエンドに設置される。光学スプリッタＢ及び光学スプリッタＣは、端末ボックスにおいて設置され、光学スプリッタのポート番号は、端末ボックスのポート番号と一対一の対応にある。
【０１４３】
ＯＮＴ  Ｂ＿１は、光学スプリッタＢのポート上に設置される必要があると仮定される。現場構成のために必要とされる光ケーブルコネクタ上で、端末ボックスに近い一方の側にある環状バーコードがＩＤ識別子として使用される。構成エンジニアは、レベル２光学スプリッタＢで、ＯＮＴ  Ｂ＿１及び光学スプリッタＢを端末ボックスのポート１へ接続するケーブルの一端を設置し、次いで、端末ボックス及びケーブルのような構成要素の写真又は映像と、端末ボックス上及びケーブル上のバーコードの写真又は映像とを、画像収集装置を使用することによって収集する。図１３は、本願の実施形態に従って、現場の端末によってＯＤＮデバイス及び光ケーブル１の画像を収集する概略図である。端末ボックスと光ケーブルとの間の物理接続関係は、光学スプリッタＢ（すなわち、レベル２光学スプリッタＩ）での撮影を通じて確立される。
【０１４４】
ＯＤＮトポロジ管理サーバ又は現場のインテリジェント端末は、物理トポロジ１の部分である、光学スプリッタＢのポジションでの接続関係をインテリジェントに生成する。接続関係は、端末ボックスモデルがＨＷ２８０２であること、シリアルナンバーがＳＮ＿ＦＡＴ０１であること、光学スプリッタＢが内部に設置されていること、及び全部で４つのポートがあることを識別するために使用されてよい。ポート１は、シリアルナンバーがＳＮ＿ＣＡＢＬＥ２００１であって、長さが１００メートルである光ケーブルへ接続される。残り３つのポートは、光ケーブルが挿入されていないということで、空いている。
【０１４５】
光ケーブルの他端は、端末ユーザの家でＯＮＴ  Ｂ＿１へ接続され、現場のインテリジェント端末は、光ケーブルとＯＮＴ  Ｂ＿１との間の接続関係を記録する。レベル２光学スプリッタＢと、光ケーブルと、ＯＮＴ  Ｂ＿１との間の、現場で決定された接続関係は、物理トポロジ１を生成するための基準として使用され、物理トポロジ１は、サーバのデータベースに格納される
【０１４６】
表１は、本願のこの実施形態で提供される、レベル２光学スプリッタＢからＯＮＴへの部分的な物理トポロジ１を示す。
【表１】
2021517370.tif 000003
【０１４７】
図１４は、本願の実施形態に従って、現場の端末によってＯＤＮデバイス、光ケーブル１、及び光ケーブル２の画像を収集する概略図である。端末ボックスと光ケーブルとの間の物理接続関係は、光学スプリッタＣ（レベル２光学スプリッタＩＩ）での撮影を通じて確立される。同様に、レベル２光学スプリッタＣで、構成エンジニアは、ＯＮＴ  Ｃ＿１及びＯＮＴ  Ｃ＿２へ接続されているケーブルの一端を端末ボックス２の対応するポートに挿入する。次いで、画像収集装置が、端末ボックス及び光ケーブルのような構成要素の写真又は映像と、端末ボックス及び光ケーブル上のバーコードの写真又は映像とを収集するために使用される。
【０１４８】
ＯＤＮトポロジ管理サーバ又は現場のインテリジェント端末は、物理トポロジ１の部分である、光学スプリッタＢのポジションでの接続関係をインテリジェントに生成する。接続関係は、端末ボックスモデルがＨＷ２８０２であること、シリアルナンバーがＳＮ＿ＦＡＴ０２であること、光学スプリッタＣが内部に設置されていること、及び全部で４つのポートがあることを識別するために使用されてよい。ポート３及び４は、光ケーブルが挿入されていないということで、空いている。ポート１は、シリアルナンバーがＳＮ＿ＣＡＢＬＥ２００２であって、長さが５０メートルである光ケーブルへ接続される。光ケーブルの他端は、端末ユーザの家でＯＮＴ  Ｃ＿１へ接続され、光ケーブルとＯＮＴ  Ｂ＿１との間の接続関係が記録される。各光ケーブルは一意のＩＤナンバーを有している。配信時に、長さ情報がＩＤナンバーに結びつけられ、ＯＤＮトポロジ管理サーバに格納され、光ケーブルの長さは、ＩＤがこの次に識別される場合に決定され得る。
【０１４９】
ポート２は、シリアルナンバーがＳＮ＿ＣＡＢＬＥ２００３であって、長さが１５０メートルである光ケーブルへ接続される。光ケーブルの他端は、端末ユーザの家でＯＮＴ  Ｃ＿２へ接続され、現場のインテリジェント端末は、光ケーブルとＯＮＴ  Ｃ＿２との間の接続関係を記録する。
【０１５０】
レベル２光学スプリッタＣと、光ケーブルＳＮ＿ＣＡＢＬＥ２００２と、光ケーブルＳＮ＿ＣＡＢＬＥ２００３と、ＯＮＴ  Ｃ＿１と、ＯＮＴ  Ｃ＿２との間の、現場で決定された接続関係は、物理トポロジ１を生成するための基準として使用され、物理トポロジ１は、サーバのデータベースに格納される。表２は、本願のこの実施形態で提供される、レベル２光学スプリッタＣからＯＮＴへの部分的な物理トポロジ１を示す。
【表２】
2021517370.tif 000004
【０１５１】
完全なＯＤＮ物理トポロジ１は、レベル２光学スプリッタの現場トポロジと、レベル１光学スプリッタの構成中に記録された現場トポロジに関する情報との組み合わせに基づき生成され、ＯＤＮトポロジ管理サーバのデータベースに基準トポロジとして格納される。表３は、本願の実施形態で提供される完全なＯＤＮ物理トポロジ１を示す。
【表３】
2021517370.tif 000005
【０１５２】
ＯＤＮトポロジ管理サーバには２つの論理メモリが存在する。メモリ１は、物理トポロジを記憶し、メモリ２は、論理トポロジを記憶する。ＯＤＮトポロジ管理サーバにおけるメモリ２内の論理トポロジ２について、データベース内の物理トポロジ１が最初の基準として使用され、ＯＬＴ及びＯＮＴの性能データ及び警報データが定期的に収集され、光学モジュールの定常状態、ジッタ、及び傾向のような特徴がオンラインモニタリングのために取り出される。光学モジュールのキーパラメータ情報は、ＫＰＩ特徴と呼ばれる。ＫＰＩ変化マイニングが、主にグループ挙動類似性識別を通じて、ＯＬＴの１つのポートへ接続されている全てのＯＮＴに対して実行され、このとき、ウィンドウ内の時間シーケンス挙動の類似性クラスタが主に使用される。これは、ＯＮＴエンドでレベル２光学スプリッタからＯＤＮネットワークへのトポロジ発見のために使用され得る。不具合が起こる時点から、不具合が続く期間を経て、不具合が正される時点までの期間は、時間ウィンドウと呼ばれる。時間ウィンドウ内の異なるＯＮＴの受光電力変化の異なる曲線に基づいて、ＯＮＴは異なるタイプに分類され、同様のタイプのＯＮＴは、同じレベル２光学スプリッタへ接続されるＯＮＴとして分類される。
【０１５３】
図１５ａは、本願の実施形態に従う、通常ケースにおけるＯＬＴ及びＯＮＴの受光電力の曲線の概略図であり、図１５ｂは、本願の実施形態に従う、光ケーブルの曲げケースにおけるＯＬＴ及びＯＮＴの受光電力の曲線の概略図である。ＯＮＴの受光電力は、通常ケースでは比較的に安定している。しかし、光ケーブルのセグメントが、ＯＬＴからＯＮＴへのリンクにわたって不良であるとき、ＯＮＴの受光電力は、不具合期間に低下する。不具合が正された後、ＯＮＴの受光電力は回復する。ここで、原理は、ＯＮＴの受光電力をモニタする例を使用することによってのみ記載され、他のパラメータもモニタされてもよい。詳細は、ここでは１つずつは記載されない。
【０１５４】
ＯＤＮトポロジ管理サーバにおけるメモリ２内の論理トポロジ２は、ＯＬＴ０１へ接続されているＯＤＮネットワーク上の全てのＯＮＴの受光電力を定期的に収集し、このとき、ＯＮＴは、ＯＮＴ  Ｂ＿１、ＯＮＴ  Ｃ＿１、及びＯＮＴ  Ｃ＿２を含む。ＫＰＩ特徴変化が特徴として使用され、ウィンドウ内の時間シーケンス挙動の類似性クラスタが実行される。これは、ＯＮＴエンドでレベル２光学スプリッタからＯＤＮネットワークへのトポロジ発見のために使用され得る。
【０１５５】
レベル１光学スプリッタＡとレベル２光学スプリッタＣとの間の光ケーブル上で初めて曲げ不具合が起こる場合に、図１５ｃは、本願の実施形態に従う、曲げ不具合が初めて起こる場合にＯＬＴへ接続されている全てのＯＮＴの受光電力の曲線の概略図である。ＯＮＴ  Ｃ＿１及びＯＮＴ  Ｃ＿２の受光電力は、不具合が起こる場合にほぼ同時に低下する。ＯＮＴ  Ｃ＿１及びＯＮＴ  Ｃ＿２は両方とも、不具合が正されない期間中、比較的に低い受光電力で動作する。比べると、ＯＮＴとＯＮＴ  Ｂ＿１との間のＯＤＮリンクは不良でないので、ＯＮＴ  Ｂ＿１の受光電力は、この期間中、変化しない。不具合が正された後、ＯＮＴ  Ｃ＿１及びＯＮＴ  Ｃ＿２は両方とも、前の正常な受光電力に回復される。類似したＯＮＴインジケータの解析に基づき、ＯＮＴ  Ｃ＿１及びＯＮＴ  Ｃ＿２は同じレベル２光学スプリッタのネットワークに位置し、一方、ＯＮＴ  Ｂ＿１は異なったレベル２光学スプリッタに位置することが知られ得る。
【０１５６】
ＯＤＮトポロジ管理サーバは、ＯＮＴステータス情報の変化を収集及び解析し、論理トポロジ構造２を生成してよい。ＯＤＮトポロジ管理サーバは、トポロジ結果２と、基準として使用されるトポロジ結果１との間の差を定期的に比較する。決定結果が、トポロジ結果２がトポロジ結果１と一致することである場合には、ＯＤＮネットワークの現在のトポロジデータは、較正を必要とせずに、正確であることが決定される。
【０１５７】
ＯＤＮトポロジ管理サーバにおけるメモリ２内の論理トポロジ２は、ＯＬＴ０１へ接続されているＯＤＮネットワーク上の全てＯＮＴの受光電力を定期的に収集する。
【０１５８】
ある時点で、曲げ不具合が、第２時点について、レベル１光学スプリッタＡとレベル２光学スプリッタＣとの間の光ケーブル上で起こる場合に、図１５ｄは、本願の実施形態に従う、第２時点について曲げ不具合が起こる場合にＯＬＴへ接続されている全てのＯＮＴの受光電力の曲線の概略図である。ＯＮＴ  Ｃ＿１、ＯＮＴ  Ｃ＿２、及びＯＮＴ  Ｃ＿３の受光電力は、不具合が起こる場合にほぼ同時に低下する。ＯＮＴ  Ｃ＿１、ＯＮＴ  Ｃ＿２、及びＯＮＴ  Ｃ＿３は全て、不具合が正されない期間中、比較的に低い受光電力で動作する。比べると、ＯＬＴとＯＮＴ  Ｂ＿１との間のＯＤＮリンクは不良でないので、ＯＮＴ  Ｂ＿１の受光電力は、この期間中、変化しない。不具合が正された後、ＯＮＴ  Ｃ＿１、ＯＮＴ  Ｃ＿２、及びＯＮＴ  Ｃ＿３は全て、前の正常な受光電力に回復される。類似したＯＮＴインジケータの解析に基づき、ＯＮＴ  Ｃ＿１、ＯＮＴ  Ｃ＿２、及びＯＮＴ  Ｃ＿３は同じレベル２光学スプリッタのネットワークに位置し、一方、ＯＮＴ  Ｂ＿１は異なったレベル２光学スプリッタに位置することが知られ得る。
【０１５９】
ＯＤＮトポロジ管理サーバは、論理トポロジ構造２を生成し、ＯＤＮトポロジ管理サーバは、トポロジ結果２と、基準として使用されるトポロジ結果１との間の差を定期的に比較し、この場合に、決定結果は、トポロジ結果２がトポロジ結果１と一致することである。基準として使用される物理トポロジ１において、光学スプリッタＢは２つのＯＮＴ、すなわち、ＯＮＴ  Ｃ＿１及びＯＮＴ  Ｃ＿２へしか接続されないからである。しかし、クラスタ解析により得られる現在の論理トポロジ２では、光学スプリッタＢは、３つのＯＮＴ、すなわち、ＯＮＴ  Ｃ＿１、ＯＮＴ  Ｃ＿２、及びＯＮＴ  Ｃ＿３へ接続されている。従って、ＯＤＮネットワークの現在のトポロジデータは不正確である可能性があると決定され、事前警告が送出される。エラーは、現場での異常な操作、メンテナンス記録がないことにより変化がデータベースにアップロードされないために、変化した物理トポロジ１が更新されないこと、又はクラスタ解析により生成された正しい論理トポロジ２が誤っていること、を含むがそれらに限られない理由によって、引き起こされる可能性がある。
【０１６０】
事前警告が送出された後、ＯＤＮトポロジ管理サーバは、物理トポロジ１のための現場での故障修理を促進するために使用される作業命令を生成する。作業命令を受け取った後、構成エンジニアは、光学スプリッタＢの場所に向かい、調査を行って、光学スプリッタＢのポート３が新しい光ケーブル及び新しいユーザへ接続されていることを見つける。しかし、構成エンジニアは、情報を記録し忘れ、その結果として、物理トポロジ１は、ＯＤＮトポロジ管理サーバにおいて更新されない。
【０１６１】
構成エンジニアは、画像収集装置を使用することによって現場で、端末ボックス及び光ケーブルのような構成要素の写真又は映像と、端末ボックス及び光ケーブル上のバーコードの写真又は映像とを収集する。図１６は、本願の実施形態に従って、現場の端末によってＯＤＮデバイス、光ケーブル１、光ケーブル２、及び光ケーブル３の画像を収集する概略図である。端末ボックスと光ケーブルとの間の物理接続関係は、光学スプリッタＣでの撮影を通じて確立される。
【０１６２】
ＯＤＮトポロジ管理サーバ又は現場のインテリジェント端末は、物理トポロジ１の部分である、光学スプリッタＢのポジションでの接続関係をインテリジェントに生成する。接続関係は、端末ボックスモデルがＨＷ２８０２であること、シリアルナンバーがＳＮ＿ＦＡＴ０２であること、光学スプリッタＣが内部に設置されていること、及び全部で４つのポートがあることを識別するために使用されてよい。新たに設置されたポート３は、シリアルナンバーがＳＮ＿ＣＡＢＬＥ２００４であって、長さが１００メートルである光ケーブルへ接続されている。光ケーブルの他端は、端末ユーザの家でＯＮＴ  Ｃ＿３へ接続され、光ケーブルとＯＮＴ  Ｃ＿３との間の接続関係が記録される。レベル２光学スプリッタＣと、光ケーブルと、ＯＮＴ  Ｃ＿３との間の、現場で決定された接続関係は、光学スプリッタＣからＯＮＴへの物理トポロジをリフレッシュする基準として使用される。表４に示されるように、ＯＤＮネットワークの物理トポロジ１は、同期してリフレッシュされ（表５に示される。）、サーバのデータベースに格納される。目下のＯＤＮ物理トポロジ１に対応する接続関係は、図１７に示される。図１７は、本願の実施形態に従って、図１４に示される光通信ネットワークに基づき更新により得られたシステムアーキテクチャの概略図である。ＯＤＮトポロジ管理サーバは、リフレッシュされた物理トポロジ１を基準として使用し、リフレッシュされた物理トポロジ１をデータベースに記録する。
【０１６３】
表４は、本願のこの実施形態で提供される、レベル２光学スプリッタＣからＯＮＴへの部分的な物理トポロジ１を示す。
【表４】
2021517370.tif 000006
【０１６４】
表５は、本願のこの実施形態で提供される完全なＯＤＮ物理トポロジ１を示す。
【表５】
2021517370.tif 000007
【０１６５】
本願のこの実施形態では、構成段階及び再構成段階において、画像認識を通じて、ＯＤＮリソース管理精度は改善され、現場での手動による記録及びラベル印刷は時間がかかり且つエラーを起こしやすいという問題は、解決される。これは、構成効率を改善することに加えて、関連する技術における低いＯＤＮリソース管理精度の問題を解決する。その後に、ＯＤＮトポロジサーバは、ソートされるべき論理トポロジの変化を自動的に整合し、ソートし、レビューし、それによって、光ファイバ分配ネットワーク内のリソースは自動的にソート及びレビューされ、光ファイバ分配ネットワーク内のリソースをソートする信頼性は改善される。このようにして、光ネットワーク上のリソースは、簡単に、瞬時に、自動的に、且つ確かにソートされ、人間リソース投資は低減され、チェック効率は大いに改善され、光ネットワークリソースのチェック作業は規則化される。
【０１６６】
以下は最初に、本願の実施形態で提供されるトポロジ処理装置について詳細に記載する。図１８ａを参照すると、本願の実施形態は、
光分配ネットワークＯＤＮから集められた第１現場画像を取得するよう構成される画像取得モジュール１８０１であり、第１現場画像は、少なくとも第１ＯＤＮデバイスの第１ポートのイメージングを含み、第１ポートは第１ケーブルへ接続され、第１ケーブル上には、第１ケーブルを識別するために使用される第１識別エリアが存在し、第１現場画像は、少なくとも第１ケーブル上の第１識別エリアのイメージングを更に含む、画像取得モジュール１８０１と、
第１現場画像における第１識別エリアに基づき第１ケーブルを識別し、第１現場画像に基づき、第１ケーブルへ接続される第１ポートを識別するよう構成される画像識別モジュール１８０２と、
第１ＯＤＮデバイスと、第１ポートと、第１ケーブルとの間の第１対応を生成するよう構成されるマッピングモジュール１８０３と
を含むトポロジ処理装置１８００を提供する。
【０１６７】
本願のいくつかの実施形態で、第１ＯＤＮデバイス上にはデバイス識別エリアが存在し、デバイス識別エリアは、第１ＯＤＮデバイスを識別するために使用され、第１現場画像は、デバイス識別エリアのイメージングを更に含み、画像識別モジュール１８０２は、第１現場画像におけるデバイス識別エリアに基づき第１ＯＤＮデバイスを識別するよう更に構成される。
【０１６８】
本願のいくつかの実施形態で、デバイス識別エリアは、第１ＯＤＮデバイスの識別子、第１ＯＤＮデバイスのポート配置様式、第１ＯＤＮデバイスのタイプ、第１ＯＤＮデバイスのシリアルナンバー、又は第１ＯＤＮデバイスの製造日、のうちの少なくとも１つの情報を示すために使用される。
【０１６９】
本願のいくつかの実施形態で、画像取得モジュール１８０１は、第２現場画像を取得するよう更に構成され、第２現場画像は、少なくとも第１光ネットワーク端末ＯＮＴの第２ポートのイメージングを含み、第２ポートは第１ケーブルへ接続され、
画像識別モジュール１８０２は、第２現場画像に基づき、第１ケーブルへ接続される第２ポートを識別するよう更に構成され、
マッピングモジュール１８０３は、第１ＯＮＴと、第２ポートと、第１ケーブルとの間の第２対応を生成するよう更に構成される。
【０１７０】
本願のいくつかの実施形態で、図１８ｂに示されるように、トポロジ処理装置１８００は、
第１対応及び第２対応に基づき第１物理トポロジを生成するよう構成される物理トポロジ生成モジュール１８０４を更に含む。
【０１７１】
本願のいくつかの実施形態で、トポロジ処理装置１８００は、現場の端末であり、トポロジ処理装置１８００は、
第１物理トポロジをネットワーク管理サーバへ送るよう構成される送信モジュール１８０５を更に含む。
【０１７２】
本願のいくつかの実施形態で、トポロジ処理装置１８００は、ネットワーク管理サーバであり、画像取得モジュール１８０１は、現場の端末によって送られた第１現場画像を受信するよう構成され、第１現場画像は、現場の端末によって、ＯＤＮの現場画像を集めることによって取得される。
【０１７３】
本願のいくつかの実施形態で、図１８ｃに示されるように、トポロジ処理装置１８００は、現場の端末であり、トポロジ処理装置１８００は、
第１対応をネットワーク管理サーバへ送るよう構成される送信モジュール１８０５を更に含む。
【０１７４】
本願のいくつかの実施形態で、図１８ｄに示されるように、トポロジ処理装置１８００は、ネットワーク管理サーバであり、トポロジ処理装置１８００は、
第１物理トポロジから第１ＯＮＴの第１ステータス情報を周期的に収集するよう構成されるステータス収集モジュール１８０６と、
事前設定された論理トポロジ生成アルゴリズムを使用することによって第１ステータス情報に対してステータス変化解析を実行し、ステータス変化解析結果に基づき、第１ＯＤＮデバイスと、第１ケーブルと、第１ＯＮＴとの間の対応を含む第１論理トポロジを生成するよう構成される論理トポロジ生成モジュール１８０７と、
第１物理トポロジと第１論理トポロジとの間の比較解析を実行し、比較解析結果に基づき、第１物理トポロジが更新される必要があるかどうかを判定するよう構成されるトポロジ解析モジュール１８０８と
を更に含む。
【０１７５】
図３に示されるように、本願の実施形態は、トポロジ処理システムを提供する。トポロジ処理システムは、現場の端末と、ネットワーク管理サーバとを含む。
【０１７６】
現場の端末は、光分配ネットワークＯＤＮから集められた第１現場画像を取得するよう構成され、第１現場画像は、少なくとも第１ＯＤＮデバイスの第１ポートのイメージングを含み、第１ポートは第１ケーブルへ接続され、第１ケーブル上には、第１ケーブルを識別するために使用される第１識別エリアが存在し、第１現場画像は、少なくとも第１ケーブル上の第１識別エリアのイメージングを更に含む。
【０１７７】
現場の端末は、第１現場画像をネットワーク管理サーバへ送るよう更に構成される。
【０１７８】
ネットワーク管理サーバは、第１現場画像を受信し、第１現場画像における第１識別エリアに基づき第１ケーブルを識別し、第１現場画像に基づき、第１ケーブルへ接続される第１ポートを識別し、第１ＯＤＮデバイスと、第１ポートと、第１ケーブルとの間の第１対応を生成するよう構成される。
【０１７９】
図３に示されるように、本願の実施形態は、トポロジ処理システムを提供する。トポロジ処理システムは、現場の端末と、ネットワーク管理サーバとを含む。
【０１８０】
現場の端末は、光分配ネットワークＯＤＮから集められた第１現場画像を取得し、このとき、第１現場画像は、少なくとも第１ＯＤＮデバイスの第１ポートのイメージングを含み、第１ポートは第１ケーブルへ接続され、第１ケーブル上には、第１ケーブルを識別するために使用される第１識別エリアが存在し、第１現場画像は、少なくとも第１ケーブル上の第１識別エリアのイメージングを更に含む、よう、第１現場画像における第１識別エリアに基づき第１ケーブルを識別し、第１現場画像に基づき、第１ケーブルへ接続される前記第１ポートを識別するよう、且つ、第１ＯＤＮデバイスと、第１ポートと、第１ケーブルとの間の第１対応を生成するよう構成される。
【０１８１】
現場の端末は、第１対応をネットワーク管理サーバへ送るよう更に構成される。
【０１８２】
ネットワーク管理サーバは、第１対応を受信し、第１対応に基づき、第１ＯＤＮデバイスと、第１ポートと、第１ケーブルとが互いに対応していることを決定するよう構成される。
【０１８３】
説明を簡単にするために、トポロジ処理装置によって実行される上記の方法は、一連の動作として記載されることが留意されるべきである。しかし、本願に従って、いくつかのステップは他の順序で実行されても又は同時に実行されてもよいので、当業者であれば、本願が記載されている動作の順序に制限されないことを認識するはずである。その上、更に当業者には当然ながら、本明細書で記載される実施形態は全てが実施形態であって、動作及びモジュールは必ずしも本願によって必要とされない。
【０１８４】
上記の装置のモジュール／ユニットの間の情報交換及びそれらの実行処理のような内容は、本願の方法実施形態と同じ考えに属するので、内容は、本願の方法実施形態と同じ技術的効果をもたらす。具体的な内容については、上述された本願の方法実施形態における説明を参照されたい。これは、ここで再びは更に記載されない。
【０１８５】
本願の実施形態は、コンピュータ記憶媒体を更に提供する。コンピュータ記憶媒体はプログラムを記憶し、プログラムは、上記の方法実施形態で記載された方法の一部又は全てを実行するために使用される。
【０１８６】
図１９は、本願の実施形態に従う更なる他のトポロジ処理装置の略構造図である。トポロジ処理装置は、現場の端末であり、現場の端末は、プロセッサ１９１（例えば、ＣＰＵ）、メモリ１９２、送信器１９４、及び受信器１９３を含んでよい。送信器１９４及び受信器１９３は、プロセッサ１９１へ結合され、プロセッサ１９１は、送信器１９４の送信動作と、受信器１９３の受信動作とを制御する。メモリ１９２は、高速ＲＡＭメモリを含んでよく、あるいは、不揮発性メモリＮＶＭ、例えば、少なくとも１つの磁気ディスクメモリを更に含んでもよい。メモリ１９２は、様々な処理機能を実装し、本願のこの実施形態の方法ステップを実装するために、様々な命令を記憶してよい。任意に、本願のこの実施形態における現場の端末は、電源１９５、通信バス１９６、及び通信ポート１９７のうちの１以上を更に含んでよい。受信器１９３及び送信器１９４は、現場の端末のトランシーバに組み込まれてよく、あるいは、現場の端末において互いから独立している受信アンテナ及び送信アンテナであってもよい。通信バス１９６は、要素間の通信接続を実装するよう構成される。通信ポート１９７は、現場の端末と他の周辺機器との間の接続及び通信を実装するよう構成される。本願のこの実施形態における現場の端末は、カメラ１９８を更に含んでよく、カメラ１９８は、ＯＤＮデバイス、ケーブル、ＯＮＴ、及びＯＬＴのようなデバイスの現場写真を撮るよう構成される。詳細については、上記の実施形態における説明を参照されたい。
【０１８７】
本願のこの実施形態で、メモリ１９２は、コンピュータ実行可能なプログラムコードを記憶するよう構成され、プログラムコードは命令を含む。プロセッサ１９１が命令を実行する場合に、プロセッサ１９１は、上記の方法実施形態における現場の端末の処理動作を実行することを可能にされ、送信器１９４は、上記の方法実施形態における現場の端末の送信動作を実行することを可能にされる。実施原理及びその技術的効果は、同様であり、詳細は、ここで再びは記載されない。
【０１８８】
図２０は、本願の実施形態に従う更なる他のトポロジ処理装置の略構造図である。トポロジ処理装置は、ネットワーク管理サーバであり、ネットワーク管理サーバは、プロセッサ２０１（例えば、ＣＰＵ）、メモリ２０２、受信器２０３、及び送信器２０４を含んでよい。受信器１９３及び送信器２０４は、プロセッサ２０１へ結合され、プロセッサ２０１は、受信器２０３の受信動作と、送信器２０４の送信動作とを制御する。メモリ２０２は、高速ＲＡＭメモリを含んでよく、あるいは、不揮発性メモリＮＶＭ、例えば、少なくとも１つの磁気ディスクメモリを更に含んでもよい。メモリ２０２は、様々な処理機能を実装し、本願のこの実施形態の方法ステップを実装するために、様々な命令を記憶してよい。任意に、本願のこの実施形態におけるネットワーク管理サーバは、電源２０５、通信バス２０６、及び通信ポート２０７のうちの１以上を更に含んでよい。受信器２０３及び送信器２０４は、ネットワーク管理サーバのトランシーバに組み込まれてよく、あるいは、ネットワーク管理サーバにおいて互いから独立している受信アンテナ及び送信アンテナであってもよい。通信バス２０６は、要素間の通信接続を実装するよう構成される。通信ポート２０７は、ネットワーク管理サーバと他の周辺機器との間の通信接続を実装するよう構成される。
【０１８９】
本願のこの実施形態で、メモリ２０２は、コンピュータ実行可能なプログラムコードを記憶するよう構成され、プログラムコードは命令を含む。プロセッサ２０１が命令を実行する場合に、命令は、プロセッサ２０１が、上記の方法実施形態における現場の端末の処理動作を実行することを可能にし、且つ、送信器２０４が、上記の方法実施形態におけるネットワーク管理サーバの送信動作を実行することを可能にする。実施原理及びその技術的効果は、同様であり、詳細は、ここで再びは記載されない。
【０１９０】
他の可能な設計では、トポロジ処理装置が現場の端末内又はネットワーク管理サーバ内のチップである場合に、チップは処理ユニット及び通信ユニットを含む。処理ユニットは、例えば、プロセッサであってよく、通信ユニットは、例えば、入出力インターフェイス、ピン、又は回路であってよい。処理ユニットは、記憶ユニットに記憶されているコンピュータ実行可能命令を実行してよく、それにより、端末内のチップは、第１の態様及び可能な実施のうちのいずれか１つにおけるトポロジ処理方法を実行する。任意に、記憶ユニットは、チップ内にある記憶ユニット、例えば、レジスタ又はバッファである。記憶ユニットは、代替的に、現場の端末又はネットワーク管理サーバにおいてチップの外にある記憶ユニット、例えば、リード・オンリー・メモリ（read-only  memory，ＲＯＭ）、性的な情報及び命令を記憶することができる他のタイプの静的記憶デバイス、又はランダム・アクセス・メモリ（random  access  memory，ＲＡＭ）であってもよい。
【０１９１】
上記のプロセッサは、汎用の中央演算処理装置（ＣＰＵ）、マイクロプロセッサ、特定用途向け集積回路（application-specific  integrated  circuit，ＡＳＩＣ）、又は第１の態様における無線通信方法のプログラム実行を制御する１以上の集積回路であってよい。
【０１９２】
加えて、上記の装置実施形態は、単に例であることが留意されるべきである。別々の部分として記載されるユニットは、物理的に分離していてもいなくてもよく、ユニットとして表される部分は、物理ユニットであってもなくてもよく、１つの場所に位置しても、又は複数のネットワークユニットに分布してもよい。モジュールのいくつか又は全ては、実施形態の解決法の目的を達成するように、実際の要件に基づき選択されてよい。その上、本願で提供される装置実施形態の添付の図面において、モジュール間の接続関係は、モジュールが互いと通信接続を有していることを示し、これは、具体的には、１以上の通信バスまたは信号ケーブルとして実装されてよい。当業者であれば、創造的な努力なしで実施形態を理解及び実施し得る。
【０１９３】
上記の実施の説明に基づき、当業者であれば、本願が、必須の一般的なハードウェアに加えてソフトウェアを使用することによって、又は専用の集積回路、専用のＣＰＵ、専用のメモリ、専用のコンポーネント、などを含む専用のハードウェアによって、実装されてよいことを明らかに理解し得る。概して、コンピュータプログラムによって実行され得る如何なる機能も、対応するハードウェアを使用することによって容易に実装され得る。更に、同じ機能を達成するために使用される具体的なハードウェア構造は、様々な形を有し、例えば、アナログ回路、デジタル回路、専用の回路、などの形をとり得る。なお、本願に関して、ソフトウェアプログラム実施は、ほとんどの場合において、より良い実施である。かような理解に基づき、本願の技術的解決法は本質的に、又は先行技術に寄与する部分は、ソフトウェア製品の形で実施されてよい。コンピュータソフトウェア製品は、コンピュータのフロッピーディスク、ＵＳＢフラッシュドライブ、リムーバブル・ハード・ディスク、リード・オンリー・メモリ（ＲＯＭ，Read-Only  Memory）、ランダム・アクセス・メモリ（ＲＡＭ，Random  Access  Memory）、磁気ディスク、又は光ディスクのような読み出し可能な記憶媒体に記憶され、コンピュータデバイス（パーソナルコンピュータ、サーバ、ネットワークデバイス、などであってよい。）に、本願の実施形態で記載される方法を実行するように指示するいくつかの命令を含む。
【０１９４】
上記の実施形態の全て又はいくつかは、ソフトウェア、ハードウェア、ファームウェア、又はそれらの任意の組み合わせを使用することによって実装されてよい。ソフトウェアを使用することによって実装される場合に、実施形態の全て又はいくつかは、コンピュータプログラム製品の形で実装されてよい。
【０１９５】
コンピュータプログラム製品は、１以上のコンピュータ命令を含む。コンピュータプログラム命令がコンピュータ上でロードされ実行される場合に、本願の実施形態に従うプロシージャ又は機能のいくつか又は全てが生成される。コンピュータは、汎用のコンピュータ、特別目的のコンピュータ、コンピュータネットワーク、又は他のプログラム可能な装置であってよい。コンピュータ命令は、コンピュータ可読記憶媒体に記憶されてよく、あるいは、コンピュータ可読記憶媒体から他のコンピュータ可読記憶媒体へ送られてもよい。例えば、コンピュータ命令は、ウェブサイト、コンピュータ、サーバ、又はデータセンターから他のウェブサイト、コンピュータ、サーバ、又はデータセンターへ有線（例えば、同軸ケーブル、光ファイバ、若しくはデジタル加入者回線（ＤＳＬ））又は無線（例えば、赤外線、電波、若しくはマイクロ波）様式で送られてよい。コンピュータ可読記憶媒体は、コンピュータによってアクセス可能な任意の使用可能な媒体、又は１以上の使用可能な媒体を組み込むサーバ若しくはデータセンターのようなデータ記憶デバイスであってよい。使用可能な媒体は、磁気媒体（例えば、フロッピーディスク、ハードディスク、若しくは磁気テープ）、光学媒体（例えば、ＤＶＤ）、半導体媒体（例えば、ソリッド・ステート・ドライブSolid  State  Disc（ＳＳＤ））、などであってよい。
【図１】
2021517370.tif 000008
【図２】
2021517370.tif 000009
【図３】
2021517370.tif 000010
【図４】
2021517370.tif 000011
【図５ａ】
2021517370.tif 000012
【図５ｂ】
2021517370.tif 000013
【図５ｃ】
2021517370.tif 000014
【図６】
2021517370.tif 000015
【図７】
2021517370.tif 000016
【図８】
2021517370.tif 000017
【図９】
2021517370.tif 000018
【図１０】
2021517370.tif 000019
【図１１】
2021517370.tif 000020
【図１２】
2021517370.tif 000021
【図１３】
2021517370.tif 000022
【図１４】
2021517370.tif 000023
【図１５ａ】
2021517370.tif 000024
【図１５ｂ】
2021517370.tif 000025
【図１５ｃ】
2021517370.tif 000026
【図１５ｄ】
2021517370.tif 000027
【図１６】
2021517370.tif 000028
【図１７】
2021517370.tif 000029
【図１８ａ】
2021517370.tif 000030
【図１８ｂ】
2021517370.tif 000031
【図１８ｃ】
2021517370.tif 000032
【図１８ｄ】
2021517370.tif 000033
【図１９】
2021517370.tif 000034
【図２０】
2021517370.tif 000035
【手続補正書】
【提出日】令和2年3月13日(2020.3.13)
【手続補正１】
【補正対象書類名】特許請求の範囲
【補正対象項目名】全文
【補正方法】変更
【補正の内容】
【特許請求の範囲】
【請求項１】
トポロジ処理方法であって、
トポロジ処理装置によって、光分配ネットワーク（ＯＤＮ）から集められた第１現場画像を取得することであり、前記第１現場画像は、少なくとも第１ＯＤＮデバイスの第１ポートのイメージングを有し、前記第１ポートは、第１ケーブルへ接続され、該第１ケーブルを識別するために使用される第１識別エリアは、前記第１ケーブル上に配置され、前記第１現場画像は、少なくとも前記第１ケーブル上の前記第１識別エリアのイメージングを更に有する、前記取得することと、
前記トポロジ処理装置によって、前記第１現場画像における前記第１識別エリアに基づき前記第１ケーブルを識別し、前記第１現場画像に基づき、前記第１ケーブルへ接続される前記第１ポートを識別することと、
前記トポロジ処理装置によって、前記第１ＯＤＮデバイスと、前記第１ポートと、前記第１ケーブルとの間の第１対応を生成することと
を有する方法。
【請求項２】
当該方法は、
前記トポロジ処理装置によって第２現場画像を取得することであり、前記第２現場画像は、少なくとも第１光ネットワーク端末（ＯＮＴ）の第２ポートのイメージングを有し、前記第２ポートは、前記第１ケーブルへ接続される、前記第２現場画像を取得することと、
前記トポロジ処理装置によって、前記第２現場画像に基づき、前記第１ケーブルへ接続される前記第２ポートを識別することと、
前記トポロジ処理装置によって、前記第１ＯＮＴと、前記第２ポートと、前記第１ケーブルとの間の第２対応を生成することと
を更に有する、
請求項１に記載の方法。
【請求項３】
前記トポロジ処理装置は、現場の端末であり、当該方法は、
前記トポロジ処理装置によって、前記第１対応及び前記第２対応に基づき第１物理トポロジを生成することと、
前記トポロジ処理装置によって、前記第１物理トポロジをネットワーク管理サーバへ送ることと
を更に有する、
請求項２に記載の方法。
【請求項４】
前記トポロジ処理装置は、ネットワーク管理サーバであり、
前記トポロジ処理装置によって、光分配ネットワーク（ＯＤＮ）から集められた第１現場画像を取得することは、
前記トポロジ処理装置によって、現場の端末によって送られた前記第１現場画像を受信することを有し、前記第１現場画像は、前記現場の端末によって、前記ＯＤＮの現場画像を集めることによって取得される、
請求項１又は２に記載の方法。
【請求項５】
前記トポロジ処理装置は、現場の端末であり、当該方法は、
前記トポロジ処理装置によって、前記第１対応をネットワーク管理サーバへ送ることを更に有する、
請求項１又は２に記載の方法。
【請求項６】
当該方法は、
前記トポロジ処理装置によって、前記ＯＤＮから集められた第３現場画像を取得することであり、前記第３現場画像は、少なくとも第２ＯＤＮデバイスの第３ポートのイメージングを有し、前記第３ポートは、前記第１ケーブルへ接続される、前記第３現場画像を取得することと、
前記トポロジ処理装置によって、前記第３現場画像に基づき、前記第１ケーブルへ接続される前記第３ポートを識別することと、
前記トポロジ処理装置によって、前記第２ＯＤＮデバイスと、前記第３ポートと、前記第１ケーブルとの間の第３対応を生成することと
を更に有する、
請求項１乃至５のうちいずれか一項に記載の方法。
【請求項７】
前記第１現場画像は、前記第１ＯＤＮデバイスの複数のポートのイメージングを更に有し、
前記第１現場画像に基づき、前記第１ケーブルへ接続される前記第１ポートを識別することは、
前記トポロジ処理装置によって、前記複数のポートによって観測されるポート配置様式と、前記第１ケーブルとあるポートとの間の相対位置関係とに基づき、前記第１ポートを識別することを有する、
請求項１乃至５のうちいずれか一項に記載の方法。
【請求項８】
前記トポロジ処理装置は、ネットワーク管理サーバであり、当該方法は、
前記トポロジ処理装置によって、前記第１対応及び前記第２対応に基づき第１物理トポロジを生成することと、
前記トポロジ処理装置によって、前記第１物理トポロジから前記第１ＯＮＴの第１ステータス情報を周期的に収集することと、
前記トポロジ処理装置によって、事前設定された論理トポロジ生成アルゴリズムを使用することによって前記第１ステータス情報に対してステータス変化解析を実行し、ステータス変化解析結果に基づき、前記第１ＯＤＮデバイスと、前記第１ケーブルと、前記第１ＯＮＴとの間の対応を有する第１論理トポロジを生成することと、
前記トポロジ処理装置によって、前記第１物理トポロジと前記第１論理トポロジとの間の比較解析を実行し、比較解析結果に基づき、前記第１物理トポロジが更新される必要があるかどうかを判定することと
を更に有する、
請求項２に記載の方法。
【請求項９】
前記第１ステータス情報は、前記第１ＯＮＴの性能データ又は前記第１ＯＮＴの警報データを有する、
請求項８に記載の方法。
【請求項１０】
前記トポロジ処理装置によって、事前設定された論理トポロジ生成アルゴリズムを使用することによって前記第１ステータス情報に対してステータス変化解析を実行することは、
前記トポロジ処理装置によって、前記第１ステータス情報に基づき、第１期間における前記第１ＯＮＴのステータス変化特徴を取得することと、
前記トポロジ処理装置によって、前記第１期間における前記第１ＯＮＴの前記ステータス変化特徴に対して類似性クラスタ解析を実行することと
を有する、
請求項８又は９に記載の方法。
【請求項１１】
比較解析結果に基づき、前記第１物理トポロジが更新される必要があるかどうかを判定することは、
前記比較解析結果が、前記第１物理トポロジ及び前記第１論理トポロジが異なった対応を有していることである場合に、前記トポロジ処理装置によって、現場調査指示を送り、現場調査結果に基づき、前記第１物理トポロジが更新される必要があるかどうかを判定することを有する、
請求項８乃至１０のうちいずれか一項に記載の方法。
【請求項１２】
前記第１ＯＤＮデバイスは、ファイバアクセス端末、スプリッティング及びスプライシングクロージャ、アクセス端末ボックス、又は光分配フレーム、のうちの少なくとも１つのデバイスを有する、
請求項１乃至１１のうちいずれか一項に記載の方法。
【請求項１３】
光分配ネットワーク（ＯＤＮ）から集められた第１現場画像を取得するよう構成される画像取得モジュールであり、前記第１現場画像は、少なくとも第１ＯＤＮデバイスの第１ポートのイメージングを有し、前記第１ポートは、第１ケーブルへ接続され、該第１ケーブルを識別するために使用される第１識別エリアは、前記第１ケーブル上に配置され、前記第１現場画像は、少なくとも前記第１ケーブル上の前記第１識別エリアのイメージングを更に有する、前記画像取得モジュールと、
前記第１現場画像における前記第１識別エリアに基づき前記第１ケーブルを識別し、前記第１現場画像に基づき、前記第１ケーブルへ接続される前記第１ポートを識別するよう構成される画像識別モジュールと、
前記第１ＯＤＮデバイスと、前記第１ポートと、前記第１ケーブルとの間の第１対応を生成するよう構成されるマッピングモジュールと
を有するトポロジ処理装置。
【請求項１４】
デバイス識別エリアが前記第１ＯＤＮデバイス上に配置され、前記デバイス識別エリアは、前記第１ＯＤＮデバイスを識別するために使用され、前記第１現場画像は、前記デバイス識別エリアのイメージングを更に有し、前記画像識別モジュールは、前記第１現場画像における前記デバイス識別エリアに基づき前記第１ＯＤＮデバイスを識別するよう更に構成される、
請求項１３に記載のトポロジ処理装置。
【請求項１５】
前記デバイス識別エリアは、前記第１ＯＤＮデバイスの識別子、前記第１ＯＤＮデバイスのポート配置様式、前記第１ＯＤＮデバイスのタイプ、前記第１ＯＤＮデバイスのシリアルナンバー、又は前記第１ＯＤＮデバイスの製造日、のうちの少なくとも１つのタイプの情報を示すために使用される、
請求項１４に記載のトポロジ処理装置。
【請求項１６】
前記画像取得モジュールは、第２現場画像を取得するよう更に構成され、前記第２現場画像は、少なくとも第１光ネットワーク端末（ＯＮＴ）の第２ポートのイメージングを有し、前記第２ポートは、前記第１ケーブルへ接続され、
前記画像識別モジュールは、前記第２現場画像に基づき、前記第１ケーブルへ接続される前記第２ポートを識別するよう更に構成され、
前記マッピングモジュールは、前記第１ＯＮＴと、前記第２ポートと、前記第１ケーブルとの間の第２対応を生成するよう更に構成される、
請求項１３乃至１５のうちいずれか一項に記載のトポロジ処理装置。
【請求項１７】
当該トポロジ処理装置は、現場の端末であり、当該トポロジ処理装置は、
前記第１対応及び前記第２対応に基づき第１物理トポロジを生成するよう構成される物理トポロジ生成モジュールと
前記第１物理トポロジをネットワーク管理サーバへ送るよう構成される送信モジュールと
を更に有する、
請求項１６に記載のトポロジ処理装置。
【請求項１８】
当該トポロジ処理装置は、ネットワーク管理サーバであり、前記画像取得モジュールは、現場の端末によって送られた前記第１現場画像を受信するよう構成され、前記第１現場画像は、前記現場の端末によって、前記ＯＤＮの現場画像を集めることによって取得される、
請求項１３乃至１７のうちいずれか一項に記載のトポロジ処理装置。
【請求項１９】
前記トポロジ処理装置は、現場の端末であり、当該トポロジ処理装置は、
前記第１対応をネットワーク管理サーバへ送るよう構成される送信モジュールを更に有する、
請求項１３乃至１６のうちいずれか一項に記載のトポロジ処理装置。
【請求項２０】
プロセッサと、メモリとを有し、前記プロセッサ及び前記メモリは互いに通信し、
前記メモリは、命令を記憶するよう構成され、
前記プロセッサは、前記メモリ内の前記命令を実行して、請求項１乃至１２のうちいずれか一項に記載の方法を実行するよう構成される、
トポロジ処理装置。
【請求項２１】
現場の端末と、ネットワーク管理サーバとを有し、
前記現場の端末は、光分配ネットワーク（ＯＤＮ）から集められた第１現場画像を取得するよう構成され、前記第１現場画像は、少なくとも第１ＯＤＮデバイスの第１ポートのイメージングを有し、前記第１ポートは、第１ケーブルへ接続され、該第１ケーブルを識別するために使用される第１識別エリアは、前記第１ケーブル上に配置され、前記第１現場画像は、少なくとも前記第１ケーブル上の前記第１識別エリアのイメージングを更に有し、
前記現場の端末は、前記第１現場画像を前記ネットワーク管理サーバへ送るよう更に構成され、
前記ネットワーク管理サーバは、前記第１現場画像を受信し、該第１現場画像における前記第１識別エリアに基づき前記第１ケーブルを識別し、前記第１現場画像に基づき、前記第１ケーブルへ接続される前記第１ポートを識別し、前記第１ＯＤＮデバイスと、前記第１ポートと、前記第１ケーブルとの間の第１対応を生成するよう構成される、
トポロジ処理システム。
【請求項２２】
現場の端末と、ネットワーク管理サーバとを有し、
前記現場の端末は、
光分配ネットワーク（ＯＤＮ）から集められた第１現場画像を取得し、前記第１現場画像は、少なくとも第１ＯＤＮデバイスの第１ポートのイメージングを有し、前記第１ポートは、第１ケーブルへ接続され、該第１ケーブルを識別するために使用される第１識別エリアは、前記第１ケーブル上に配置され、前記第１現場画像は、少なくとも前記第１ケーブル上の前記第１識別エリアのイメージングを更に有し、
前記第１現場画像における前記第１識別エリアに基づき前記第１ケーブルを識別し、前記第１現場画像に基づき、前記第１ケーブルへ接続される前記第１ポートを識別し、
前記第１ＯＤＮデバイスと、前記第１ポートと、前記第１ケーブルとの間の第１対応を生成する
よう構成され、
前記現場の端末は、前記第１対応を前記ネットワーク管理サーバへ送るよう更に構成され、
前記ネットワーク管理サーバは、前記第１対応を受信し、該第１対応に基づき、前記第１ＯＤＮデバイスと、前記第１ポートと、前記第１ケーブルとが互いに対応していることを決定するよう構成される、
トポロジ処理システム。
【請求項２３】
命令を有し、該命令がコンピュータで実行される場合に、該コンピュータが、請求項１乃至１２のうちいずれか一項に記載の方法を実行することを可能にされる、
コンピュータ可読記憶媒体。
【手続補正２】
【補正対象書類名】明細書
【補正対象項目名】全文
【補正方法】変更
【補正の内容】
【発明の詳細な説明】
【技術分野】
【０００１】
本願の実施形態は、通信分野に、特に、トポロジ処理方法、装置、及びシステムに関係がある。
【背景技術】
【０００２】
光通信技術の発展とともに、受動光ネットワーク（passive  optical  network，ＰＯＮ）技術がアクセスネットワークに広く適用されている。光分配フレーム（optical  distribution  network，ＯＤＮ）デバイスは、ＰＯＮデバイスに基づくファイバ・トゥ・ザ・ホーム（fiber  to  the  home，ＦＴＴＨ）光ケーブルネットワークデバイスである。ＯＤＮデバイスは、主に、光回線端末（optical  line  terminal，ＯＬＴ）と光ネットワーク端末（optical  network  terminal，ＯＮＴ）との間の光伝送チャネルを提供する。
【０００３】
ＦＴＴＨは、アクセスネットワークの整備の方法である。ＦＴＴＨは、より広いバンド幅や、環境条件、電源、などに対するより低い要件、などを提供し、更には、メンテナンス要件を簡単にすることができる。ＦＴＴＨでは、ＰＯＮ技術が主に使用され、ＯＤＮデバイスは、ＯＤＮデバイスを使用することによって１つのＯＬＴのデータを多数の、すなわち、数十又は数百のＯＮＴへ分配し得る。ユーザエンドは、膨大な光ファイバ回線上で分配スケジューリング及びメンテナンス管理を行う必要がある。ＯＤＮデバイスを管理及びメンテナンスすることは、全てのキャリアにとって非常に重要である。現在の光通信ネットワークでは、大量の光ファイバネットワークデータが不正確である。例えば、いくつかの光ファイバリソースは、管理システム上で遊休リソース及び利用可能リソースとして表示され、一方で、それらのリソースは、実際には占有されており、あるいは、いくつかのリソースは、管理システム上で占有リソースとして表示され、一方で、それらのリソースは、実際には遊休状態であり、あるいは、いくつかの光学リソースのデータは不正確であるか、又はリソースに関するデータは存在しない。例えば、ＯＤＮデバイスが接続されている特定のＯＬＴのポートは決定され得ず、あるいは、ＰＬＴのポートに依然としてサービスが存在するかどうかは決定され得ない。こうした問題は、大量のリソースの無駄を引き起こし、更には、ＯＤＮデバイスの管理も難しくする。
【０００４】
現在の光通信ネットワークでは、主に、紙ラベルを各光ファイバのコネクタに貼り付けることによって、ポートは識別され、ルートは管理される。ネットワーク上の全てのデバイスは、紙ラベルを使用することによって記録される。例えば、紙ラベルは、様々なデバイスの名前、識別子、及び機能といった、関連する属性を記録するために使用される。それから、紙ラベルは、ＯＤＮデバイスの識別を特定するための識別子として使用されるように、ＯＤＮデバイスに留められ、それにより、メンテナンスエンジニアは、その後のメンテナンス及び修理作業において、異なるＯＤＮデバイスの身元を正確に特定することができ、それによって、メンテナンス及び修理作業は適切に実施される。
【０００５】
本願の発明者は、先行技術には少なくとも次の欠点があることに気付く。紙ラベルを使用することによる手動記録は、手動操作の途方もない作業負荷をもたらし、高い人件費の原因となる。その上、異なる光ファイバとＯＤＮデバイスのポートとを手動記録により瞬時に区別することは非常に難しく、比較的に高いエラーレート、データ更新遅延、並びに低い操作及びメンテナンス効率の原因となる。更には、紙ラベルは、損傷を受けやすく、時間とともに不鮮明になり、ＯＤＮデバイスの管理及びメンテナンスを難しくする。
【０００６】
上記の解析から、ＯＤＮデバイスの管理は、先行技術では、効率が悪く且つ費用がかかることが知られ得る。
【発明の概要】
【０００７】
本願の実施形態は、ＯＤＮデバイスの管理効率を改善し且つ管理費用を下げるためのトポロジ処理方法、装置、及びシステムを提供する。
【０００８】
上記の問題を解決するために、本願の実施形態は、以下の技術的解決法を提供する。
【０００９】
第１の態様に従って、本願の実施形態は、
トポロジ処理装置によって、光分配ネットワーク（ＯＤＮ）から集められた第１現場画像を取得し、第１現場画像は、少なくとも第１ＯＤＮデバイスの第１ポートのイメージングを含み、第１ポートは第１ケーブルへ接続され、第１ケーブルを識別するために使用される第１識別エリアは、第１ケーブル上に配置され、第１現場画像は、少なくとも第１ケーブル上の第１識別エリアのイメージングを更に含む、ことと、
第１現場画像における第１識別エリアに基づき第１ケーブルを識別し、第１現場画像に基づき、第１ケーブルへ接続される第１ポートを識別することと、
トポロジ処理装置によって、第１ＯＤＮデバイスと、第１ポートと、第１ケーブルとの間の第１対応を生成することと
を含むトポロジ処理方法を提供する。
【００１０】
本願のこの実施形態で、トポロジ処理装置は、最初に、ＯＤＮから集められた第１現場画像を取得し、このとき、第１現場画像は、少なくとも第１ＯＤＮデバイスの第１ポートのイメージングを含み、第１ポートは第１ケーブルへ接続され、第１ケーブルを識別するために使用される第１識別エリアは、第１ケーブル上に配置され、第１現場画像は、少なくとも第１ケーブルの第１識別エリアのイメージングを更に含み、トポロジ処理装置は、第１現場画像における第１識別エリアに基づき第１ケーブルを識別し、第１現場画像に基づき、第１ケーブルへ接続される第１ポートを識別し、最後に、トポロジ処理装置は、第１ＯＤＮデバイスと、第１ポートと、第１ケーブルとの間の第１対応を生成する。本願のこの実施形態で、第１ケーブルは、ＯＤＮ現場収集を通じて取得された第１現場画像を解析することによって、第１現場画像から識別され得、第１ケーブルが第１ＯＤＮデバイスの第１ポートへ接続されることも、識別され得る。更には、上記の画像識別結果に基づき、第１ＯＤＮデバイスと、第１ポートと、第１ケーブルとの間の対応が生成され得る。従って、先行技術と比較して、本願のこの実施形態では、ＯＤＮ上のリソースの自動ソート及びレビューが、紙ラベルを使用することによる記録なしで実施され、それにより、光分配ネットワーク内のリソースは、簡単に、速く、自動で、且つ確かにソートされ、それによって、人間リソースは削減され、ＯＤＮデバイスの管理効率は改善され、管理費用は削減される。
【００１１】
第１の態様の可能な実施において、デバイス識別エリアが第１ＯＤＮデバイス上に配置され、デバイス識別エリアは、第１ＯＤＮデバイスを識別するために使用され、第１現場画像は、デバイス識別エリアのイメージングを更に含み、方法は、トポロジ処理装置によって、第１現場画像におけるデバイス識別エリアに基づき第１ＯＤＮデバイスを識別することを更に含む。トポロジ処理装置によって取得される第１現場画像は、デバイス識別エリアを含む。例えば、第１現場画像は、デバイス識別エリアのイメージングを更に含み、第１ＯＤＮデバイスは、デバイス識別エリアのイメージングを識別することによって決定され得る。本願のいくつかの他の実施形態で、デバイス識別エリアを使用することによって第１ＯＤＮデバイスを識別することに加えて、トポロジ処理装置が、ユーザによって入力される第１ＯＤＮデバイスの識別子を更に取得してもよく、その識別子を使用することによって第１ＯＤＮデバイスを識別してもよいことは、制限されない。
【００１２】
第１の態様の可能な実施において、デバイス識別エリアは、第１ＯＤＮデバイスの識別子、第１ＯＤＮデバイスのポート配置様式、第１ＯＤＮデバイスのタイプ、第１ＯＤＮデバイスのシリアルナンバー、又は第１ＯＤＮデバイスの製造日、のうちの少なくとも１つの情報を示すために使用される。第１ＯＤＮデバイスの識別子は、他のＯＤＮデバイスのそれとは異なる識別子であってよい。例えば、識別子は識別コードであってよい。第１ＯＤＮデバイスのポート配置様式は、第１ＯＤＮデバイスの端面上のポート配置の様式である。例えば、ＯＤＮデバイスのポート配置様式は、ＯＤＮデバイスの各ポートが、全く遮られることなしに、ある角度での現場の端末による撮影を通じて識別され得ることを意味する。ポート配置様式は、単列ポート設計、二列ポート設計、及びＷ字型ポート設計を含むが限られない。第１ＯＤＮデバイスのタイプは、ＯＤＮデバイスの異なるタイプを区別するために使用される情報を指す。例えば、異なるタイプの情報が、異なるタイプのＯＤＮデバイスごとに設定されてよい。第１ＯＤＮデバイスのシリアルナンバーは、第１ＯＤＮデバイスと他のＯＤＮデバイスとを区別するために使用されてよい。第１ＯＤＮデバイスの製造日は、日付値によって形成された数字の列を指し、第１ＯＤＮデバイスの製造日も、第１ＯＤＮデバイスと他のＯＤＮデバイスとを区別するために使用されてよい。本願のこの実施形態におけるデバイス識別エリアの具体的な実施形態は、上記の例の１以上に制限されなくてもよいことが留意されるべきである。
【００１３】
第１の態様の可能な実施において、方法は、トポロジ処理装置によって第２現場画像を取得し、第２現場画像は、少なくとも第１光ネットワーク端末（ＯＮＴ）の第２ポートのイメージングを含み、第２ポートは第１ケーブルへ接続される、ことと、トポロジ処理装置によって、第２現場画像に基づき、第１ケーブルへ接続される第２ポートを識別することと、トポロジ処理装置によって、第１ＯＮＴと、第２ポートと、第１ケーブルとの間の第２対応を生成することとを更に含む。本願のこの実施形態で、トポロジ処理装置は第２現場画像を取得する。例えば、トポロジ処理装置は現場の端末であり、現場の端末が、第１ＯＮＴの第２現場画像を更に収集してもよい。他の例として、トポロジ処理装置はネットワーク管理サーバであり、現場の端末が、第１ＯＮＴの第２現場画像を更に収集してもよく、次いで、現場の端末は、第２現場画像をネットワーク管理サーバへ送り、ネットワーク管理サーバは、現場の端末から第２現場画像を取得し得る。第１ＯＮＴは、少なくとも１つのポートを有している。例えば、第１ＯＮＴは第２ポートを含んでもよい。第１ＯＮＴの現場画像を収集する場合に、現場の端末は、第１ＯＮＴの第２ポートのイメージングを取得してもよい。第１ＯＮＴの第２ポートはケーブルへ接続される。例えば、第２ポートは、第１ケーブルへ接続されてもよく、この場合に、第１ＯＤＮデバイスは、第１ケーブルを通じて第１ＯＮＴへ接続される。
【００１４】
第１の態様の可能な実施において、方法は、トポロジ処理装置によって、第１対応及び第２対応に基づき第１物理トポロジを生成することを更に含む。トポロジ処理装置は、第１対応に基づき、第１ＯＤＮデバイスと、第１ポートと、第１ケーブルとが互いに対応していることを決定し、第２対応に基づき、第１ＯＮＴと、第２ポートと、第１ケーブルとが互いに対応していることを決定する。従って、トポロジ処理装置は、第１対応及び第２対応に基づき、第１ＯＤＮデバイスと、第１ＯＮＴと、第１ケーブルとの間の物理接続関係を決定し得る。従って、トポロジ処理装置は、第１物理トポロジを生成してよく、第１物理トポロジは、特定のデバイスと、デバイス間の物理接続関係とを含む。
【００１５】
第１の態様の可能な実施において、トポロジ処理装置は、現場の端末であり、方法は、トポロジ処理装置によって、第１物理トポロジをネットワーク管理サーバへ送ることを更に含む。ネットワーク管理サーバは、現場の端末から第１物理トポロジを受信し、第１物理トポロジを使用することによって、第１ＯＤＮデバイスと、第１ＯＮＴと、第１ケーブルとの間の物理接続関係を決定してよい。
【００１６】
第１の態様の可能な実施において、トポロジ処理装置は、ネットワーク管理サーバであり、トポロジ処理装置によって、光分配ネットワーク（ＯＤＮ）から集められた第１現場画像を取得することは、トポロジ処理装置によって、現場の端末によって送られた第１現場画像を受信することを含み、第１現場画像は、現場の端末によって、ＯＤＮの現場画像を集めることによって取得される。現場の端末が、ＯＤＮの現場画像を集めることによって第１現場画像を取得した後、現場の端末は、第１現場画像をネットワーク管理サーバへ送信してよく、それにより、ネットワーク管理サーバは、現場の端末から第１現場画像を受信し得る。
【００１７】
第１の態様の可能な実施において、トポロジ処理装置は、現場の端末であり、方法は、トポロジ処理装置によって、第１対応をネットワーク管理サーバへ送ることを更に含む。現場の端末は、ネットワーク管理サーバと通信してよい。現場の端末が第１対応を生成した後、現場の端末は、第１対応をネットワーク管理サーバへ送信し、それにより、ネットワーク管理サーバは、第１対応を受信してよく、第１対応に基づき、第１ＯＤＮデバイスと、第１ポートと、第１ケーブルとが互いに対応していることを決定してよい。
【００１８】
第１の態様の可能な実施において、方法は、トポロジ処理装置によって、ＯＤＮから集められた第３現場画像を取得し、第３現場画像は、少なくとも第２ＯＤＮデバイスの第３ポートのイメージングを含み、第３ポートは第１ケーブルへ接続される、ことと、トポロジ処理装置によって、第３現場画像に基づき、第１ケーブルへ接続される第３ポートを識別することと、トポロジ処理装置によって、第２ＯＤＮデバイスと、第３ポートと、第１ケーブルとの間の第３対応を生成することとを更に含む。第１ＯＤＮデバイス及び第２ＯＤＮデバイスがカスケード接続されたＯＤＮデバイスである場合に、現場の端末は、第２ＯＤＮデバイスの現場画像を集めることによって、第３現場画像を取得してよい。トポロジ処理装置が、第１ケーブルを識別し、第１ケーブルが第２ＯＤＮデバイスの第３ポートへ接続されていることを識別した後、トポロジ処理装置は、第２ＯＤＮデバイスと、第３ポートと、第１ケーブルとの間の第３対応を生成してよい。例えば、第３対応は、第２ＯＤＮデバイスが第３ポートを通じて第１ケーブルへ接続されることを含んでよい。
【００１９】
第１の態様の可能な実施において、第１現場画像は、第１ＯＤＮデバイスの複数のポートのイメージングを更に含み、第１ケーブルへ接続される第１ポートを第１現場画像に基づき識別することは、トポロジ処理装置によって、複数のポートによって観測されるポート配置様式と、第１ケーブルとあるポートとの間の相対位置関係とに基づき、第１ポートを識別することを含む。各ポート番号は、第１ＯＤＮデバイスのポートの順序に基づき識別されてよく、各ポートへ接続される具体的なケーブルは、各ポートへ接続される第１ケーブルに基づき識別されてよい。本願のいくつかの他の実施形態で、第１ＯＤＮデバイスのポート番号が他の方法においても識別されてよいことは、制限されない。例えば、第２識別エリアが、第２識別エリアに対応するポートの具体的なポート番号を識別するために、ＯＤＮデバイスのポート上に配置されてもよい。
【００２０】
第１の態様の可能な実施において、トポロジ処理装置は、ネットワーク管理サーバであり、方法は、トポロジ処理装置によって、第１物理トポロジから第１ＯＮＴの第１ステータス情報を周期的に収集することと、トポロジ処理装置によって、事前設定された論理トポロジ生成アルゴリズムを使用することによって第１ステータス情報に対してステータス変化解析を実行し、ステータス変化解析結果に基づき、第１ＯＤＮデバイスと、第１ケーブルと、第１ＯＮＴとの間の対応を含む第１論理トポロジを生成することと、トポロジ処理装置によって、第１物理トポロジと第１論理トポロジとの間の比較解析を実行し、比較解析結果に基づき、第１物理トポロジが更新される必要があるかどうかを判定することとを更に含む。本願のこの実施形態で、トポロジ処理装置が第１論理トポロジを生成した後、トポロジ処理装置は、第１物理トポロジ及び第１論理トポロジに対して比較解析を実行し、例えば、第１物理トポロジ及び第１論理トポロジが異なった接続関係を有しているかどうかを比較し、例えば、第１ＯＤＮデバイスが第１ＯＮＴへ接続されることは、第１物理トポロジには記録されているが、第１ＯＤＮデバイスが第１ＯＮＴへ接続されることは、第１論理トポロジには記録されていない。最終的に、トポロジ処理装置は、比較解析結果に基づき、第１物理トポロジが更新される必要があるかどうかを判定してよい。本願のこの実施形態で提供されるトポロジ処理方法から、トポロジ処理装置は、ソートされるべき論理トポロジを自動的に整合し、ソートし、レビューし、それによって、光ファイバ分配ネットワーク内のリソースは自動的にソート及びレビューされ、光ファイバ分配ネットワーク内のリソースをソートする信頼性は改善されることが知られ得る。このようにして、光ネットワーク上のリソースは、簡単に、瞬時に、自動的に、且つ確かにソートされ、人間リソース投資は低減され、チェック効率は大いに改善され、光ネットワークリソースのチェック作業は規則化される。
【００２１】
第１の態様の可能な実施において、第１ステータス情報は、第１ＯＮＴの性能データ又は第１ＯＮＴの警報データを含む。第１ステータス情報は、第１ＯＮＴの実行ステータスの様々なステータスパラメータを含む。例えば、第１ステータス情報は、第１ＯＮＴの性能データ又は第１ＯＮＴの警報データを含む。第１ＯＮＴの性能データは、第１ＯＮＴの光出力、第１ＯＮＴのビットエラーレート、又は他のデータであってよい。第１ＯＮＴの警報データは、第１ＯＮＴによって送られる警報情報、例えば、第１ＯＮＴが切断される場合に送られる警報情報、又は第１ＯＮＴの光出力が閾値を超える場合に送られる警報情報であってよい。
【００２２】
第１の態様の可能な実施において、トポロジ処理装置によって、事前設定された論理トポロジ生成アルゴリズムを使用することによって第１ステータス情報に対してステータス変化解析を実行することは、トポロジ処理装置によって、第１ステータス情報に基づき、第１期間における第１ＯＮＴのステータス変化特徴を取得することと、トポロジ処理装置によって、第１期間における第１ＯＮＴのステータス変化特徴に対して類似性クラスタ解析を実行することとを含む。トポロジ処理装置は、第１ＯＮＴの第１ステータス情報を解析し、第１期間を設定し、第１期間における第１ＯＮＴのステータス変化特徴を取得する、すなわち、第１ＯＮＴのステータス変化パターンを取得してよい。本願のこの実施形態で、第１ＯＮＴは、特定のタイプの１以上のＯＮＴであってよいことが留意されるべきである。トポロジ処理装置は、類似性クラスタ解析法において、第１期間における第１ＯＮＴのステータス変化特徴に対して類似性クラスタ解析を実行する。例えば、同じ期間に同じ変化を有しているＯＮＴは、同じＯＤＮデバイスへ接続されているＯＮＴとして分類され、使用される方法には、データ特徴変化マイニング又はクラスタ解析があるが限られない。ＯＤＮデバイスのレベルが識別され、ＯＤＮ接続関係の変化が引き続きモニタされる。
【００２３】
第１の態様の可能な実施において、比較解析結果に基づき、第１物理トポロジが更新される必要があるかどうかを判定することは、比較解析結果が、第１物理トポロジ及び第１論理トポロジが異なった対応を有していることである場合に、トポロジ処理装置によって、現場調査指示を送り、現場調査結果に基づき、第１物理トポロジが更新される必要があるかどうかを判定することを含む。比較解析結果は、第１物理トポロジ及び第１論理トポロジが異なった対応を有していることである。例えば、第１物理トポロジ及び第１論理トポロジが異なった接続関係を有しているかどうかが、比較される。この場合に、トポロジ処理装置は、現場調査指示を送信する、すなわち、トポロジ処理装置は、警報メッセージを送信してよく、トポロジ処理装置は、現場での物理トポロジ故障修理を実行するために使用される作業命令を生成する。作業命令を受け取った後、実施エンジニアは、実際の状況に応じて、第１物理トポロジが更新される必要があるかどうかをフィードバックするために、ＯＤＮデバイスの場所に向かい、調整を行う。本願のこの実施形態で、第１物理トポロジ及び第１論理トポロジが異なった対応を有している場合に、トポロジ処理装置は、光通信ネットワークのメンテナンスを容易にし且つネットワーク管理効率を改善するために、現場調査指示を送る。
【００２４】
第１の態様の可能な実施において、第１ＯＤＮデバイスは、ファイバアクセス端末、スプリッティング及びスプライシングクロージャ、アクセス端末ボックス、又は光分配フレーム、のうちの少なくとも１つのデバイスを含む。ＯＤＮデバイスは、上記のいくつかのタイプのデバイスに限られないことが留意されるべきであり、ＯＤＮデバイスは、ＯＤＮ上の如何なるノードデバイスであってもよい。
【００２５】
第２の態様に従って、本願の実施形態は、光分配ネットワーク（ＯＤＮ）から集められた第１現場画像を取得するよう構成される画像取得モジュールであり、第１現場画像は、少なくとも第１ＯＤＮデバイスの第１ポートのイメージングを含み、第１ポートは第１ケーブルへ接続され、第１ケーブルを識別するために使用される第１識別エリアは、第１ケーブル上に配置され、第１現場画像は、少なくとも第１ケーブル上の第１識別エリアのイメージングを更に含む、画像取得モジュールと、第１現場画像における第１識別エリアに基づき第１ケーブルを識別し、第１現場画像に基づき、第１ケーブルへ接続される第１ポートを識別するよう構成される画像識別モジュールと、第１ＯＤＮデバイスと、第１ポートと、第１ケーブルとの間の第１対応を生成するよう構成されるマッピングモジュールとを含むトポロジ処理装置を提供する。
【００２６】
第２の態様の可能な実施において、デバイス識別エリアが第１ＯＤＮデバイス上に配置され、デバイス識別エリアは、第１ＯＤＮデバイスを識別するために使用され、第１現場画像は、デバイス識別エリアのイメージングを更に含み、画像識別モジュールは、第１現場画像におけるデバイス識別エリアに基づき第１ＯＤＮデバイスを識別するよう更に構成される。
【００２７】
第２の態様の可能な実施において、デバイス識別エリアは、第１ＯＤＮデバイスの識別子、第１ＯＤＮデバイスのポート配置様式、第１ＯＤＮデバイスのタイプ、第１ＯＤＮデバイスのシリアルナンバー、又は第１ＯＤＮデバイスの製造日、のうちの少なくとも１つのタイプの情報を示すために使用される。
【００２８】
第２の態様の可能な実施において、画像取得モジュールは、第２現場画像を取得するよう更に構成され、第２現場画像は、少なくとも第１光ネットワーク端末（ＯＮＴ）の第２ポートのイメージングを含み、第２ポートは第１ケーブルへ接続され、画像識別モジュールは、第２現場画像に基づき、第１ケーブルへ接続される第２ポートを識別するよう更に構成され、マッピングモジュールは、第１ＯＮＴと、第２ポートと、第１ケーブルとの間の第２対応を生成するよう更に構成される。
【００２９】
第２の態様の可能な実施において、トポロジ処理装置は、第１対応及び第２対応に基づき第１物理トポロジを生成するよう構成される物理トポロジ生成モジュールを更に含む。
【００３０】
第２の態様の可能な実施において、トポロジ処理装置は、現場の端末であり、トポロジ処理装置は、第１物理トポロジをネットワーク管理サーバへ送るよう構成される送信モジュールを更に含む。
【００３１】
第２の態様の可能な実施において、トポロジ処理装置は、ネットワーク管理サーバであり、画像取得モジュールは、現場の端末によって送られた第１現場画像を受信するよう構成され、第１現場画像は、現場の端末によって、ＯＤＮの現場画像を集めることによって取得される。
【００３２】
第２の態様の可能な実施において、トポロジ処理装置は、現場の端末であり、トポロジ処理装置は、第１対応をネットワーク管理サーバへ送るよう構成される送信モジュールを更に含む。
【００３３】
第２の態様の可能な実施において、トポロジ処理装置は、ネットワーク管理サーバであり、トポロジ処理装置は、第１物理トポロジから第１ＯＮＴの第１ステータス情報を周期的に収集するよう構成されるステータス収集モジュールと、事前設定された論理トポロジ生成アルゴリズムを使用することによって第１ステータス情報に対してステータス変化解析を実行し、ステータス変化解析結果に基づき、第１ＯＤＮデバイスと、第１ケーブルと、第１ＯＮＴとの間の対応を含む第１論理トポロジを生成するよう構成される論理トポロジ生成モジュールと、第１物理トポロジを第１論理トポロジと比較し、比較解析結果に基づき、第１物理トポロジが更新される必要があるかどうかを判定するよう構成されるトポロジ解析モジュールとを更に含む。
【００３４】
本願の第２の態様で、トポロジ処理装置のモジュールは、第１の態様及び可能な実施で記載されるステップを更に実行してよい。詳細については、第１の態様及び可能な実施における上記の説明を参照されたい。
【００３５】
第３の態様に従って、本願の実施形態は、他のトポロジ処理装置を提供する。トポロジ処理装置は、プロセッサ及びメモリを含む。プロセッサ及びメモリは互いに通信し、メモリは、命令を記憶するよう構成され、プロセッサは、メモリ内の命令を実行して、第１の態様又は可能な実施のうちのいずれか１つにおける方法を実行するよう構成される。
【００３６】
本願の第３の態様で、トポロジ処理装置のプロセッサは、第１の態様及び可能な実施で記載されるステップを更に実行してよい。詳細については、第１の態様及び可能な実施における上記の説明を参照されたい。
【００３７】
第４の態様に従って、本願の実施形態は、トポロジ処理システムを提供する。トポロジ処理システムは、現場の端末と、ネットワーク管理サーバとを含む。現場の端末は、光分配ネットワーク（ＯＤＮ）から集められた第１現場画像を取得するよう構成され、第１現場画像は、少なくとも第１ＯＤＮデバイスの第１ポートのイメージングを含み、第１ポートは第１ケーブルへ接続され、第１ケーブルを識別するために使用される第１識別エリアは、第１ケーブル上に配置され、第１現場画像は、少なくとも第１ケーブル上の第１識別エリアのイメージングを更に含む。現場の端末は、第１現場画像をネットワーク管理サーバへ送るよう更に構成される。ネットワーク管理サーバは、第１現場画像を受信し、第１現場画像における第１識別エリアに基づき第１ケーブルを識別し、第１現場画像に基づき、第１ケーブルへ接続される第１ポートを識別し、第１ＯＤＮデバイスと、第１ポートと、第１ケーブルとの間の第１対応を生成するよう構成される。
【００３８】
第５の態様に従って、本願の実施形態は、他のトポロジ処理システムを提供する。トポロジ処理システムは、現場の端末と、ネットワーク管理サーバとを含む。現場の端末は、光分配ネットワーク（ＯＤＮ）から集められた第１現場画像を取得し、このとき、第１現場画像は、少なくとも第１ＯＤＮデバイスの第１ポートのイメージングを含み、第１ポートは第１ケーブルへ接続され、第１ケーブルを識別するために使用される第１識別エリアは、第１ケーブル上に配置され、第１現場画像は、少なくとも第１ケーブル上の第１識別エリアのイメージングを更に含む、よう、第１現場画像における第１識別エリアに基づき第１ケーブルを識別し、第１現場画像に基づき、第１ケーブルへ接続される前記第１ポートを識別するよう、且つ、第１ＯＤＮデバイスと、第１ポートと、第１ケーブルとの間の第１対応を生成するよう構成される。現場の端末は、第１対応をネットワーク管理サーバへ送るよう更に構成される。ネットワーク管理サーバは、第１対応を受信し、第１対応に基づき、第１ＯＤＮデバイスと、第１ポートと、第１ケーブルとが互いに対応していることを決定するよう構成される。
【００３９】
第６の態様に従って、本願の実施形態は、コンピュータ可読記憶媒体を提供する。コンピュータ可読記憶媒体は、命令を記憶しており、命令がコンピュータで実行される場合に、コンピュータは、第１の態様における方法を実行することを可能にされる。
【００４０】
第７の態様に従って、本願の実施形態は、命令を含むコンピュータプログラム製品を提供する。命令がコンピュータで実行される場合に、コンピュータは、第１の態様における方法を実行することを可能にされる。
【００４１】
第８の態様に従って、本願の実施形態は、トポロジ処理装置を提供する。トポロジ処理装置は、現場の端末、ネットワーク管理サーバ、チップ、又は他のエンティティを含んでよい。トポロジ処理装置は、制御装置及びメモリを含む。メモリは、命令を記憶するよう構成される。制御装置は、メモリ内の命令を実行するよう構成され、それにより、トポロジ処理装置は、第１の態様又は可能な実施のうちのいずれか１つにおける方法を実行することを可能にされる。
【００４２】
第９の態様に従って、本願は、チップシステムを提供する。チップシステムは、上記の態様における機能を実装すること、例えば、上記の方法でデータ及び／又は情報を送信又は処理すること、において現場の端末又はネットワーク管理サーバを支援するよう構成される制御装置を含む。可能な設計において、チップシステムはメモリを更に含む。メモリは、現場の端末又はネットワーク管理サーバにとって必要であるプログラム命令及びデータを記憶するよう構成される。チップシステムはチップを含んでよく、あるいは、チップ及び他のディスクリートデバイスを含んでもよい。
【図面の簡単な説明】
【００４３】
【図１】本願の実施形態に従う光通信システムの構成の略構造図である。
【図２】本願の実施形態に従って複数のＯＤＮデバイスをカスケード接続する概略図である。
【図３】本願の実施形態に従うトポロジ処理システムの構成の略構造図である。
【図４】本願の実施形態に従うトポロジ処理方法の略ブロックフローチャートである。
【図５ａ】本願の実施形態に従う、ＯＤＮデバイスと、ポートと、ケーブルとの間の対応の概略図である。
【図５ｂ】本願の実施形態に従う、ＯＤＮデバイスと、ポートと、ケーブルとの間の対応の概略図である。
【図５ｃ】本願の実施形態に従うＯＤＮデバイスの複数のポートの配置様式の概略図である。
【図６】本願の実施形態に従う他のトポロジ処理方法の略ブロックフローチャートである。
【図７】本願の実施形態に従う他のトポロジ処理方法の略ブロックフローチャートである。
【図８】本願の実施形態に従う他のトポロジ処理方法の略ブロックフローチャートである。
【図９】本願の実施形態に従う、現場の端末とネットワーク管理サーバとの間のインタラクションの略フローチャートである。
【図１０】本願の実施形態に従う、現場の端末とネットワーク管理サーバとの間のインタラクションの他の略フローチャートである。
【図１１】本願の実施形態に従ってＯＤＮトポロジを管理する実施シナリオの概略図である。
【図１２】本願の実施形態に従う光通信ネットワークのシステムアーキテクチャの概略図である。
【図１３】本願の実施形態に従って現場の端末によってＯＤＮデバイス及び光ケーブル１の画像を収集する概略図である。
【図１４】本願の実施形態に従って現場の端末によってＯＤＮデバイス、光ケーブル１、及び光ケーブル２の画像を収集する概略図である。
【図１５ａ】本願の実施形態に従う、通常ケースにおけるＯＬＴ及びＯＮＴの受光電力の曲線の概略図である。
【図１５ｂ】本願の実施形態に従う、曲げケースにおけるＯＬＴ及びＯＮＴの受光電力の曲線の概略図である。
【図１５ｃ】本願の実施形態に従う、最初の曲げ不具合が起こる場合に得られる、ＯＬＴへ接続されている全てのＯＮＴの受光電力の曲線の概略図である。
【図１５ｄ】本願の実施形態に従う、第２時点について曲げ不具合が起こる場合に得られる、ＯＬＴへ接続されている全てのＯＮＴの受光電力の曲線の概略図である。
【図１６】本願の実施形態に従って現場の端末によってＯＤＮデバイス、光ケーブル１、光ケーブル２、及び光ケーブル３の画像を収集する概略図である。
【図１７】本願の実施形態に従って、図１４に示される光通信ネットワークに基づき更新されたシステムアーキテクチャの概略図である。
【図１８ａ】本願の実施形態に従うトポロジ処理システムの構成の略構造図である。
【図１８ｂ】本願の実施形態に従う他のトポロジ処理システムの構成の略構造図である。
【図１８ｃ】本願の実施形態に従う他のトポロジ処理システムの構成の略構造図である。
【図１８ｄ】本願の実施形態に従う他のトポロジ処理システムの構成の略構造図である。
【図１９】本願の実施形態に従う現場の端末の構成の略構造図である。
【図２０】本願の実施形態に従うネットワーク管理サーバの構成の略構造図である。
【発明を実施するための形態】
【００４４】
本願の実施形態は、ＯＤＮデバイスの管理効率を改善し且つ管理費用を下げるためのトポロジ処理方法、装置、及びシステムを提供する。
【００４５】
本願の実施形態における技術的解決法は、様々な光通信システムに適用されてよい。図１に示されるように、本願の実施形態で提供される光通信システムは、ＯＬＴ、ＯＤＮデバイス、及びｎ個のＯＮＴを含んでよい。本願の実施形態で、ＯＬＴは、ＯＤＮデバイスを使用することによって、ｎ個のＯＮＴへ接続されている。例えば、ｎ個のＯＮＴは、図１に示されるＯＮＴ０、・・・、ＯＮＴｎ−２、及びＯＮＴｎ−１であってよい。ＯＤＮデバイスは、受動コンポーネントであり、ＯＤＮデバイスは、ファイバアクセス端末（fiber  access  terminal，ＦＡＴ）、スプリッティング及びスプライシングクロージャ（ＳＳＣ，splitting  and  splicing  closure）、アクセス端末ボックス（access  terminal  box，ＡＴＢ）、又は光分配フレーム（optical  distribution  frame，ＯＤＦ）、のうちの少なくとも１つのデバイスを含む。光分配フレームは、例えば、光ファイバ通信システム内のセントラルオフィスエンドでフィーダ光ファイバを終端及び分配するよう構成され、それにより、光ファイバは、都合良く互いに接続され、割り当てられ、且つスケジューリングされ得る。ファイバアクセス端末は、分配光ケーブルをドロップケーブルへ接続することと、光ファイバの直接接続、分岐、及び保護とのために、光アクセスネットワークのユーザアクセスポイントに位置している。ファイバアクセス端末内には、光学スプリッタなどが配置されてもよい。スプリッティング及びスプライシングクロージャは、マンホールに又はハンドホールに設置可能である屋外クロージャであってよい。スプリッティング及びスプライシングクロージャは、光アクセスネットワークのアクセスポイントで主に使用され、光ファイバケーブルを接続及び分岐し、ドロップケーブルをユーザ端末から引き回すよう構成される。アクセス端末ボックスは、ドロップケーブルを屋内のＯＮＴへ接続するための受動デバイスである。アクセス端末ボックスは、ユーザの内壁に設置され、屋内のＯＮＴのための光学ポートを提供する。ＯＤＮデバイスは、上記のタイプのデバイスに限られないことが留意されるべきであり、ＯＤＮデバイスは、ＯＤＮじょうｎお如何なるノードデバイスであってもよい。
【００４６】
本願の実施形態で提供される光通信システムは、１段階のＯＤＮデバイスを含んでよく、この場合に、光通信システム内のＯＤＮは、レベル１光分岐様式を使用する。レベル１光分岐シナリオにおいて、ＯＬＴとＯＮＴとの間には、１段階のＯＤＮデバイスしか存在しない。代替的に、光通信システムは、複数段のＯＤＮデバイスを含んでもよく、この場合に、ＯＤＮは、複数レベル光分岐様式を使用する。図２は、本願の実施形態に従って複数のＯＤＮデバイスをカスケード接続する概略図である。例えば、レベル２光分岐様式では、レベル分岐シナリオにおいて、ＯＬＴとＯＮＴとの間に複数のＯＤＮデバイスが存在し、それらのＯＤＮデバイスは直列接続されている（カスケード接続されている、とも呼ばれる。）。例えば、光通信システムの全体構造において、ＯＬＴはＯＤＮデバイス１へ接続され、ＯＤＮデバイス１はＯＤＮデバイス２へ接続され、ＯＤＮデバイス２は更にＯＤＮデバイス３へ接続され、ＯＤＮデバイスｍ−１がＯＤＮデバイスｍへ接続されるまで続き、最後に、ＯＤＮデバイスｍはＯＮＴへ接続される。
【００４７】
紙ラベルを使用することによる手動記録の先行技術の問題を解消するために、本願の実施形態は、トポロジ処理システムを提供する。トポロジ処理システムに含まれるデバイスは、トポロジ処理装置である。具体的に、トポロジ処理装置は、本願のこの実施形態で提供されるトポロジ処理方法を実行してよく、トポロジ処理方法は、以下の実施形態で詳細に記載される。本願のこの実施形態で提供されるトポロジ処理装置は、具体的に、現場の端末であってよく、あるいは、トポロジ処理装置は、ネットワーク管理サーバであってもよい。図３は、本願の実施形態に従うトポロジ処理システムの構成の略構造図である。本願のこの実施形態で、現場の端末は、ネットワーク管理サーバと通信してよい。例えば、現場の端末は、無線ネットワーク又は有線ネットワークを通じてネットワーク管理サーバと通信してよい。
【００４８】
現場の端末は、現場インテリジェント端末とも呼ばれ得る。現場の端末は、ＯＤＮの現場画像を収集するよう構成される。例えば、現場の端末はカメラを備え、カメラは、現場画像を生成するように、現場のＯＤＮにおけるＯＤＮデバイス及びケーブルを撮影することができる。ケーブルは、複数のＯＤＮデバイスを接続するよう構成されるか、あるいは、ＯＤＮデバイスを光通信システム内の他のデバイスへ接続するよう構成される。例えば、ケーブルは、ＯＤＮデバイスとＯＮＴとを接続するよう構成され、ケーブルは、ＯＤＮデバイスとＯＬＴとを接続するよう更に構成されてもよい。ケーブルは通信媒体である。例えば、ケーブルは、光ケーブル、銅ケーブル、又は同軸ケーブルのうちの少なくとも１つを含んでよい。具体的に、光通信システムの適用シナリオに応じて、特定のケーブルが選択されてよく、これは、ここで制限されない。
【００４９】
異なるケーブルを識別するために、本願のこの実施形態で提供されるケーブルには予め作られた識別コードが存在してよい。例えば、環状識別コードがケーブル上に配置され、識別コードは、連続的に、又は交互に、ケーブル上に分布する。ケーブル上の識別コードは、現場の端末のカメラによって撮影され得る。ＯＤＮに複数のケーブルがある場合に、それら複数のケーブル上に別々に識別コードが配置され、各ケーブル上の識別コードの顕著な特徴は、ＯＤＮデバイス又は他のケーブルによって遮られず、それにより、現場の端末のカメラは、各ケーブル上の識別コードを成功裏に撮影することができる。例えば、本願のこの実施形態で、ケーブル上の識別コードは、バーコードであってよく、ケーブル上のバーコードは、識別子（ＩＤ）として使用され、このとき、識別コードは、１次元バーコード、２次元バーコード、カラーバーコード、及び他のバーコードパターンを含むが、それらに限られない。
【００５０】
本願のいくつかの実施形態で、ＯＤＮの現場画像を収集する機能に加えて、現場の端末は、画像解析能力を更に備えてよく、すなわち、現場画像からケーブルを識別し、そして、ケーブルへ接続されているＯＤＮデバイスのポートを識別するように、現場端末によって集められた現場画像を解析し得る。最後に、現場の端末は、更に、ＯＤＮデバイスと、ＯＤＮデバイスのポートと、ケーブルとの間の対応を生成し得る。例えば、対応は、ケーブルとＯＤＮデバイスとの間の物理接続関係を含んでよい。
【００５１】
本願のこの実施形態で提供されるネットワーク管理サーバは、光通信ネットワーク管理のために構成されたサーバである。例えば、ネットワーク管理サーバは、ＯＤＮトポロジ管理サーバであってよい。ネットワーク管理サーバは、ＯＤＮデバイスと、ＯＤＮデバイスのポートと、ケーブルとの間の対応を取得し得る。例えば、ネットワーク管理サーバは、現場の端末を使用することによってＯＤＮデバイスと、ＯＤＮデバイスのポートと、ケーブルとの間の対応を取得するように、現場の端末と相互作用してよい。他の例として、ネットワーク管理サーバは、更に、現場の端末から現場画像を取得し、現場の端末によって集められた現場画像を解析して、現場画像からケーブルを識別し、そして、ケーブルへ接続されているＯＤＮデバイスのポートを識別してもよい。最後に、ネットワーク管理サーバは、更に、ＯＤＮデバイスと、ＯＤＮデバイスのポートと、ケーブルとの間の対応を生成し得る。例えば、対応は、ケーブルとＯＤＮデバイスとの間の物理接続関係を含んでよい。
【００５２】
以下は、最初に、本願の実施形態で提供されるトポロジ処理方法について詳細に記載する。図４を参照すると、本願の実施形態は、トポロジ処理方法を提供し、主に次のステップを含む。
【００５３】
４０１．トポロジ処理装置は、ＯＤＮから集められた第１現場画像を取得し、このとき、第１現場画像は、少なくとも第１ＯＤＮデバイスの第１ポートのイメージングを含み、第１ポートは第１ケーブルへ接続され、第１ケーブルを識別するために使用される第１識別エリアは、第１ケーブル上に配置され、第１現場画像は、少なくとも第１ケーブル上の第１識別エリアのイメージングを更に含む。
【００５４】
本願のこの実施形態で、ポートはＯＤＮデバイスに配置されている。例えば、少なくとも１つのポートがＯＤＮデバイスの端面上に配置される。図５ａは、本願の実施形態に従う、ＯＤＮデバイスと、ポートと、ケーブルとの間の対応の概略図である。図５ａに示されるＯＤＮデバイスは、一例として使用される。ＯＤＮデバイスは３つのポート、すなわち、ポート１、ポート２、及びポート３を備えている。ＯＤＮデバイスは、ポートを通じてケーブルへ接続される。例えば、ケーブルは、ケーブルとＯＤＮデバイスとの間の物理接続を実装するように、ＯＤＮデバイスのポートに挿入される。図５ａでは、ケーブル１がＯＤＮデバイスのポート２に挿入されることが、一例として使用される。異なるケーブルを識別するために、本願のこの実施形態で提供されるケーブルには予め識別コードが存在してよい。例えば、識別エリアがケーブル上に配置される。図５ｂは、本願の実施形態に従う、ＯＤＮデバイスと、ポートと、ケーブルとの間の対応の概略図である。図５ｂは、ＯＤＮデバイスの３次元の図である。ＯＤＮデバイスは複数のポートを備え、各ポートは１つのケーブルへ接続され得る。例えば、ＯＤＮデバイスはポート１を備え、ポート１はケーブル１へ接続されている。図５ｃは、本願の実施形態に従うＯＤＮデバイスの複数のポートの配置様式の概略図である。ＯＤＮデバイスは複数のポートを備え、ＯＤＮデバイスでのポートの複数の配置様式が存在する。例えば、図５ｃは、二列ポート配置様式を示す。実際の適用では、ＯＤＮデバイスでのポートの配置様式は、ＯＤＮデバイスのタイプと、接続される必要があるケーブルの数とに基づき、決定されてよい。これは、単に、ここでの例示であり、本願のこの実施形態を制限する意図はない。
【００５５】
本願のいくつかの実施形態で、トポロジ処理装置は現場の端末であり、トポロジ処理装置が光分配ネットワーク（ＯＤＮ）から集められた第１現場画像を取得するステップ４０１は、
現場の端末がＯＤＮの現場画像を収集して第１現場画像を取得することを含む。
【００５６】
本願のこの実施形態では、最初に、第１現場画像がＯＤＮから集められる。例えば、トポロジ処理装置が現場の端末である場合に、現場の端末は、第１現場画像を生成するように、ＯＤＮの現場画像を収集してよい。ＯＤＮは、第１ＯＤＮデバイス及び第１ケーブルを含み、第１ＯＤＮデバイスは第１ポートを備える。現場の端末がＯＤＮの現場画像を収集する場合に、現場の端末は、第１ポートと、第１ケーブル上の第１識別エリアとを撮影してよい。従って、第１現場画像は、少なくとも第１ＯＤＮデバイスの第１ポートのイメージングを含み、第１現場画像は更に、少なくとも第１ケーブル上の第１識別エリアのイメージングを含む。
【００５７】
本願のいくつかの実施形態で、トポロジ処理装置はネットワーク管理サーバであり、トポロジ処理装置が光分配ネットワークＯＤＮから集められた第１現場画像を取得するステップ４０１は、
トポロジ処理装置が、現場の端末から送られた第１現場画像を受信することを含み、このとき、第１現場画像は、現場の端末によって、ＯＤＮの現場画像を収集することによって取得される。
【００５８】
現場の端末が、ＯＤＮの現場画像を収集することによって第１現場画像を取得した後、現場の端末は、第１現場画像をネットワーク管理サーバへ送信してよく、それにより、ネットワーク管理サーバは、現場の端末から第１現場画像を受信し得る。
【００５９】
４０２．トポロジ処理装置は、第１現場画像における第１識別エリアに基づき第１ケーブルを識別し、第１現場画像に基づき、第１ケーブルへ接続される第１ポートを識別する。
【００６０】
本願のこの実施形態で、トポロジ処理装置が第１現場画像を取得した後、ステップ４０１の説明に基づき、第１現場画像には第１識別エリアが存在することが知られ得る。従って、トポロジ処理装置は、第１識別エリアをパースし、第１識別エリアに基づき第１ケーブルを識別し得る。例えば、トポロジ処理装置は、第１ケーブルの識別子を取得するように、第１識別エリア内の識別コードをパースしてよい。第１現場画像は第１ポートのイメージングを更に含むので、トポロジ処理装置は、第１現場画像に基づき、第１ケーブルへ接続されているポートが第１ＯＤＮデバイスの第１ポートであると決定し得る。例えば、トポロジ処理装置は、第１ＯＤＮデバイスのポート配置様式を取得し、第１ケーブルのケーブル画像に基づき、第１ＯＤＮデバイスの複数のポートの中のどのポートが第１ケーブルへ接続されているかを識別する。
【００６１】
本願のいくつかの実施形態で、ＯＤＮデバイスへ接続されているケーブルと、ケーブルの識別子とは、相互に遮られない。ケーブル及びケーブルの識別子は、ＯＤＮデバイスの特別なポート配置設計を使用することによって、特定の角度で撮影することにより識別され得る。ケーブル及びケーブルの識別子が特定の角度で撮影することにより識別され得ることは、現場の端末に近いケーブルの列が直接識別可能であり、１つの列又はいくつかの列のケーブルがその１つの例又はいくつかの例のケーブルと現場の端末の中ごろにあるケーブルとの間のギャップにより識別可能であることを意味する。識別可能であることは、ケーブルの顕著な特徴が遮られないことを意味し、顕著な特徴は、ケーブル識別において重要な役割を果たす画像特徴である。
【００６２】
本願のいくつかの実施形態で、図６は、本願の実施形態に従う他のトポロジ処理方法の略ブロックフローチャートである。第１ＯＤＮデバイスにはデバイス識別エリアが存在し、デバイス識別エリアは、第１ＯＤＮデバイスを識別するために使用され、第１現場画像は、デバイス識別エリアのイメージングを更に含む。本願のこの実施形態で提供されるトポロジ処理方法においてステップ４０１及びステップ４０２を実行することに加えて、ステップ４０２を実行する前に、トポロジ処理方法は、次のステップを更に実行してもよい。
【００６３】
４０４．トポロジ処理装置は、第１現場画像におけるデバイス識別エリアに基づき第１ＯＤＮデバイスを識別する。
【００６４】
トポロジ処理装置によって取得される第１現場画像は、デバイス識別エリアを含む。例えば、第１現場画像は、デバイス識別エリアのイメージングを更に含み、デバイス識別エリアの画像識別により第１ＯＤＮデバイスを決定し得る。
【００６５】
本願のいくつかの他の実施形態で、デバイス識別エリアを使用することによって第１ＯＤＮデバイスを識別することに加えて、トポロジ処理装置が、ユーザによって入力される第１ＯＤＮデバイスの識別子を更に取得してもよく、その識別子を使用することによって第１ＯＤＮデバイスを識別してもよいことは、制限されない。例えば、ユーザは、第１ＯＤＮデバイスの識別子を現場の端末に手動入力し、それにより、現場の端末又はネットワーク管理サーバは、第１ＯＤＮデバイスを識別する必要がない。
【００６６】
本願のいくつかの実施形態で、デバイス識別エリアは、第１ＯＤＮデバイスの識別子、第１ＯＤＮデバイスのポート配置様式、第１ＯＤＮデバイスのタイプ、第１ＯＤＮデバイスのシリアルナンバー、又は第１ＯＤＮデバイスの製造日、のうちの少なくとも１つの情報を示すために使用される。
【００６７】
第１ＯＤＮデバイスの識別子は、他のＯＤＮデバイスのそれとは異なる識別子であってよい。例えば、識別子は識別コードであってよい。第１ＯＤＮデバイスのポート配置様式は、第１ＯＤＮデバイスの端面上のポート配置の様式である。例えば、ＯＤＮデバイスのポート配置様式は、ＯＤＮデバイスの各ポートが、全く遮られることなしに、ある角度での現場の端末による撮影を通じて識別され得ることを意味する。ポート配置様式は、単列ポート設計、二列ポート設計、及びＷ字型ポート設計を含むが限られない。例えば、図５ａ乃至５ｃは、ＯＤＮデバイスの単列ポート設計を概略的に表す。第１ＯＤＮデバイスのタイプは、ＯＤＮデバイスの異なるタイプを区別するために使用される情報を指す。例えば、異なるタイプの情報が、異なるタイプのＯＤＮデバイスごとに設定されてよい。第１ＯＤＮデバイスのシリアルナンバーは、第１ＯＤＮデバイスと他のＯＤＮデバイスとを区別するために使用されてよい。例えば、第１ＯＤＮデバイスのシリアルナンバーは、ＳＮ＿ＦＡＴ０２であってよい。第１ＯＤＮデバイスの製造日は、日付値によって形成された数字の列を指す。例えば、ＯＤＮデバイスの製造日は２０１９０２０１０８２３であり、２０１９０２０１は、年、月、及び日を示し、０８２３は、製造時間を示す。第１ＯＤＮデバイスの製造日も、第１ＯＤＮデバイスと他のＯＤＮデバイスとを区別するために使用されてよい。本願のこの実施形態におけるデバイス識別エリアの具体的な実施形態は、上記の例の１以上に制限されなくてもよいことが留意されるべきである。
【００６８】
本願のいくつかの実施形態で、第１現場画像は、第１ＯＤＮデバイスの複数のポートのイメージングを更に含み、第１ケーブルへ接続される第１ポートを第１現場画像に基づき識別することは、
トポロジ処理装置が、複数のポートによって観測されるポート配置様式と、第１ケーブルとあるポートとの間の相対位置関係とに基づき、第１ポートを識別することを含む。
【００６９】
各ポート番号は、第１ＯＤＮデバイスのポートの順序に基づき識別されてよく、各ポートへ接続される具体的なケーブルは、各ポートへ接続される第１ケーブルに基づき識別されてよい。
【００７０】
本願のいくつかの他の実施形態で、第１ＯＤＮデバイスのポート番号が他の方法においても識別されてよいことは、制限されない。例えば、第２識別エリアが、第２識別エリアに対応するポートの具体的なポート番号を識別するために、ＯＤＮデバイスのポート上に配置されてもよい。ＯＤＮデバイスのポート識別様式は、ここで制限されない。
【００７１】
本願のステップ４０２で、現場の端末が、第１現場画像における第１識別エリアに基づき第１ケーブルを識別し、第１現場画像に基づき、第１ケーブルへ接続される第１ポートを識別してよい。代替的に、ネットワーク管理サーバが、第１現場画像における第１識別エリアに基づき第１ケーブルを識別し、第１現場画像に基づき、第１ケーブルへ接続される第１ポートを識別してもよい。具体的に、トポロジ処理装置が具体的に現場の端末又はネットワーク管理サーバであるかどうかは、適用シナリオに応じて決定されてよく、これは、ここで制限されない。
【００７２】
４０３．トポロジ処理装置は、第１ＯＤＮデバイスと、第１ポートと、第１ケーブルとの間の第１対応を生成する。
【００７３】
本願のこの実施形態で、トポロジ処理装置が、第１ケーブルを識別し、且つ、第１ケーブルが第１ＯＤＮデバイスの第１ポートへ接続されることを識別した後、トポロジ処理装置は、第１ＯＤＮデバイスと、第１ポートと、第１ケーブルとの間の第１対応を生成してよい。例えば、第１対応は、第１ＯＤＮデバイスが第１ポートを通じて第１ケーブルへ接続されることを含んでよい。
【００７４】
本願のステップ４０３で、現場の端末が、第１ＯＤＮデバイスと、第１ポートと、第１ケーブルとの間の第１対応を生成してよい。代替的に、ネットワーク管理サーバが、第１ＯＤＮデバイスと、第１ポートと、第１ケーブルとの間の第１対応を生成してもよい。具体的に、トポロジ処理装置が具体的に現場の端末又はネットワーク管理サーバであるかどうかは、適用シナリオに応じて決定されてよく、これは、ここで制限されない。
【００７５】
更には、本願のいくつかの実施形態で、トポロジ処理装置は、現場の端末であり、すなわち、ステップ４０３で、現場の端末が、第１ＯＤＮデバイスと、第１ポートと、第１ケーブルとの間の第１対応を生成する。この実施シナリオにおいて、本願のこの実施形態で提供されるトポロジ処理方法は、次の、
トポロジ処理装置が、第１対応をネットワーク管理サーバへ送る
ステップを更に含んでよい。
【００７６】
現場の端末は、ネットワーク管理サーバと通信してよい。現場の端末が第１対応を生成した後、現場の端末は、第１対応をネットワーク管理サーバへ送信し、それにより、ネットワーク管理サーバは、第１対応を受信してよく、第１対応に基づき、第１ＯＤＮデバイスと、第１ポートと、第１ケーブルとが互いに対応していることを決定してよい。
【００７７】
本願のいくつかの実施形態で、図７は、本願の実施形態に従う他のトポロジ処理方法の略ブロックフローチャートである。本願のこの実施形態で提供されるトポロジ処理方法においてステップ４０１乃至ステップ４０３を実行することに加えて、トポロジ処理装置は、次のステップを更に実行してよい。
【００７８】
４０５．トポロジ処理装置は第２現場画像を取得し、このとき、第２現場画像は、少なくとも第１ＯＮＴの第２ポートのイメージングを含み、第２ポートは第１ケーブルへ接続される。
【００７９】
本願のこの実施形態で、トポロジ処理装置は第２現場画像を取得する。例えば、トポロジ処理装置は現場の端末であり、現場の端末が、第１ＯＮＴの第２現場画像を更に収集してもよい。他の例として、トポロジ処理装置はネットワーク管理サーバであり、現場の端末が、第１ＯＮＴの第２現場画像を更に収集してもよく、次いで、現場の端末は、第２現場画像をネットワーク管理サーバへ送り、ネットワーク管理サーバは、現場の端末から第２現場画像を取得し得る。第１ＯＮＴは、少なくとも１つのポートを備える。例えば、第１ＯＮＴは第２ポートを含んでもよい。第１ＯＮＴの現場画像を収集する場合に、現場の端末は、第１ＯＮＴの第２ポートのイメージングを取得してもよい。第１ＯＮＴの第２ポートはケーブルへ接続される。例えば、第２ポートは、第１ケーブルへ接続されてもよく、この場合に、第１ＯＤＮデバイスは、第１ケーブルを通じて第１ＯＮＴへ接続される。他の例として、第２ポートは、第２ケーブルへ接続されてもよく、第２ケーブルの他方の端部が第２ＯＤＮデバイスへ接続されている場合には、第２ＯＤＮデバイスが第２ケーブルを通じて第１ＯＮＴへ接続されている。
【００８０】
４０６．トポロジ処理装置は、第２現場画像に基づき、第１ケーブルへ接続される第２ポートを識別する。
【００８１】
本願のこの実施形態で、第２現場画像は、少なくとも第１ＯＮＴの第２ポートのイメージングを含む。従って、トポロジ処理装置は、第２現場画像に基づき、第１ケーブルへ接続される第２ポートを識別し得る。詳細については、ステップ４０２におけるケーブルとポートとの間の接続の識別方法の説明を参照されたい
【００８２】
４０７．トポロジ処理装置は、第１ＯＮＴと、第２ポートと、第１ケーブルとの間の第２対応を生成する。
【００８３】
本願のこの実施形態で、トポロジ処理装置が、第１ケーブルを識別し、且つ、第１ケーブルが第１ＯＮＴの第２ポートへ接続されることを識別した後、トポロジ処理装置は、第１ＯＮＴと、第２ポートと、第１ケーブルとの間の第２対応を生成してよい。例えば、第２対応は、第１ＯＮＴが第２ポートを通じて第１ケーブルへ接続されることを含んでよい。
【００８４】
本願のステップ４０７で、現場の端末が、第１ＯＮＴと、第２ポートと、第１ケーブルとの間の第２対応を生成してよい。代替的に、ネットワーク管理サーバが、第１ＯＮＴと、第２ポートと、第１ケーブルとの間の第２対応を生成してもよい。具体的に、トポロジ処理装置が具体的に現場の端末又はネットワーク管理サーバであるかどうかは、適用シナリオに応じて決定されてよく、これは、ここで制限されない。
【００８５】
本願のいくつかの実施形態で、図７に示されるように、トポロジ処理装置が第２対応を生成した後、本願のこの実施形態で提供されるトポロジ処理方法は、次のステップを更に含んでよい。
【００８６】
４０８．トポロジ処理装置は、第１対応及び第２対応に基づき第１物理トポロジを生成する。
【００８７】
トポロジ処理装置は、第１対応に基づき、第１ＯＤＮデバイスと、第１ポートと、第１ケーブルとが互いに対応していることを決定し、第２対応に基づき、第１ＯＮＴと、第２ポートと、第１ケーブルとが互いに対応していることを決定する。従って、トポロジ処理装置は、第１対応及び第２対応に基づき、第１ＯＤＮデバイスと、第１ＯＮＴと、第１ケーブルとの間の物理接続関係を決定し得る。従って、トポロジ処理装置は、第１物理トポロジを生成してよく、第１物理トポロジは、特定のデバイスと、デバイス間の物理接続関係とを含む。
【００８８】
本願のステップ４０８で、現場の端末が、第１対応及び第２対応に基づき第１物理トポロジを生成してよい。代替的に、ネットワーク管理サーバが、第１対応及び第２対応に基づき第１物理トポロジを生成してもよい。具体的に、トポロジ処理装置が具体的に現場の端末又はネットワーク管理サーバであるかどうかは、適用シナリオに応じて決定されてよく、これは、ここで制限されない。
【００８９】
更に、本願のいくつかの実施形態で、トポロジ処理装置は、現場の端末であり、すなわち、ステップ４０８で、現場の端末が、第１対応及び第２対応に基づき第１物理トポロジを生成する。この実施シナリオにおいて、本願のこの実施形態で提供されるトポロジ処理方法は、次の、
トポロジ処理装置が、第１物理トポロジをネットワーク管理サーバへ送る
ステップを更に含んでよい。
【００９０】
ネットワーク管理サーバは、現場の端末から第１物理トポロジを受信し、第１物理トポロジを使用することによって、第１ＯＤＮデバイスと、第１ＯＮＴと、第１ケーブルとの間の物理接続関係を決定してよい。
【００９１】
本願のいくつかの実施形態で、本願のこの実施形態で提供されるトポロジ処理方法においてステップ４０１乃至ステップ４０８を実行することに加えて、トポロジ処理装置は、次の、
トポロジ処理装置が、ＯＤＮから集められた第３現場画像を取得するステップであり、このとき、第３現場画像は、少なくとも第２ＯＤＮデバイスの第３ポートのイメージングを含み、第３ポートは第１ケーブルへ接続される、ステップと、
トポロジ処理装置が、第３現場画像に基づき、第１ケーブルへ接続される第３ポートを識別するステップと、
トポロジ処理装置が、第２ＯＤＮデバイスと、第３ポートと、第１ケーブルとの間の第３対応を生成するステップと
を更に実行してもよい。
【００９２】
第１ＯＤＮデバイス及び第２ＯＤＮデバイスがカスケード接続されたＯＤＮデバイスである場合に、現場の端末は、第２ＯＤＮデバイスの現場画像を集めることによって、第３現場画像を取得してよい。トポロジ処理装置が、第１ケーブルを識別し、第１ケーブルが第２ＯＤＮデバイスの第３ポートへ接続されていることを識別した後、トポロジ処理装置は、第２ＯＤＮデバイスと、第３ポートと、第１ケーブルとの間の第３対応を生成してよい。例えば、第３対応は、第２ＯＤＮデバイスが第３ポートを通じて第１ケーブルへ接続されることを含んでよい。
【００９３】
本願のいくつかの実施形態で、本願のこの実施形態で提供されるトポロジ処理方法においてステップ４０１乃至ステップ４０８を実行することに加えて、トポロジ処理装置は、次の、
トポロジ処理装置が、第４現場画像を取得するステップであり、このとき、第４現場画像は、少なくとも第１ＯＬＴの第４ポートのイメージングを含み、第４ポートは第１ケーブルへ接続される、ステップと、
トポロジ処理装置が、第４現場画像に基づき、第１ケーブルへ接続される第４ポートを識別するステップと、
トポロジ処理装置が、第１ＯＬＴと、第４ポートと、第１ケーブルとの間の第４対応を生成するステップと
を更に実行してもよい。
【００９４】
現場の端末は、第４現場画像を取得するように、第１ＯＬＴの現場画像を更に収集してよい。トポロジ処理装置が、第１ケーブルを識別し、且つ、第１ケーブルが第１ＯＬＴの第４ポートへ接続されていることを識別した後、トポロジ処理装置は、第１ＯＬＴと、第４ポートと、第１ケーブルとの間の第４対応を生成してよい。例えば、第４対応は、第１ＯＬＴが第４ポートを通じて第１ケーブルへ接続されることを含んでよい。
【００９５】
更には、本願のいくつかの実施形態で、本願のこの実施形態で提供されるトポロジ処理方法は、次の、
トポロジ処理装置が、第１対応及び第４対応に基づき第２物理トポロジを生成するステップ
を更に含んでもよい。
【００９６】
トポロジ処理装置は、第１対応に基づき、第１ＯＤＮデバイスと、第１ポートと、第１ケーブルとが互いに対応していることを決定し、第４対応に基づき、第１ＯＬＴと、第４ポートと、第１ケーブルとが互いに対応していることを決定する。従って、トポロジ処理装置は、第１対応及び第４対応に基づき、第１ＯＤＮデバイスと、第１ＯＬＴと、第１ケーブルとの間の物理接続関係を決定し得る。従って、トポロジ処理装置は、第２物理トポロジを生成してよく、第２物理トポロジは、特定のデバイスと、デバイス間の物理接続関係とを含む。
【００９７】
本願のいくつかの実施形態で、図８は、本願の実施形態に従う他のトポロジ処理方法の略ブロックフローチャートである。トポロジ処理装置はネットワーク管理サーバである。本願のこの実施形態で提供されるトポロジ処理方法においてステップ４０８を実行することに加えて、トポロジ処理装置は、次のステップを更に実行してよい。
【００９８】
４０９．トポロジ処理装置は、第１物理トポロジから第１ＯＮＴの第１ステータス情報を周期的に収集する。
【００９９】
本願のこの実施形態で、ステップ４０８において、現場の端末が、第１物理トポロジを生成し、次いで、第１物理トポロジをネットワーク管理サーバへ送ってよい。代替的に、ネットワーク管理サーバが第１物理トポロジを生成してもよい。ネットワーク管理サーバが第１物理トポロジを取得した後、ネットワーク管理サーバは、第１物理トポロジを基準として使用することによって、第１物理トポロジから第１ＯＮＴの第１ステータス情報を周期的に収集する。ステータス情報の収集期間の長さは、ここで制限されず、収集期間は、具体的に、適用シナリオに応じて設定されてよい。
【０１００】
第１ステータス情報は、第１ＯＮＴの実行ステータスの様々なステータスパラメータを含む。例えば、第１ステータス情報は、第１ＯＮＴの性能データ又は第１ＯＮＴの警報データを含む。第１ＯＮＴの性能データは、第１ＯＮＴの光出力、第１ＯＮＴのビットエラーレート、又は他のデータであってよい。第１ＯＮＴの警報データは、第１ＯＮＴによって送られる警報情報、例えば、第１ＯＮＴが切断される場合に送られる警報情報、又は第１ＯＮＴの光出力が閾値を超える場合に送られる警報情報であってよい。
【０１０１】
本願のいくつかの他の実施形態で、トポロジ処理装置が第２物理トポロジを更に取得してよく、第２物理トポロジが第１ＯＬＴを更に含む場合に、トポロジ処理装置は、第２物理トポロジから第１ＯＬＴの第２ステータス情報を周期的に収集し、このとき、第２ステータス情報は、第１ＯＬＴの性能データ又は第１ＯＬＴの警報データを含む。
【０１０２】
４１０．トポロジ処理装置は、事前設定された論理トポロジ生成アルゴリズムを使用することによって第１ステータス情報に対してステータス変化解析を実行し、ステータス変化解析結果に基づき、第１ＯＤＮデバイスと、第１ケーブルと、第１ＯＮＴとの間の対応を含む第１論理トポロジを生成する。
【０１０３】
本願のこの実施形態で、第１ＯＮＴの第１ステータス情報を取得した後、トポロジ処理装置は、第１ＯＮＴの第１ステータス情報に対してステータス変化解析を実行してよい。例えば、本願のこの実施形態で、トポロジ処理装置は、論理トポロジ生成アルゴリズムを使用してよく、論理トポロジ生成アルゴリズムは、第１ＯＮＴの第１ステータス情報のステータス変化を解析し、第１ＯＮＴの第１ステータス情報のステータス変化に基づき、どの特定のＯＤＮデバイスが特定のＯＮＴへ接続されているかを識別するためのステータス変化解析方法を含んでよい。例えば、複数のＯＮＴのステータス変化パターンが期間内に同じ変化を有している場合には、それらのＯＮＴは同じＯＤＮデバイスへ接続されている。制限なしに、本願のこの実施形態で使用される論理トポロジ生成アルゴリズムは、複数の実施を有しており、対応するステータス変化解析方法が、収集されたステータス情報の異なる内容に基づき使用されてよい。ステータス情報解析を通じて、どのＯＮＴが同じＯＤＮデバイスへ接続されているかが識別され得、どのＯＮＴが異なるＯＤＮデバイスに属するかが識別され得、そして、ステータス情報解析を通じて、どのＯＮＴが不良であって、光信号を処理不能であるかも識別され得る。
【０１０４】
本願のこの実施形態で、ステータス変化解析を完了した後、トポロジ処理装置は、ステータス変化解析結果を取得し、最後に、ステータス変化解析結果に基づき第１論理トポロジを生成してよい。第１論理トポロジは、第１ＯＤＮデバイスと、第１ケーブルと、第１ＯＮＴとの間の対応を含む。
【０１０５】
本願のいくつかの他の実施形態で、トポロジ処理装置が第２物理トポロジを更に取得してよく、第２物理トポロジが第１ＯＬＴを更に含む場合に、トポロジ処理装置は、第２物理トポロジから第１ＯＬＴの第２ステータス情報を周期的に収集し、第１ＯＬＴの第２ステータス情報に基づきステータス変化解析を実行し、ステップ４１０での第１ステータス情報のステータス変化解析を参照して、ステータス変化解析結果に基づき、第１ＯＬＴと、第１ＯＤＮデバイスと、第１ケーブルと、第１ＯＮＴとの間の対応を含む第２論理トポロジを生成する。
【０１０６】
本願のいくつかの実施形態で、トポロジ処理装置が、事前設定された論理トポロジ生成アルゴリズムを使用することによって第１ステータス情報に対してステータス変化解析を実行することは、
トポロジ処理装置が、第１ステータス情報に基づき、第１期間における第１ＯＮＴのステータス変化特徴を取得することと、
トポロジ処理装置が、第１期間における第１ＯＮＴのステータス変化特徴に対して類似性クラスタ解析を実行することと
を含む。
【０１０７】
トポロジ処理装置は、第１ＯＮＴの第１ステータス情報を解析し、第１期間を設定し、第１期間における第１ＯＮＴのステータス変化特徴を取得する、すなわち、第１ＯＮＴのステータス変化パターンを取得してよい。本願のこの実施形態で、第１ＯＮＴは、特定のタイプの１以上のＯＮＴであってよいことが留意されるべきである。トポロジ処理装置は、類似性クラスタ解析法において、第１期間における第１ＯＮＴのステータス変化特徴に対して類似性クラスタ解析を実行する。例えば、同じ期間に同じ変化を有しているＯＮＴは、同じＯＤＮデバイスへ接続されているＯＮＴとして分類され、使用される方法には、データ特徴変化マイニング又はクラスタ解析があるが限られない。ＯＤＮデバイスのレベルが識別され、ＯＤＮ接続関係の変化が引き続きモニタされる。
【０１０８】
４１１．トポロジ処理装置は、第１物理トポロジと第１論理トポロジとの間の比較解析を実行し、比較解析結果に基づき、第１物理トポロジが更新される必要があるかどうかを判定する。
【０１０９】
本願のこの実施形態で、トポロジ処理装置が第１論理トポロジを生成した後、トポロジ処理装置は、第１物理トポロジ及び第１論理トポロジに対して比較解析を実行し、例えば、第１物理トポロジ及び第１論理トポロジが異なった接続関係を有しているかどうかを比較し、例えば、第１ＯＤＮデバイスが第１ＯＮＴへ接続されることは、第１物理トポロジには記録されているが、第１ＯＤＮデバイスが第１ＯＮＴへ接続されることは、第１論理トポロジには記録されていない。最終的に、トポロジ処理装置は、比較解析結果に基づき、第１物理トポロジが更新される必要があるかどうかを判定してよい。本願のこの実施形態で提供されるトポロジ処理方法から、トポロジ処理装置は、ソートされるべき論理トポロジの変化を自動的に整合し、ソートし、レビューし、それによって、光ファイバ分配ネットワーク内のリソースは自動的にソート及びレビューされ、光ファイバ分配ネットワーク内のリソースをソートする信頼性は改善されることが知られ得る。このようにして、光ネットワーク上のリソースは、簡単に、瞬時に、自動的に、且つ確かにソートされ、人間リソース投資は低減され、チェック効率は大いに改善され、光ネットワークリソースのチェック作業は規則化される。
【０１１０】
本願のいくつかの実施形態で、比較解析結果に基づき、第１物理トポロジが更新される必要があるかどうかを判定するステップ４１１は、
比較解析結果が、第１物理トポロジ及び第１論理トポロジが異なった対応を有していることである場合に、トポロジ処理装置によって、現場調査指示を送り、現場調査結果に基づき、第１物理トポロジが更新される必要があるかどうかを判定することを含む。
【０１１１】
比較解析結果は、第１物理トポロジ及び第１論理トポロジが異なった対応を有していることである。例えば、第１物理トポロジ及び第１論理トポロジが異なった接続関係を有しているかどうかが、比較される。この場合に、トポロジ処理装置は、現場調査指示を送信する、すなわち、トポロジ処理装置は、警報メッセージを送信してよく、トポロジ処理装置は、現場での物理トポロジ故障修理を実行するために使用される作業命令を生成する。作業命令を受け取った後、実施エンジニアは、実際の状況に応じて、第１物理トポロジが更新される必要があるかどうかをフィードバックするために、ＯＤＮデバイスの場所に向かい、調整を行う。本願のこの実施形態で、第１物理トポロジ及び第１論理トポロジが異なった対応を有している場合に、トポロジ処理装置は、光通信ネットワークのメンテナンスを容易にし且つネットワーク管理効率を改善するために、現場調査指示を送る。
【０１１２】
本願のいくつかの実施形態で、図３に示されるトポロジ処理システムに基づき、トポロジ処理システムは、現場の端末と、ネットワーク管理サーバとを含む。図９は、本願の実施形態に従う、現場の端末とネットワーク管理サーバとの間のインタラクションの略フローチャートである。インタラクションは、主に、次のステップを含む。
【０１１３】
９０１．現場の端末は、光分配ネットワーク（ＯＤＮ）から集められた第１現場画像を取得し、このとき、第１現場画像は、少なくとも第１ＯＤＮデバイスの第１ポートのイメージングを含み、第１ポートは第１ケーブルへ接続され、第１ケーブル上には、第１ケーブルを識別するために使用される第１識別エリアが存在し、第１現場画像は、少なくとも第１ケーブル上の第１識別エリアのイメージングを更に含む。
【０１１４】
９０２．現場の端末は、第１現場画像をネットワーク管理サーバへ送る。
【０１１５】
９０３．ネットワーク管理サーバは、第１現場画像を受信する。
【０１１６】
９０４．ネットワーク管理サーバは、第１現場画像における第１識別エリアに基づき第１ケーブルを識別し、第１現場画像に基づき、第１ケーブルへ接続される第１ポートを識別する。
【０１１７】
９０５．ネットワーク管理サーバは、第１ＯＤＮデバイスと、第１ポートと、第１ケーブルとの間の第１対応を生成する。
【０１１８】
上記の例示から、最初に、ＯＤＮから集められた第１現場画像が取得され、このとき、第１現場画像は、少なくとも第１ＯＤＮデバイスの第１ポートのイメージングを含み、第１ポートは第１ケーブルへ接続され、第１ケーブル上には、第１ケーブルを識別するために使用される第１識別エリアが存在し、第１現場画像は、少なくとも第１ケーブルの第１識別エリアのイメージングを更に含み、第１ケーブルが、第１現場画像における第１識別エリアに基づき識別され、第１ケーブルへ接続される第１ポートが、第１現場画像に基づき識別され、最後に、第１ＯＤＮデバイスと、第１ポートと、第１ケーブルとの間の第１対応が生成されることが知られ得る。本願のこの実施形態で、第１ケーブルは、ＯＤＮ現場収集を通じて取得された第１現場画像を解析することによって、第１現場画像から識別され得、第１ケーブルが第１ＯＤＮデバイスの第１ポートへ接続されることも、識別され得る。更には、上記の画像識別結果に基づき、第１ＯＤＮデバイスと、第１ポートと、第１ケーブルとの間の対応が生成され得る。従って、先行技術と比較して、本願のこの実施形態では、ＯＤＮ上のリソースの自動ソート及びレビューが、紙ラベルを使用することによる記録なしで実施され、それにより、光分配ネットワーク内のリソースは、簡単に、速く、自動で、且つ確かにソートされ、それによって、人間リソースは削減され、ＯＤＮデバイスの管理効率は改善され、管理費用は削減される。
【０１１９】
本願のいくつかの他の実施形態で、図３に示されるトポロジ処理システムに基づき、トポロジ処理システムは、現場の端末と、ネットワーク管理サーバとを含む。図１０は、本願の実施形態に従う、現場の端末とネットワーク管理サーバとの間のインタラクションの他の略フローチャートである。インタラクションは、主に、次のステップを含む。
【０１２０】
１００１．現場の端末は、光分配ネットワーク（ＯＤＮ）から集められた第１現場画像を取得し、このとき、第１現場画像は、少なくとも第１ＯＤＮデバイスの第１ポートのイメージングを含み、第１ポートは第１ケーブルへ接続され、第１ケーブル上には、第１ケーブルを識別するために使用される第１識別エリアが存在し、第１現場画像は、少なくとも第１ケーブル上の第１識別エリアのイメージングを更に含む。
【０１２１】
１００２．現場の端末は、第１現場画像における第１識別エリアに基づき第１ケーブルを識別し、第１現場画像に基づき、第１ケーブルへ接続される前記第１ポートを識別する。
【０１２２】
１００３．現場の端末は、第１ＯＤＮデバイスと、第１ポートと、第１ケーブルとの間の第１対応を生成する。
【０１２３】
１００４．現場の端末は、第１対応をネットワーク管理サーバへ送る。
【０１２４】
１００５．ネットワーク管理サーバは、第１対応を受信する。
【０１２５】
１００６．ネットワーク管理サーバは、第１対応に基づき、第１ＯＤＮデバイスと、第１ポートと、第１ケーブルとが互いに対応していることを決定する。
【０１２６】
上記の例示から、最初に、ＯＤＮから集められた第１現場画像が取得され、このとき、第１現場画像は、少なくとも第１ＯＤＮデバイスの第１ポートのイメージングを含み、第１ポートは第１ケーブルへ接続され、第１ケーブル上には、第１ケーブルを識別するために使用される第１識別エリアが存在し、第１現場画像は、少なくとも第１ケーブルの第１識別エリアのイメージングを更に含み、第１ケーブルが、第１現場画像における第１識別エリアに基づき識別され、第１ケーブルへ接続される第１ポートが、第１現場画像に基づき識別され、最後に、第１ＯＤＮデバイスと、第１ポートと、第１ケーブルとの間の第１対応が生成されることが知られ得る。本願のこの実施形態で、第１ケーブルは、ＯＤＮ現場収集を通じて取得された第１現場画像を解析することによって、第１現場画像から識別され得、第１ケーブルが第１ＯＤＮデバイスの第１ポートへ接続されることも、識別され得る。更には、上記の画像識別結果に基づき、第１ＯＤＮデバイスと、第１ポートと、第１ケーブルとの間の対応が生成され得る。従って、先行技術と比較して、本願のこの実施形態では、ＯＤＮ上のリソースの自動ソート及びレビューが、紙ラベルを使用することによる記録なしで実施され、それにより、光分配ネットワーク内のリソースは、簡単に、速く、自動で、且つ確かにソートされ、それによって、人間リソースは削減され、ＯＤＮデバイスの管理効率は改善され、管理費用は削減される。
【０１２７】
本願の実施形態における上記の解決法をより良く理解し実施するために、以下は、詳細な記載のために、対応する適用シナリオを一例として使用する。
【０１２８】
従来紙ラベルを使用してＰＯＮ内のＯＤＮデバイスにラベルを付すことによって引き起こされていた光ネットワーク内の低いリソース精度及び不便な情報更新の問題を解決するために、本願の実施形態は、光ネットワーク内のトポロジリソース（例えば、光ファイバリソース、ポートリソース、及び光ファイバ接続関係）を正確に管理するように、光ネットワークリソースをインテリジェントに識別し、且つ、ＯＤＮデバイス間の接続関係を自動で決定する方法を提供する。新たに作られた物理トポロジ１が基準として使用され、それから、ＯＤＮトポロジ管理サーバは、論理トポロジ２を確立するために、膨大なＯＬＴステータス情報及びＯＮＴステータス情報を定期的に解析する。変化した論理トポロジ２が、物理的な現場での故障修理を推進するために使用され、最新の物理トポロジ１が、論理トポロジ２を較正するために使用される。このようにして、ＯＤＮトポロジは、正確に修復され得、それによって、メンテナンス業務エンジニアの作業効率及び光ネットワークリソースに対する管理能力を改善する助けとなる。
【０１２９】
本願のこの実施形態で、トポロジは、ネットワークノードデバイス及び通信デバイスを含むネットワーク構造を指す。物理トポロジダイアグラムは、ＯＤＮデバイス間の実際の物理接続に基づく識別を通じて取得されるネットワーク構造である。物理トポロジダイアグラムに基づき、故障が起こるか、又は故障が起ころうとしている場合に、物理トポロジダイアグラムは、どのネットワークデバイスが不良であるかをネットワーク管理者に対して適時の特定の方法で表すことができる。例えば、ネットワーク上のスイッチが不良である場合には、物理トポロジダイアグラムに基づき、ネットワークシステムは、大量のスイッチデバイスのうちのどのスイッチが不良であるか、及びどのネットワークデバイスがこのポートへ接続されているかを管理者に対して明らかにすることができる。これは、ネットワーク管理者のためにメンテナンスを容易にする。
【０１３０】
本願のこの実施形態で提供されるこのネットワーク管理サーバは、具体的に、ＯＤＮトポロジ管理サーバであってよい。ＯＤＮトポロジ管理サーバは、論理トポロジを生成する。論理トポロジは、物理トポロジを使用することによってどのようしてデバイスが互いに通信するか、を明らかにする。本願のこの実施形態で、論理トポロジを取得するために、光出力及び他のステータス情報のような、ＯＬＴ及びＯＮＴの通信サービスデータを解析することによって、ネットワーク構造が取得される。
【０１３１】
図１１は、本願の実施形態に従ってＯＤＮトポロジを管理する実施シナリオの概略図である。実施シナリオは、主に、次のプロシージャを含む。
【０１３２】
最初に、ＯＤＮデバイスが、ＯＤＮサイトで構成される。例えば、ＯＤＮデバイスは端末ボックスであってよく、端末ボックスには光学スプリッタが配置される。例えば、端末ボックス、ケーブル、又は端末ボックス及びケーブルには予め作られたバーコード識別子が存在し、例えば、ケーブルは光ケーブルである。現場の端末は、端末ボックス及び光ケーブルのような構成要素の画像と、端末ボックス及び光ケーブル上のバーコードの画像とを収集する。ＯＤＮトポロジ管理サーバ又は現場の端末は、物理トポロジ１を生成する。ＯＤＮトポロジ管理サーバ又は現場の端末は、更に、データガバナンス、例えば、無効値クリアや、ボックス本体、ボックス本体のポート、並びに光ケーブルのタイプ及びポジションを識別することや、ＯＤＮデバイスのバーコード識別子を識別すること、を実行する必要がある。ＯＤＮトポロジ管理サーバは、現場での識別を実行し、デバイス間のトポロジ結果１を生成し、現場トポロジに基づき決定されたトポロジ結果１を基準として使用し、サーバのデータベースにトポロジ結果１を格納する。ＯＬＴ及びＯＮＴのステータス情報は、定期的に又は実時間で収集される。例えば、ＯＬＴ及びＯＮＴの性能データ及び警報データが収集されてよい。ＯＤＮトポロジ管理サーバは、論理トポロジ２を生成し、次いで、クラスタ解析、キーパフォーマンスインジケータ（key  performance  indicator，ＫＰＩ）特徴変化マイニング、データガバナンス（無効値クリア）、などを実行する。サーバは、データ解析を通じてトポロジ結果２を取得する。ＯＤＮトポロジ管理サーバは、トポロジ結果２と、基準として使用されるトポロジ結果１との間の差を周期的に比較する。基準として使用されるトポロジ結果１に対してトポロジ結果２の変化がある場合には、現場のトポロジ故障修理が、実行されることに駆られる。
【０１３３】
本願の実施形態は、機能強化されたＯＤＮネットワークトポロジ管理システムを提供する。端末ボックスと光ケーブルとの間の接続関係は、現場の端末、ＯＤＮトポロジ管理サーバ、端末ボックス、及び光ケーブルが含まれる画像識別方法で生成される。
【０１３４】
（１）端末ボックス及び光ケーブルに予め作られたバーコードがＩＤ識別子として使用され、１次元バーコード、２次元バーコード、カラーバーコード、及び他のバーコードパターンがあるが限られない。
【０１３５】
（２）現場の端末は、端末ボックス及び光ケーブルのような構成要素の写真又は映像と、構成要素上のバーコードＩＤの写真又は映像とを収集する。画像解析を通じて、ボックス本体、ボックス本体のポート、及び光ケーブルのタイプ及びポジション、並びに構成要素上のＩＤ識別子が識別され得る。
【０１３６】
（３）ＯＤＮデバイス間の接続関係は自動的に識別及び生成され得、物理トポロジ１が基準として生成され、そして、情報は、ＯＤＮトポロジ管理サーバへ報告され、データベースに格納される。
【０１３７】
（４）新たに作られた物理トポロジ１が基準として使用され、次いで、ＯＤＮトポロジ管理サーバは、論理トポロジ２を確立するために、膨大なＯＬＴステータス情報及びＯＮＴステータス情報を定期的に解析し、このとき、ステータス情報には、光出力及びＢＥＲが含まれる。
【０１３８】
（５）変化した論理トポロジ２が、現場での物理的な故障修理を推進するために使用され、最新の物理トポロジ１が、論理トポロジ２を較正するために使用される。このようにして、ＯＤＮトポロジは、正確に修復される。
【０１３９】
具体的に、物理トポロジ１は、初期構成において基準として使用され、ＯＤＮ物理トポロジ１は、新しいＯＤＮに関して画像識別を通じて生成され、このとき、ＯＤＮ物理トポロジ１は、光学スプリッタのポートレベルに絞り込まれ、物理トポロジ１に関する情報は、ＯＤＮトポロジ管理サーバへ報告される。
【０１４０】
ＯＤＮトポロジ管理サーバは、論理トポロジ生成アルゴリズムを使用することによってＯＤＮ論理トポロジ２を生成し、ＯＬＴを使用することによって実時間で又は周期的に、ＯＬＴポートへ接続されるＯＮＴの光出力のようなステータス情報をモニタし、同じ光学スプリッタへ接続されるＯＮＴと同じ期間内に同じ変化を有するＯＮＴを分類する。使用される方法には、データ特徴変化マイニング、クラスタ解析、などがあるが限られない。光学スプリッタのレベルが識別され、ＯＤＮ接続関係の変化が引き続きモニタされ、論理トポロジ２に関する情報がＯＤＮトポロジ管理サーバへ報告される。
【０１４１】
ＯＤＮが構築される場合に、論理トポロジ２は、物理トポロジ１に基づき較正される。次いで、ＯＤＮトポロジ管理サーバは、論理トポロジ生成アルゴリズムに基づき生成されるＯＤＮ論理トポロジ２を、ＯＤＮ画像識別により生成される物理トポロジ１と比較し、引き続きＯＤＮ論理トポロジ２をリフレッシュする。論理トポロジ２が基準と不一致である場合には、事前警告が行われるか、又は不一致を特定及び比較するために指示が送られるか、あるいは、手動レビューが実行される。現場の構成エンジニアは、物理トポロジ１が変化したかどうかをチェックし、現場での識別により得られた物理トポロジ１に基づき基準を確立し直すために、ＯＤＮの場所に向かう。
【０１４２】
本願のこの実施形態で提供されるトポロジ処理方法では、レベル２光学スプリッタネットワークが、説明のために一例として使用される。ネットワークは、単に、説明のために使用され、本願のこの実施形態を限定するために使用されない。図１２は、本願の実施形態に従う光通信ネットワークのシステムアーキテクチャの概略図である。光通信ネットワークは、ＯＬＴ１、レベル１光学スプリッタ、レベル２光学スプリッタＩ、レベル２光学スプリッタＩＩ、ＯＮＴ  Ｂ＿１、ＯＮＴ  Ｃ＿１、及びＯＮＴＣ＿２を含んでよい。Ａ、Ｂ、及びＣは、現場の端末の撮影ポジションを指す。例えば、レベル２分岐シナリオでの現場構成フェーズにおいて、レベル１光学スプリッタＡの結合器エンドはＯＬＴ０１へ接続され、２つのレベル２光学スプリッタ、すなわち、光学スプリッタＢ及び光学スプリッタＣは、スプリッタエンドに設置される。光学スプリッタＢ及び光学スプリッタＣは、端末ボックスにおいて設置され、光学スプリッタのポート番号は、端末ボックスのポート番号と一対一の対応にある。
【０１４３】
ＯＮＴ  Ｂ＿１は、光学スプリッタＢのポート上に設置される必要があると仮定される。現場構成のために必要とされる光ケーブルコネクタ上で、端末ボックスに近い一方の側にある環状バーコードがＩＤ識別子として使用される。構成エンジニアは、レベル２光学スプリッタＢで、ＯＮＴ  Ｂ＿１及び光学スプリッタＢを端末ボックスのポート１へ接続するケーブルの一端を設置し、次いで、端末ボックス及びケーブルのような構成要素の写真又は映像と、端末ボックス上及びケーブル上のバーコードの写真又は映像とを、画像収集装置を使用することによって収集する。図１３は、本願の実施形態に従って、現場の端末によってＯＤＮデバイス及び光ケーブル１の画像を収集する概略図である。端末ボックスと光ケーブルとの間の物理接続関係は、光学スプリッタＢ（すなわち、レベル２光学スプリッタＩ）での撮影を通じて確立される。
【０１４４】
ＯＤＮトポロジ管理サーバ又は現場のインテリジェント端末は、物理トポロジ１の部分である、光学スプリッタＢのポジションでの接続関係をインテリジェントに生成する。接続関係は、端末ボックスモデルがＨＷ２８０２であること、シリアルナンバーがＳＮ＿ＦＡＴ０１であること、光学スプリッタＢが内部に設置されていること、及び全部で４つのポートがあることを識別するために使用されてよい。ポート１は、シリアルナンバーがＳＮ＿ＣＡＢＬＥ２００１であって、長さが１００メートルである光ケーブルへ接続される。残り３つのポートは、光ケーブルが挿入されていないということで、空いている。
【０１４５】
光ケーブルの他端は、端末ユーザの家でＯＮＴ  Ｂ＿１へ接続され、現場のインテリジェント端末は、光ケーブルとＯＮＴ  Ｂ＿１との間の接続関係を記録する。レベル２光学スプリッタＢと、光ケーブルと、ＯＮＴ  Ｂ＿１との間の、現場で決定された接続関係は、物理トポロジ１を生成するための基準として使用され、物理トポロジ１は、サーバのデータベースに格納される。
【０１４６】
表１は、本願のこの実施形態で提供される、レベル２光学スプリッタＢからＯＮＴへの部分的な物理トポロジ１を示す。
【表１】
2021517370.tif 000036
【０１４７】
図１４は、本願の実施形態に従って、現場の端末によってＯＤＮデバイス、光ケーブル１、及び光ケーブル２の画像を収集する概略図である。端末ボックスと光ケーブルとの間の物理接続関係は、光学スプリッタＣ（レベル２光学スプリッタＩＩ）での撮影を通じて確立される。同様に、レベル２光学スプリッタＣで、構成エンジニアは、ＯＮＴ  Ｃ＿１及びＯＮＴ  Ｃ＿２へ接続されているケーブルの一端を端末ボックス２の対応するポートに挿入する。次いで、画像収集装置が、端末ボックス及び光ケーブルのような構成要素の写真又は映像と、端末ボックス及び光ケーブル上のバーコードの写真又は映像とを収集するために使用される。
【０１４８】
ＯＤＮトポロジ管理サーバ又は現場のインテリジェント端末は、物理トポロジ１の部分である、光学スプリッタＣのポジションでの接続関係をインテリジェントに生成する。接続関係は、端末ボックスモデルがＨＷ２８０２であること、シリアルナンバーがＳＮ＿ＦＡＴ０２であること、光学スプリッタＣが内部に設置されていること、及び全部で４つのポートがあることを識別するために使用されてよい。ポート３及び４は、光ケーブルが挿入されていないということで、空いている。ポート１は、シリアルナンバーがＳＮ＿ＣＡＢＬＥ２００２であって、長さが５０メートルである光ケーブルへ接続される。光ケーブルの他端は、端末ユーザの家でＯＮＴ  Ｃ＿１へ接続され、光ケーブルとＯＮＴ  Ｃ＿１との間の接続関係が記録される。各光ケーブルは一意のＩＤナンバーを有している。配信時に、長さ情報がＩＤナンバーに結びつけられ、ＯＤＮトポロジ管理サーバに格納され、光ケーブルの長さは、ＩＤがこの次に識別される場合に決定され得る。
【０１４９】
ポート２は、シリアルナンバーがＳＮ＿ＣＡＢＬＥ２００３であって、長さが１５０メートルである光ケーブルへ接続される。光ケーブルの他端は、端末ユーザの家でＯＮＴ  Ｃ＿２へ接続され、現場のインテリジェント端末は、光ケーブルとＯＮＴ  Ｃ＿２との間の接続関係を記録する。
【０１５０】
レベル２光学スプリッタＣと、光ケーブルＳＮ＿ＣＡＢＬＥ２００２と、光ケーブルＳＮ＿ＣＡＢＬＥ２００３と、ＯＮＴ  Ｃ＿１と、ＯＮＴ  Ｃ＿２との間の、現場で決定された接続関係は、物理トポロジ１を生成するための基準として使用され、物理トポロジ１は、サーバのデータベースに格納される。表２は、本願のこの実施形態で提供される、レベル２光学スプリッタＣからＯＮＴへの部分的な物理トポロジ１を示す。
【表２】
2021517370.tif 000037
【０１５１】
完全なＯＤＮ物理トポロジ１は、レベル２光学スプリッタの現場トポロジと、レベル１光学スプリッタの構成中に記録された現場トポロジに関する情報との組み合わせに基づき生成され、ＯＤＮトポロジ管理サーバのデータベースに基準トポロジとして格納される。表３は、本願の実施形態で提供される完全なＯＤＮ物理トポロジ１を示す。
【表３】
2021517370.tif 000038
【０１５２】
ＯＤＮトポロジ管理サーバには２つの論理メモリが存在する。メモリ１は、物理トポロジを記憶し、メモリ２は、論理トポロジを記憶する。ＯＤＮトポロジ管理サーバにおけるメモリ２内の論理トポロジ２について、データベース内の物理トポロジ１が最初の基準として使用され、ＯＬＴ及びＯＮＴの性能データ及び警報データが定期的に収集され、光学モジュールの定常状態、ジッタ、及び傾向のような特徴がオンラインモニタリングのために取り出される。光学モジュールのキーパラメータ情報は、ＫＰＩ特徴と呼ばれる。ＫＰＩ変化マイニングが、主にグループ挙動類似性識別を通じて、ＯＬＴの１つのポートへ接続されている全てのＯＮＴに対して実行され、このとき、ウィンドウ内の時間シーケンス挙動の類似性クラスタが主に使用される。これは、ＯＮＴエンドでレベル２光学スプリッタからＯＤＮネットワークへのトポロジ発見のために使用され得る。不具合が起こる時点から、不具合が続く期間を経て、不具合が正される時点までの期間は、時間ウィンドウと呼ばれる。時間ウィンドウ内の異なるＯＮＴの受光電力変化の異なる曲線に基づいて、ＯＮＴは異なるタイプに分類され、同様のタイプのＯＮＴは、同じレベル２光学スプリッタへ接続されるＯＮＴとして分類される。
【０１５３】
図１５ａは、本願の実施形態に従う、通常ケースにおけるＯＬＴ及びＯＮＴの受光電力の曲線の概略図であり、図１５ｂは、本願の実施形態に従う、光ケーブルの曲げケースにおけるＯＬＴ及びＯＮＴの受光電力の曲線の概略図である。ＯＮＴの受光電力は、通常ケースでは比較的に安定している。しかし、光ケーブルのセグメントが、ＯＬＴからＯＮＴへのリンクにわたって不良であるとき、ＯＮＴの受光電力は、不具合期間に低下する。不具合が正された後、ＯＮＴの受光電力は回復する。ここで、原理は、ＯＮＴの受光電力をモニタする例を使用することによってのみ記載され、他のパラメータもモニタされてもよい。詳細は、ここでは１つずつは記載されない。
【０１５４】
ＯＤＮトポロジ管理サーバにおけるメモリ２内の論理トポロジ２は、ＯＬＴ０１へ接続されているＯＤＮネットワーク上の全てのＯＮＴの受光電力を定期的に収集し、このとき、ＯＮＴは、ＯＮＴ  Ｂ＿１、ＯＮＴ  Ｃ＿１、及びＯＮＴ  Ｃ＿２を含む。ＫＰＩ特徴変化が特徴として使用され、ウィンドウ内の時間シーケンス挙動の類似性クラスタが実行される。これは、ＯＮＴエンドでレベル２光学スプリッタからＯＤＮネットワークへのトポロジ発見のために使用され得る。
【０１５５】
レベル１光学スプリッタＡとレベル２光学スプリッタＣとの間の光ケーブル上で初めて曲げ不具合が起こる場合に、図１５ｃは、本願の実施形態に従う、曲げ不具合が初めて起こる場合にＯＬＴへ接続されている全てのＯＮＴの受光電力の曲線の概略図である。ＯＮＴ  Ｃ＿１及びＯＮＴ  Ｃ＿２の受光電力は、不具合が起こる場合にほぼ同時に低下する。ＯＮＴ  Ｃ＿１及びＯＮＴ  Ｃ＿２は両方とも、不具合が正されない期間中、比較的に低い受光電力で動作する。比べると、ＯＮＴとＯＮＴ  Ｂ＿１との間のＯＤＮリンクは不良でないので、ＯＮＴ  Ｂ＿１の受光電力は、この期間中、変化しない。不具合が正された後、ＯＮＴ  Ｃ＿１及びＯＮＴ  Ｃ＿２は両方とも、前の正常な受光電力に回復される。類似したＯＮＴインジケータの解析に基づき、ＯＮＴ  Ｃ＿１及びＯＮＴ  Ｃ＿２は同じレベル２光学スプリッタのネットワークに位置し、一方、ＯＮＴ  Ｂ＿１は異なったレベル２光学スプリッタに位置することが知られ得る。
【０１５６】
ＯＤＮトポロジ管理サーバは、ＯＮＴステータス情報の変化を収集及び解析し、論理トポロジ構造２を生成してよい。ＯＤＮトポロジ管理サーバは、トポロジ結果２と、基準として使用されるトポロジ結果１との間の差を定期的に比較する。決定結果が、トポロジ結果２がトポロジ結果１と一致することである場合には、ＯＤＮネットワークの現在のトポロジデータは、較正を必要とせずに、正確であることが決定される。
【０１５７】
ＯＤＮトポロジ管理サーバにおけるメモリ２内の論理トポロジ２は、ＯＬＴ０１へ接続されているＯＤＮネットワーク上の全てＯＮＴの受光電力を定期的に収集する。
【０１５８】
ある時点で、曲げ不具合が、第２時点について、レベル１光学スプリッタＡとレベル２光学スプリッタＣとの間の光ケーブル上で起こる場合に、図１５ｄは、本願の実施形態に従う、第２時点について曲げ不具合が起こる場合にＯＬＴへ接続されている全てのＯＮＴの受光電力の曲線の概略図である。ＯＮＴ  Ｃ＿１、ＯＮＴ  Ｃ＿２、及びＯＮＴ  Ｃ＿３の受光電力は、不具合が起こる場合にほぼ同時に低下する。ＯＮＴ  Ｃ＿１、ＯＮＴ  Ｃ＿２、及びＯＮＴ  Ｃ＿３は全て、不具合が正されない期間中、比較的に低い受光電力で動作する。比べると、ＯＬＴとＯＮＴ  Ｂ＿１との間のＯＤＮリンクは不良でないので、ＯＮＴ  Ｂ＿１の受光電力は、この期間中、変化しない。不具合が正された後、ＯＮＴ  Ｃ＿１、ＯＮＴ  Ｃ＿２、及びＯＮＴ  Ｃ＿３は全て、前の正常な受光電力に回復される。類似したＯＮＴインジケータの解析に基づき、ＯＮＴ  Ｃ＿１、ＯＮＴ  Ｃ＿２、及びＯＮＴ  Ｃ＿３は同じレベル２光学スプリッタのネットワークに位置し、一方、ＯＮＴ  Ｂ＿１は異なったレベル２光学スプリッタに位置することが知られ得る。
【０１５９】
ＯＤＮトポロジ管理サーバは、論理トポロジ構造２を生成し、ＯＤＮトポロジ管理サーバは、トポロジ結果２と、基準として使用されるトポロジ結果１との間の差を定期的に比較し、この場合に、決定結果は、トポロジ結果２がトポロジ結果１と一致することである。基準として使用される物理トポロジ１において、光学スプリッタＢは２つのＯＮＴ、すなわち、ＯＮＴ  Ｃ＿１及びＯＮＴ  Ｃ＿２へしか接続されないからである。しかし、クラスタ解析により得られる現在の論理トポロジ２では、光学スプリッタＢは、３つのＯＮＴ、すなわち、ＯＮＴ  Ｃ＿１、ＯＮＴ  Ｃ＿２、及びＯＮＴ  Ｃ＿３へ接続されている。従って、ＯＤＮネットワークの現在のトポロジデータは不正確である可能性があると決定され、事前警告が送出される。エラーは、現場での異常な操作、メンテナンス記録がないことにより変化がデータベースにアップロードされないために、変化した物理トポロジ１が更新されないこと、又はクラスタ解析により生成された現在の論理トポロジ２が誤っていること、を含むがそれらに限られない理由によって、引き起こされる可能性がある。
【０１６０】
事前警告が送出された後、ＯＤＮトポロジ管理サーバは、物理トポロジ１のための現場での故障修理を促進するために使用される作業命令を生成する。作業命令を受け取った後、構成エンジニアは、光学スプリッタＢの場所に向かい、調査を行って、光学スプリッタＢのポート３が新しい光ケーブル及び新しいユーザへ接続されていることを見つける。しかし、構成エンジニアは、情報を記録し忘れ、その結果として、物理トポロジ１は、ＯＤＮトポロジ管理サーバにおいて更新されない。
【０１６１】
構成エンジニアは、画像収集装置を使用することによって現場で、端末ボックス及び光ケーブルのような構成要素の写真又は映像と、端末ボックス及び光ケーブル上のバーコードの写真又は映像とを収集する。図１６は、本願の実施形態に従って、現場の端末によってＯＤＮデバイス、光ケーブル１、光ケーブル２、及び光ケーブル３の画像を収集する概略図である。端末ボックスと光ケーブルとの間の物理接続関係は、光学スプリッタＣでの撮影を通じて確立される。
【０１６２】
ＯＤＮトポロジ管理サーバ又は現場のインテリジェント端末は、物理トポロジ１の部分である、光学スプリッタＣのポジションでの接続関係をインテリジェントに生成する。接続関係は、端末ボックスモデルがＨＷ２８０２であること、シリアルナンバーがＳＮ＿ＦＡＴ０２であること、光学スプリッタＣが内部に設置されていること、及び全部で４つのポートがあることを識別するために使用されてよい。新たに設置されたポート３は、シリアルナンバーがＳＮ＿ＣＡＢＬＥ２００４であって、長さが１００メートルである光ケーブルへ接続されている。光ケーブルの他端は、端末ユーザの家でＯＮＴ  Ｃ＿３へ接続され、光ケーブルとＯＮＴ  Ｃ＿３との間の接続関係が記録される。レベル２光学スプリッタＣと、光ケーブルと、ＯＮＴ  Ｃ＿３との間の、現場で決定された接続関係は、光学スプリッタＣからＯＮＴへの物理トポロジをリフレッシュする基準として使用される。表４に示されるように、ＯＤＮネットワークの物理トポロジ１は、同期してリフレッシュされ（表５に示される。）、サーバのデータベースに格納される。目下のＯＤＮ物理トポロジ１に対応する接続関係は、図１７に示される。図１７は、本願の実施形態に従って、図１４に示される光通信ネットワークに基づき更新により得られたシステムアーキテクチャの概略図である。ＯＤＮトポロジ管理サーバは、リフレッシュされた物理トポロジ１を基準として使用し、リフレッシュされた物理トポロジ１をデータベースに記録する。
【０１６３】
表４は、本願のこの実施形態で提供される、レベル２光学スプリッタＣからＯＮＴへの部分的な物理トポロジ１を示す。
【表４】
2021517370.tif 000039
【０１６４】
表５は、本願のこの実施形態で提供される完全なＯＤＮ物理トポロジ１を示す。
【表５】
2021517370.tif 000040
【０１６５】
本願のこの実施形態では、構成段階及び再構成段階において、画像認識を通じて、ＯＤＮリソース管理精度は改善され、現場での手動による記録及びラベル印刷は時間がかかり且つエラーを起こしやすいという問題は、解決される。これは、構成効率を改善することに加えて、関連する技術における低いＯＤＮリソース管理精度の問題を解決する。その後に、ＯＤＮトポロジ管理サーバは、ソートされるべき論理トポロジの変化を自動的に整合し、ソートし、レビューし、それによって、光ファイバ分配ネットワーク内のリソースは自動的にソート及びレビューされ、光ファイバ分配ネットワーク内のリソースをソートする信頼性は改善される。このようにして、光ネットワーク上のリソースは、簡単に、瞬時に、自動的に、且つ確かにソートされ、人間リソース投資は低減され、チェック効率は大いに改善され、光ネットワークリソースのチェック作業は規則化される。
【０１６６】
以下は最初に、本願の実施形態で提供されるトポロジ処理装置について詳細に記載する。図１８ａを参照すると、本願の実施形態は、
光分配ネットワーク（ＯＤＮ）から集められた第１現場画像を取得するよう構成される画像取得モジュール１８０１であり、第１現場画像は、少なくとも第１ＯＤＮデバイスの第１ポートのイメージングを含み、第１ポートは第１ケーブルへ接続され、第１ケーブル上には、第１ケーブルを識別するために使用される第１識別エリアが存在し、第１現場画像は、少なくとも第１ケーブル上の第１識別エリアのイメージングを更に含む、画像取得モジュール１８０１と、
第１現場画像における第１識別エリアに基づき第１ケーブルを識別し、第１現場画像に基づき、第１ケーブルへ接続される第１ポートを識別するよう構成される画像識別モジュール１８０２と、
第１ＯＤＮデバイスと、第１ポートと、第１ケーブルとの間の第１対応を生成するよう構成されるマッピングモジュール１８０３と
を含むトポロジ処理装置１８００を提供する。
【０１６７】
本願のいくつかの実施形態で、第１ＯＤＮデバイス上にはデバイス識別エリアが存在し、デバイス識別エリアは、第１ＯＤＮデバイスを識別するために使用され、第１現場画像は、デバイス識別エリアのイメージングを更に含み、画像識別モジュール１８０２は、第１現場画像におけるデバイス識別エリアに基づき第１ＯＤＮデバイスを識別するよう更に構成される。
【０１６８】
本願のいくつかの実施形態で、デバイス識別エリアは、第１ＯＤＮデバイスの識別子、第１ＯＤＮデバイスのポート配置様式、第１ＯＤＮデバイスのタイプ、第１ＯＤＮデバイスのシリアルナンバー、又は第１ＯＤＮデバイスの製造日、のうちの少なくとも１つの情報を示すために使用される。
【０１６９】
本願のいくつかの実施形態で、画像取得モジュール１８０１は、第２現場画像を取得するよう更に構成され、第２現場画像は、少なくとも第１光ネットワーク端末（ＯＮＴ）の第２ポートのイメージングを含み、第２ポートは第１ケーブルへ接続され、
画像識別モジュール１８０２は、第２現場画像に基づき、第１ケーブルへ接続される第２ポートを識別するよう更に構成され、
マッピングモジュール１８０３は、第１ＯＮＴと、第２ポートと、第１ケーブルとの間の第２対応を生成するよう更に構成される。
【０１７０】
本願のいくつかの実施形態で、図１８ｂに示されるように、トポロジ処理装置１８００は、
第１対応及び第２対応に基づき第１物理トポロジを生成するよう構成される物理トポロジ生成モジュール１８０４を更に含む。
【０１７１】
本願のいくつかの実施形態で、トポロジ処理装置１８００は、現場の端末であり、トポロジ処理装置１８００は、
第１物理トポロジをネットワーク管理サーバへ送るよう構成される送信モジュール１８０５を更に含む。
【０１７２】
本願のいくつかの実施形態で、トポロジ処理装置１８００は、ネットワーク管理サーバであり、画像取得モジュール１８０１は、現場の端末によって送られた第１現場画像を受信するよう構成され、第１現場画像は、現場の端末によって、ＯＤＮの現場画像を集めることによって取得される。
【０１７３】
本願のいくつかの実施形態で、図１８ｃに示されるように、トポロジ処理装置１８００は、現場の端末であり、トポロジ処理装置１８００は、
第１対応をネットワーク管理サーバへ送るよう構成される送信モジュール１８０５を更に含む。
【０１７４】
本願のいくつかの実施形態で、図１８ｄに示されるように、トポロジ処理装置１８００は、ネットワーク管理サーバであり、トポロジ処理装置１８００は、
第１物理トポロジから第１ＯＮＴの第１ステータス情報を周期的に収集するよう構成されるステータス収集モジュール１８０６と、
事前設定された論理トポロジ生成アルゴリズムを使用することによって第１ステータス情報に対してステータス変化解析を実行し、ステータス変化解析結果に基づき、第１ＯＤＮデバイスと、第１ケーブルと、第１ＯＮＴとの間の対応を含む第１論理トポロジを生成するよう構成される論理トポロジ生成モジュール１８０７と、
第１物理トポロジと第１論理トポロジとの間の比較解析を実行し、比較解析結果に基づき、第１物理トポロジが更新される必要があるかどうかを判定するよう構成されるトポロジ解析モジュール１８０８と
を更に含む。
【０１７５】
図３に示されるように、本願の実施形態は、トポロジ処理システムを提供する。トポロジ処理システムは、現場の端末と、ネットワーク管理サーバとを含む。
【０１７６】
現場の端末は、光分配ネットワーク（ＯＤＮ）から集められた第１現場画像を取得するよう構成され、第１現場画像は、少なくとも第１ＯＤＮデバイスの第１ポートのイメージングを含み、第１ポートは第１ケーブルへ接続され、第１ケーブル上には、第１ケーブルを識別するために使用される第１識別エリアが存在し、第１現場画像は、少なくとも第１ケーブル上の第１識別エリアのイメージングを更に含む。
【０１７７】
現場の端末は、第１現場画像をネットワーク管理サーバへ送るよう更に構成される。
【０１７８】
ネットワーク管理サーバは、第１現場画像を受信し、第１現場画像における第１識別エリアに基づき第１ケーブルを識別し、第１現場画像に基づき、第１ケーブルへ接続される第１ポートを識別し、第１ＯＤＮデバイスと、第１ポートと、第１ケーブルとの間の第１対応を生成するよう構成される。
【０１７９】
図３に示されるように、本願の実施形態は、トポロジ処理システムを提供する。トポロジ処理システムは、現場の端末と、ネットワーク管理サーバとを含む。
【０１８０】
現場の端末は、光分配ネットワーク（ＯＤＮ）から集められた第１現場画像を取得し、このとき、第１現場画像は、少なくとも第１ＯＤＮデバイスの第１ポートのイメージングを含み、第１ポートは第１ケーブルへ接続され、第１ケーブル上には、第１ケーブルを識別するために使用される第１識別エリアが存在し、第１現場画像は、少なくとも第１ケーブル上の第１識別エリアのイメージングを更に含む、よう、第１現場画像における第１識別エリアに基づき第１ケーブルを識別し、第１現場画像に基づき、第１ケーブルへ接続される前記第１ポートを識別するよう、且つ、第１ＯＤＮデバイスと、第１ポートと、第１ケーブルとの間の第１対応を生成するよう構成される。
【０１８１】
現場の端末は、第１対応をネットワーク管理サーバへ送るよう更に構成される。
【０１８２】
ネットワーク管理サーバは、第１対応を受信し、第１対応に基づき、第１ＯＤＮデバイスと、第１ポートと、第１ケーブルとが互いに対応していることを決定するよう構成される。
【０１８３】
説明を簡単にするために、トポロジ処理装置によって実行される上記の方法は、一連の動作として記載されることが留意されるべきである。しかし、本願に従って、いくつかのステップは他の順序で実行されても又は同時に実行されてもよいので、当業者であれば、本願が記載されている動作の順序に制限されないことを認識するはずである。その上、更に当業者には当然ながら、本明細書で記載される実施形態は全てが実施形態であって、動作及びモジュールは必ずしも本願によって必要とされない。
【０１８４】
上記の装置のモジュール／ユニットの間の情報交換及びそれらの実行処理のような内容は、本願の方法実施形態と同じ考えに属するので、内容は、本願の方法実施形態と同じ技術的効果をもたらす。具体的な内容については、上述された本願の方法実施形態における説明を参照されたい。これは、ここで再びは更に記載されない。
【０１８５】
本願の実施形態は、コンピュータ記憶媒体を更に提供する。コンピュータ記憶媒体はプログラムを記憶し、プログラムは、上記の方法実施形態で記載された方法の一部又は全てを実行するために使用される。
【０１８６】
図１９は、本願の実施形態に従う更なる他のトポロジ処理装置の略構造図である。トポロジ処理装置は、現場の端末であり、現場の端末は、プロセッサ１９１（例えば、ＣＰＵ）、メモリ１９２、送信器１９４、及び受信器１９３を含んでよい。送信器１９４及び受信器１９３は、プロセッサ１９１へ結合され、プロセッサ１９１は、送信器１９４の送信動作と、受信器１９３の受信動作とを制御する。メモリ１９２は、高速ＲＡＭメモリを含んでよく、あるいは、不揮発性メモリ（ＮＶＭ）、例えば、少なくとも１つの磁気ディスクメモリを更に含んでもよい。メモリ１９２は、様々な処理機能を実装し、本願のこの実施形態の方法ステップを実装するために、様々な命令を記憶してよい。任意に、本願のこの実施形態における現場の端末は、電源１９５、通信バス１９６、及び通信ポート１９７のうちの１以上を更に含んでよい。受信器１９３及び送信器１９４は、現場の端末のトランシーバに組み込まれてよく、あるいは、現場の端末において互いから独立している受信アンテナ及び送信アンテナであってもよい。通信バス１９６は、要素間の通信接続を実装するよう構成される。通信ポート１９７は、現場の端末と他の周辺機器との間の接続及び通信を実装するよう構成される。本願のこの実施形態における現場の端末は、カメラ１９８を更に含んでよく、カメラ１９８は、ＯＤＮデバイス、ケーブル、ＯＮＴ、及びＯＬＴのようなデバイスの現場写真を撮るよう構成される。詳細については、上記の実施形態における説明を参照されたい。
【０１８７】
本願のこの実施形態で、メモリ１９２は、コンピュータ実行可能なプログラムコードを記憶するよう構成され、プログラムコードは命令を含む。プロセッサ１９１が命令を実行する場合に、プロセッサ１９１は、上記の方法実施形態における現場の端末の処理動作を実行することを可能にされ、送信器１９４は、上記の方法実施形態における現場の端末の送信動作を実行することを可能にされる。実施原理及びその技術的効果は、同様であり、詳細は、ここで再びは記載されない。
【０１８８】
図２０は、本願の実施形態に従う更なる他のトポロジ処理装置の略構造図である。トポロジ処理装置は、ネットワーク管理サーバであり、ネットワーク管理サーバは、プロセッサ２０１（例えば、ＣＰＵ）、メモリ２０２、受信器２０３、及び送信器２０４を含んでよい。受信器１９３及び送信器２０４は、プロセッサ２０１へ結合され、プロセッサ２０１は、受信器２０３の受信動作と、送信器２０４の送信動作とを制御する。メモリ２０２は、高速ＲＡＭメモリを含んでよく、あるいは、不揮発性メモリ（ＮＶＭ）、例えば、少なくとも１つの磁気ディスクメモリを更に含んでもよい。メモリ２０２は、様々な処理機能を実装し、本願のこの実施形態の方法ステップを実装するために、様々な命令を記憶してよい。任意に、本願のこの実施形態におけるネットワーク管理サーバは、電源２０５、通信バス２０６、及び通信ポート２０７のうちの１以上を更に含んでよい。受信器２０３及び送信器２０４は、ネットワーク管理サーバのトランシーバに組み込まれてよく、あるいは、ネットワーク管理サーバにおいて互いから独立している受信アンテナ及び送信アンテナであってもよい。通信バス２０６は、要素間の通信接続を実装するよう構成される。通信ポート２０７は、ネットワーク管理サーバと他の周辺機器との間の通信接続を実装するよう構成される。
【０１８９】
本願のこの実施形態で、メモリ２０２は、コンピュータ実行可能なプログラムコードを記憶するよう構成され、プログラムコードは命令を含む。プロセッサ２０１が命令を実行する場合に、命令は、プロセッサ２０１が、上記の方法実施形態におけるネットワーク管理サーバの処理動作を実行することを可能にし、且つ、送信器２０４が、上記の方法実施形態におけるネットワーク管理サーバの送信動作を実行することを可能にする。実施原理及びその技術的効果は、同様であり、詳細は、ここで再びは記載されない。
【０１９０】
他の可能な設計では、トポロジ処理装置が現場の端末内又はネットワーク管理サーバ内のチップである場合に、チップは処理ユニット及び通信ユニットを含む。処理ユニットは、例えば、プロセッサであってよく、通信ユニットは、例えば、入出力インターフェイス、ピン、又は回路であってよい。処理ユニットは、記憶ユニットに記憶されているコンピュータ実行可能命令を実行してよく、それにより、端末内のチップは、第１の態様及び可能な実施のうちのいずれか１つにおけるトポロジ処理方法を実行する。任意に、記憶ユニットは、チップ内にある記憶ユニット、例えば、レジスタ又はバッファである。記憶ユニットは、代替的に、現場の端末又はネットワーク管理サーバにおいてチップの外にある記憶ユニット、例えば、リード・オンリー・メモリ（read-only  memory，ＲＯＭ）、性的な情報及び命令を記憶することができる他のタイプの静的記憶デバイス、又はランダム・アクセス・メモリ（random  access  memory，ＲＡＭ）であってもよい。
【０１９１】
上記のプロセッサは、汎用の中央演算処理装置（ＣＰＵ）、マイクロプロセッサ、特定用途向け集積回路（application-specific  integrated  circuit，ＡＳＩＣ）、又は第１の態様におけるトポロジ処理方法のプログラム実行を制御する１以上の集積回路であってよい。
【０１９２】
加えて、上記の装置実施形態は、単に例であることが留意されるべきである。別々の部分として記載されるユニットは、物理的に分離していてもいなくてもよく、ユニットとして表される部分は、物理ユニットであってもなくてもよく、１つの場所に位置しても、又は複数のネットワークユニットに分布してもよい。モジュールのいくつか又は全ては、実施形態の解決法の目的を達成するように、実際の要件に基づき選択されてよい。その上、本願で提供される装置実施形態の添付の図面において、モジュール間の接続関係は、モジュールが互いと通信接続を有していることを示し、これは、具体的には、１以上の通信バスまたは信号ケーブルとして実装されてよい。当業者であれば、創造的な努力なしで実施形態を理解及び実施し得る。
【０１９３】
上記の実施の説明に基づき、当業者であれば、本願が、必須の一般的なハードウェアに加えてソフトウェアを使用することによって、又は専用の集積回路、専用のＣＰＵ、専用のメモリ、専用のコンポーネント、などを含む専用のハードウェアによって、実装されてよいことを明らかに理解し得る。概して、コンピュータプログラムによって実行され得る如何なる機能も、対応するハードウェアを使用することによって容易に実装され得る。更に、同じ機能を達成するために使用される具体的なハードウェア構造は、様々な形を有し、例えば、アナログ回路、デジタル回路、専用の回路、などの形をとり得る。なお、本願に関して、ソフトウェアプログラム実施は、ほとんどの場合において、より良い実施である。かような理解に基づき、本願の技術的解決法は本質的に、又は先行技術に寄与する部分は、ソフトウェア製品の形で実施されてよい。コンピュータソフトウェア製品は、コンピュータのフロッピーディスク、ＵＳＢフラッシュドライブ、リムーバブル・ハード・ディスク、リード・オンリー・メモリ（ＲＯＭ，Read-Only  Memory）、ランダム・アクセス・メモリ（ＲＡＭ，Random  Access  Memory）、磁気ディスク、又は光ディスクのような読み出し可能な記憶媒体に記憶され、コンピュータデバイス（パーソナルコンピュータ、サーバ、ネットワークデバイス、などであってよい。）に、本願の実施形態で記載される方法を実行するように指示するいくつかの命令を含む。
【０１９４】
上記の実施形態の全て又はいくつかは、ソフトウェア、ハードウェア、ファームウェア、又はそれらの任意の組み合わせを使用することによって実装されてよい。ソフトウェアを使用することによって実装される場合に、実施形態の全て又はいくつかは、コンピュータプログラム製品の形で実装されてよい。
【０１９５】
コンピュータプログラム製品は、１以上のコンピュータ命令を含む。コンピュータプログラム命令がコンピュータ上でロードされ実行される場合に、本願の実施形態に従うプロシージャ又は機能のいくつか又は全てが生成される。コンピュータは、汎用のコンピュータ、特別目的のコンピュータ、コンピュータネットワーク、又は他のプログラム可能な装置であってよい。コンピュータ命令は、コンピュータ可読記憶媒体に記憶されてよく、あるいは、コンピュータ可読記憶媒体から他のコンピュータ可読記憶媒体へ送られてもよい。例えば、コンピュータ命令は、ウェブサイト、コンピュータ、サーバ、又はデータセンターから他のウェブサイト、コンピュータ、サーバ、又はデータセンターへ有線（例えば、同軸ケーブル、光ファイバ、若しくはデジタル加入者回線（ＤＳＬ））又は無線（例えば、赤外線、電波、若しくはマイクロ波）様式で送られてよい。コンピュータ可読記憶媒体は、コンピュータによってアクセス可能な任意の使用可能な媒体、又は１以上の使用可能な媒体を組み込むサーバ若しくはデータセンターのようなデータ記憶デバイスであってよい。使用可能な媒体は、磁気媒体（例えば、フロッピーディスク、ハードディスク、若しくは磁気テープ）、光学媒体（例えば、ＤＶＤ）、半導体媒体（例えば、ソリッド・ステート・ドライブ（Solid  State  Disc，ＳＳＤ））、などであってよい。
【国際調査報告】
2021517370.tif 000041
2021517370.tif 000042
2021517370.tif 000043
2021517370.tif 000044